(57)【要約】  立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像出力フォーマットにしたがい出力している際に、受信部が、コンテンツの映像表示を非３Ｄ表示にする指示を受け付けた場合、ＡＶ処理部は、コンテンツのデータから、非３Ｄ映像信号を構成し、出力部は、非３Ｄ映像信号を映像表示装置へ３Ｄ映像出力モードにしたがい出力する、映像再生装置。
2011007564.tif 000002
【特許請求の範囲】
【請求項１】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像出力フォーマットにしたがい出力している際に、前記受信部が、前記コンテンツの映像表示を非３Ｄ表示にする指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力モードにしたがい出力する、映像再生装置。
【請求項２】
さらに、ユーザが前記映像表示装置に対して入力した指示を前記映像表示装置から受信する入力部を有し、
前記出力部が前記３Ｄ映像信号を前記３Ｄ映像出力モードにしたがい出力している際に、前記入力部が、前記映像表示装置の映像表示を３Ｄ表示から前記非３Ｄ表示へ切り換える指示を入力した場合、前記ＡＶ処理部は、前記コンテンツのデータから非３Ｄ映像の映像信号を構成し、前記出力部は、前記非３Ｄ映像信号を前記映像表示装置へ前記３Ｄ映像出力モードにしたがい出力する、請求項１に記載の映像再生装置。
【請求項３】
前記ＡＶ処理部は、前記コンテンツのデータに含まれるコンテンツ識別情報から、前記コンテンツが３Ｄコンテンツであるか非３Ｄコンテンツであるかを判別し、
前記出力部が前記３Ｄ映像信号を前記３Ｄ映像出力モードにしたがい出力している際に、前記受信部が、再生すべきコンテンツを前記コンテンツから別のコンテンツに切り換える指示を受け付け、かつ、前記ＡＶ処理部が、前記別のコンテンツは非３Ｄコンテンツであると判別した場合、前記ＡＶ処理部は、前記別のコンテンツのデータから非３Ｄ映像信号を構成し、前記出力部は、前記非３Ｄ映像信号を前記映像表示装置へ前記３Ｄ映像出力モードにしたがい出力する、請求項１に記載の映像再生装置。
【請求項４】
前記ＡＶ処理部は、記憶媒体に記憶されているコンテンツのデータおよびコンテンツ識別情報を入力する、請求項３に記載の映像再生装置。
【請求項５】
前記ＡＶ処理部は、前記映像再生装置の外部から受信したコンテンツのデータおよびコンテンツ識別情報を入力する、請求項３に記載の映像再生装置。
【請求項６】
前記別のコンテンツは、非３Ｄコンテンツを含むデータ放送である、請求項３に記載の映像再生装置。
【請求項７】
前記３Ｄ映像信号は、視差を有する左目用の映像である左目映像と右目用の映像である右目映像を含み、
前記出力部が前記３Ｄ映像信号を前記３Ｄ映像出力フォーマットにしたがい出力している間に、前記受信部が、前記コンテンツの映像表示を非３Ｄ表示にする指示を受け付けた場合、前記ＡＶ処理部は、前記非３Ｄ映像の映像信号を、前記左目映像および前記右目映像のいずれか一方のみを含むように構成する、請求項１に記載の映像再生装置。
【請求項８】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像信号出力フォーマットにしたがい出力している際に、前記受信部が、前記コンテンツを特殊再生する指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力フォーマットにしたがい出力する、映像再生装置。
【請求項９】
前記特殊再生は、前記コンテンツの早送りまたは早戻し再生を含む、請求項５に記載の映像再生装置。
【請求項１０】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、立体映像であることを示す情報が重畳された３Ｄ映像信号または前記立体映像であることを示す情報が重畳されない非３Ｄ映像信号を構成するＡＶ処理部と、
前記ＡＶ処理部で構成された３Ｄ映像信号または非３Ｄ映像信号を、非立体映像表示用の映像信号を出力するためのフォーマットである非３Ｄ映像出力フォーマットにしたがい、前記映像表示装置へ出力する出力部と、
ユーザが入力する指示を受け付ける受信部と、を備え、
前記ＡＶ処理部は、
前記コンテンツのデータに含まれるコンテンツ識別情報から、前記コンテンツが３Ｄコンテンツであるか非３Ｄコンテンツであるかを判別し、
前記コンテンツが３Ｄコンテンツであると判別した場合には、前記コンテンツのデータから、３Ｄ映像信号を前記非３Ｄ映像出力フォーマットにしたがい構成し、
前記コンテンツが非３Ｄコンテンツであると判別した場合には、前記コンテンツのデータから、非３Ｄ映像の映像信号を前記非３Ｄ映像出力フォーマットにしたがい構成し、
前記出力部が前記非３Ｄ映像信号を前記非３Ｄ映像出力モードで出力している際に、前記受信部が、再生すべきコンテンツを前記コンテンツから別のコンテンツに切り換える指示を受け付け、かつ、前記ＡＶ処理部が、前記別のコンテンツは３Ｄコンテンツであると判別した場合、前記ＡＶ処理部は、前記別のコンテンツのデータから３Ｄ映像信号を構成し、前記出力部は、前記３Ｄ映像信号を前記映像表示装置へ前記非３Ｄ映像出力フォーマットにしたがい出力する、映像再生装置。
【請求項１１】
前記ＡＶ処理部は、前記コンテンツは非３Ｄコンテンツであると判別した場合には、非立体映像であることを示す情報が重畳された非立体映像表示用の非３Ｄ映像の映像信号を構成する、請求項１０に記載の映像再生装置。
【請求項１２】
コンテンツのデータを入力し、前記コンテンツのデータから、立体映像表示を可能とする３Ｄ映像信号、または、非立体映像表示を可能とする非３Ｄ映像信号を構成するデコーダ部と、
前記コンテンツの映像表示に関する指示を受け付けて、当該指示にもとづいて、前記デコーダ部に対し、前記３Ｄ映像信号を構成するか前記非３Ｄ映像信号を構成するかを指示する３Ｄ／非３Ｄ指示部と、
前記デコーダ部が構成した映像信号を、立体映像表示用の映像信号を出力するためのフォーマットである３Ｄ映像出力フォーマットにしたがい出力する信号出力部と、を有する半導体装置。
【請求項１３】
立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、
ＡＶ処理部が、コンテンツのデータを入力するステップと、
前記ＡＶ処理部が、前記コンテンツのデータから、３Ｄ映像信号を、映像表示装置へ３Ｄ映像の映像信号を出力するための出力モードである３Ｄ映像信号出力モードに適合したフォーマットで構成して、出力部が、前記ＡＶ処理部から前記映像信号を受け、前記映像表示装置に対し、前記３Ｄ映像信号を、前記３Ｄ映像信号出力モードで出力するステップと、
受信部が、ユーザが入力する前記コンテンツの映像表示を３Ｄ表示から非３Ｄ表示へ切り換える指示を受け付けるステップと、
前記受け付けるステップの後に、前記ＡＶ処理部が、当該指示を受けて前記非３Ｄ映像信号を構成して、前記出力部が、前記非３Ｄ映像信号を前記映像表示装置に対して前記３Ｄ映像信号出力モードで出力するステップと、を有する、映像再生装置において映像信号を構成し映像表示装置へ出力する方法。
【発明の詳細な説明】
【技術分野】
【０００１】
本願の技術分野は、映像表示装置へ映像信号を出力する映像再生装置に関し、特に、立体映像として再生可能な映像信号を出力可能な映像再生装置に関する。
【背景技術】
【０００２】
左目および右目それぞれに対して視差を含んだ映像を提示することで立体視効果が得られることが古くから知られている（以下、このような手法により立体視効果を得る方式を「二眼式３Ｄ方式」と称する。）。【０００３】
また近年では、立体視可能な映像を表示できる３Ｄテレビの技術が急速に進んでいる。その背景として、映画館での３Ｄ映画のヒットや、一部の放送局によるＢＳデジタル放送における３Ｄ放送の試験的実施や、一部のＤＶＤ等のディスク媒体での３Ｄ対応コンテンツの出荷開始等が挙げられる。そのような背景のもと、３Ｄテレビ（３Ｄ映像表示装置）については、一部のメーカによりすでに商品化されている。このように、一般家庭における３Ｄ映像視聴環境は急速に整いつつある。【０００４】
３Ｄテレビの視聴方法としての二眼式３Ｄ方式には、大別して２つの方法があり、裸眼で視聴する方法と、専用のメガネをかけて視聴する方法とがある。裸眼で視聴する方法として、例えば、パララックスバリア方式やレンティキュラ方式がある。裸眼で視聴する方式の問題点として、パララックスバリア方式では視聴するための位置が限定されたりバリアが目障りだったりする。一方、レンティキュラ方式では解像度が著しく低下したり、やはりレンズが目障りだったりする、というようなことが一般に知られている。【０００５】
上記したような専用のメガネをかけて視聴する方法としては、特許文献１に開示されているように、テレビに特殊なフィルムを貼り付けて偏向メガネをかけて視聴する方法や、特許文献２や特許文献３に開示されているように、液晶シャッターメガネをかけて視聴する方法が知られている。【０００６】
また、映像再生装置から映像表示装置へ３Ｄ映像表示可能な映像信号を伝送する規格として、ＨＤＭＩ（High Definition Multimedia Interface）  Ｖｅｒ１．４が規定されている。ＨＤＭＩ  Ｖｅｒ１．４では、著作権保護のため、ＨＤＭＩで映像／音声信号を伝送する場合に用いる著作権保護規格であるＨＤＣＰで規定されたアルゴリズムに基づき、映像信号を送出する側の機器（「送出側機器」）と映像を受信する側の機器（「受信側機器」）との間で、相互認証及び暗号鍵の生成を行う。送出側機器は、この時に生成された暗号鍵で映像データを暗号化し、映像信号として伝送路上に送出する。受信側機器は、この時生成された暗号鍵で、受信した映像信号を復号し、映像を表示する。【０００７】
ＨＤＭＩは、送出側機器が送信する映像信号のフォーマットを、立体視可能な映像の映像信号（３Ｄ映像信号）を送信するためのフォーマットと２Ｄ映像信号を送信するためのフォーマットとの間で切り換える時に、上記相互認証を実行することを義務付けている。よって、映像再生装置が、ＨＤＭＩ  Ｖｅｒ１．４で映像表示装置へ映像信号を伝送する場合、例えば、伝送される映像信号が３Ｄ映像信号から２Ｄ映像信号に切り換えられる時、あるいは、２Ｄ映像信号から３Ｄ映像信号へ切り換えられる時には、伝送される映像信号のフォーマットの変更に伴い相互認証が実行される。【０００８】
以下、映像再生装置から映像表示装置に対して送出される映像信号が３Ｄ映像信号から２Ｄ映像信号に切り換わる時に従来の映像再生装置がする動作について説明する。図１４は従来の映像再生装置において、３Ｄ映像を再生中に、２Ｄ映像の再生に切り換えたときに映像再生装置がする処理のフローチャートである。【０００９】
映像再生装置は、３Ｄ映像ストリーム信号からなる３Ｄコンテンツの映像を３Ｄ映像信号として出力し、映像表示装置は、当該３Ｄ映像信号に基づいて３Ｄ映像を表示する（Ｓ１０１）。この時、映像再生装置の映像信号出力部と映像表示装置の入力部との間のＨＤＭＩインターフェースのモード（機器間の伝送路上のフォーマット）は３Ｄ映像信号用のフォーマットである。【００１０】
図１５（ａ）に、ステップＳ１０１において３Ｄ映像信号が送出される際に使用されるフォーマットを示す。フォーマット＠Ｓ１０１に示すように、３Ｄ映像信号用のフォーマットでは、例えば、左目映像（Ｌ  ｏｄｄ、Ｌ  ｅｖｅｎ）と右目映像（Ｒ  ｏｄｄ、Ｒ  ｅｖｅｎ）とが交互に送出される。【００１１】
図１４に戻り、ステップＳ１０２において、映像再生装置は、ユーザがリモコン等を用いてコンテンツを２Ｄ映像表示させる旨の指示を行ったかを判断する。より具体的には、リモコン信号受信部が受信した信号の内容が制御部（例えば、ＣＰＵ）へ送られ、制御部は、当該信号に、映像表示装置にコンテンツを２Ｄ映像として表示させる旨の指示が含まれるかどうかを判断し、含まれると判断した場合（ステップＳ１０２における「ＹＥＳ」）、処理はステップＳ１０３へ移行する。【００１２】
ステップＳ１０３において、制御部は、ＡＶ処理部（デコーダ等）に対し、映像信号の出力の停止を指示し、かつ、出力部についてＨＤＭＩインタフェース（Ｉ／Ｆ）の再認証処理を行う。より具体的には、制御部は、出力部に対しＨＤＭＩインターフェースの映像信号のフォーマットを２Ｄ映像信号用のフォーマットへ切り換えるよう指示を出す。出力部は、該出力部と映像表示装置の入力部との間のＨＤＭＩインターフェースの再認証及びＨＤＭＩインターフェースのフォーマットの切り換え処理を実行する。【００１３】
この時、ＨＤＭＩインターフェースの再認証の処理には数秒の時間を要する。また、映像表示装置にあっては、映像再生装置からの映像信号の出力が停止されているため、黒画面表示（「ブラックアウト」とも称する。）、もしくは、相互認証が始まる直前に受信した映像の継続表示（「画面フリーズ」とも称する。）が発生する。【００１４】
制御部が、ＨＤＭＩインターフェースの再認証及びフォーマットの切り換え処理の終了と、２Ｄ映像信号用のフォーマットへの切り換えの完了とを検出した場合（ステップＳ１０４における「ＹＥＳ」）、制御部は、ＡＶ処理部に対し、２Ｄ映像信号の出力を指示し、処理はステップＳ１０５へ遷移する。【００１５】
２Ｄ映像信号出力指示を受けたＡＶ処理部は、２Ｄ映像信号を出力部へ出力し、出力部は、映像表示装置に対し２Ｄ映像信号用のフォーマットで２Ｄ映像信号を送出し、映像表示装置は２Ｄ映像を表示する（Ｓ１０５）。【００１６】
図１５（ｂ）に、ステップＳ１０５において２Ｄ映像信号が送出される際に使用されるフォーマットを示す。フォーマット＠Ｓ１０５に示すように、２Ｄ映像信号用のフォーマットでは、例えば、左目映像（Ｌ  ｏｄｄ、Ｌ  ｅｖｅｎ）のみが送出される。【００１７】
このように、映像再生装置が出力する映像信号が３Ｄ映像信号から２Ｄ映像信号（あるいは２Ｄ映像信号から３Ｄ映像信号）に切り換わる際、映像再生装置と映像表示装置との間の相互認証のために数秒の時間を必要とする。相互認証が完了するまでの数秒間は、映像表示装置は、映像信号を受信できないため、ブラックアウトしたり、画面フリーズが発生したりすることとなり、ユーザは相互認証の開始から完了までの期間の映像を見逃してしまうことになる。【００１８】
よって、映像再生装置が送出する映像信号に基づいて映像表示装置がＨＤＭＩに準じて映像を表示する場合、立体映像表示（３Ｄ表示）と非立体映像表示（２Ｄ表示）の切り換えには、（認証処理を含んだ）様々な処理が必要であり、結果として、切り換えはスムーズとは言い難い。
【先行技術文献】
【特許文献】
【００１９】
【特許文献１】特許第３７９６４１４号公報
【特許文献２】特開平６−２５４０４６号公報
【特許文献３】特開平７−３３６７２９号公報
【発明の概要】
【発明が解決しようとする課題】
【００２０】
上記従来技術における課題に鑑み、本発明は、立体映像表示（３Ｄ表示）と非立体映像表示（２Ｄ表示）との間の切り換えをスムーズに行うことができる装置を提供することを目的とする。
【課題を解決するための手段】
【００２１】
本発明の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像出力フォーマットにしたがい出力している際に、受信部が、コンテンツの映像表示を非３Ｄ表示にする指示を受け付けた場合、ＡＶ処理部は、コンテンツのデータから、非３Ｄ映像信号を構成し、出力部は、非３Ｄ映像信号を映像表示装置へ３Ｄ映像出力モードにしたがい出力する、映像再生装置である。【００２２】
本発明の一態様においては、さらに、ユーザが映像表示装置に対して入力した指示を映像表示装置から受信する入力部を有し、出力部が３Ｄ映像信号を３Ｄ映像出力モードにしたがい出力している際に、入力部が、映像表示装置の映像表示を３Ｄ表示から非３Ｄ表示へ切り換える指示を入力した場合、ＡＶ処理部は、コンテンツのデータから非３Ｄ映像の映像信号を構成し、出力部は、非３Ｄ映像信号を映像表示装置へ３Ｄ映像出力モードにしたがい出力することが好ましい。【００２３】
本発明の一態様においては、ＡＶ処理部は、コンテンツのデータに含まれるコンテンツ識別情報から、コンテンツが３Ｄコンテンツであるか非３Ｄコンテンツであるかを判別し、出力部が３Ｄ映像信号を３Ｄ映像出力モードにしたがい出力している際に、受信部が、再生すべきコンテンツをコンテンツから別のコンテンツに切り換える指示を受け付け、かつ、ＡＶ処理部が、別のコンテンツは非３Ｄコンテンツであると判別した場合、ＡＶ処理部は、別のコンテンツのデータから非３Ｄ映像信号を構成し、出力部は、非３Ｄ映像信号を映像表示装置へ３Ｄ映像出力モードにしたがい出力することが好ましい。【００２４】
本発明の一態様においては、ＡＶ処理部は、記憶媒体に記憶されているコンテンツのデータおよびコンテンツ識別情報を入力することが好ましい。【００２５】
本発明の一態様においては、ＡＶ処理部は、映像再生装置の外部から受信したコンテンツのデータおよびコンテンツ識別情報を入力することが好ましい。【００２６】
本発明の一態様においては、別のコンテンツは、非３Ｄコンテンツを含むデータ放送であることが好ましい。【００２７】
本発明の一態様においては、３Ｄ映像信号は、視差を有する左目用の映像である左目映像と右目用の映像である右目映像を含み、出力部が３Ｄ映像信号を３Ｄ映像出力フォーマットにしたがい出力している間に、受信部が、コンテンツの映像表示を非３Ｄ表示にする指示を受け付けた場合、ＡＶ処理部は、非３Ｄ映像の映像信号を、左目映像および右目映像のいずれか一方のみを含むように構成することが好ましい。【００２８】
本発明の別の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像信号出力フォーマットにしたがい出力している際に、受信部が、コンテンツを特殊再生する指示を受け付けた場合、ＡＶ処理部は、コンテンツのデータから、非３Ｄ映像信号を構成し、出力部は、非３Ｄ映像信号を映像表示装置へ３Ｄ映像出力フォーマットにしたがい出力する、映像再生装置である。【００２９】
本発明の別の一態様においては、特殊再生は、コンテンツの早送りまたは早戻し再生を含むことが好ましい。【００３０】
本発明のさらに別の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、立体映像であることを示す情報が重畳された３Ｄ映像信号または立体映像であることを示す情報が重畳されない非３Ｄ映像信号を構成するＡＶ処理部と、ＡＶ処理部で構成された３Ｄ映像信号または非３Ｄ映像信号を、非立体映像表示用の映像信号を出力するためのフォーマットである非３Ｄ映像出力フォーマットにしたがい、映像表示装置へ出力する出力部と、ユーザが入力する指示を受け付ける受信部と、を備え、
ＡＶ処理部は、１）コンテンツのデータに含まれるコンテンツ識別情報から、コンテンツが３Ｄコンテンツであるか非３Ｄコンテンツであるかを判別し、２）コンテンツが３Ｄコンテンツであると判別した場合には、コンテンツのデータから、３Ｄ映像信号を非３Ｄ映像出力フォーマットにしたがい構成し、３）コンテンツが非３Ｄコンテンツであると判別した場合には、コンテンツのデータから、非３Ｄ映像の映像信号を非３Ｄ映像出力フォーマットにしたがい構成し、
出力部が非３Ｄ映像信号を非３Ｄ映像出力モードで出力している際に、受信部が、再生すべきコンテンツをコンテンツから別のコンテンツに切り換える指示を受け付け、かつ、ＡＶ処理部が、別のコンテンツは３Ｄコンテンツであると判別した場合、ＡＶ処理部は、別のコンテンツのデータから３Ｄ映像信号を構成し、出力部は、３Ｄ映像信号を映像表示装置へ非３Ｄ映像出力フォーマットにしたがい出力する、映像再生装置である。【００３１】
本発明のさらに別の一態様においては、ＡＶ処理部は、コンテンツは非３Ｄコンテンツであると判別した場合には、非立体映像であることを示す情報が重畳された非立体映像表示用の非３Ｄ映像の映像信号を構成することが好ましい。【００３２】
本発明のさらに別の一態様は、コンテンツのデータを入力し、コンテンツのデータから、立体映像表示を可能とする３Ｄ映像信号、または、非立体映像表示を可能とする非３Ｄ映像信号を構成するデコーダ部と、コンテンツの映像表示に関する指示を受け付けて、当該指示にもとづいて、デコーダ部に対し、３Ｄ映像信号を構成するか非３Ｄ映像信号を構成するかを指示する３Ｄ／非３Ｄ指示部と、デコーダ部が構成した映像信号を、立体映像表示用の映像信号を出力するためのフォーマットである３Ｄ映像出力フォーマットにしたがい出力する信号出力部と、を有する半導体装置である。【００３３】
本発明のさらに別の一態様は、立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、ＡＶ処理部が、コンテンツのデータを入力するステップと、ＡＶ処理部が、コンテンツのデータから、３Ｄ映像信号を、映像表示装置へ３Ｄ映像の映像信号を出力するための出力モードである３Ｄ映像信号出力モードに適合したフォーマットで構成して、出力部が、ＡＶ処理部から映像信号を受け、映像表示装置に対し、３Ｄ映像信号を、３Ｄ映像信号出力モードで出力するステップと、受信部が、ユーザが入力するコンテンツの映像表示を３Ｄ表示から非３Ｄ表示へ切り換える指示を受け付けるステップと、受け付けるステップの後に、ＡＶ処理部が、当該指示を受けて非３Ｄ映像信号を構成して、出力部が、非３Ｄ映像信号を映像表示装置に対して３Ｄ映像信号出力モードで出力するステップと、を有する、映像再生装置において映像信号を構成し映像表示装置へ出力する方法である。
【発明の効果】
【００３４】
本発明の一態様による映像再生装置によれば、立体映像表示（３Ｄ表示）と非立体映像表示（２Ｄ表示）との間の切り換えをスムーズに行うことができる。
【図面の簡単な説明】
【００３５】
【図１】実施の形態による映像再生装置を備えた３Ｄ映像再生表示システムの構成図
【図２】実施の形態による映像表示装置の構成図
【図３】実施の形態による映像再生装置の構成図
【図４】実施の形態による映像再生装置における立体映像表示と非立体映像表示との切換処理のフローチャート
【図５】実施の形態による映像再生装置がＨＤＭＩ  Ｖｅｒ１．４に準じたフォーマットで送出する立体映像表示用映像信号および非立体映像表示用映像信号の模式図
【図６】実施の形態２による映像再生装置における特別再生用立体／非立体映像表示切換処理のフローチャート
【図７】実施の形態３による映像再生装置におけるコンテンツ変更時立体／非立体映像表示切換処理のフローチャート
【図８】実施の形態１〜４による映像再生装置の第２のＡＶ処理部の詳細ブロック図
【図９】立体映像におけるデプスを説明する概念図
【図１０】映像に重畳される付加情報のオフセット量を説明する図
【図１１】プレーン合成モデルを説明する図
【図１２】実施の形態５による映像再生装置におけるオフセット量調整処理のフローチャート
【図１３】実施の形態５による映像再生装置の第２のＡＶ処理部の詳細ブロック図
【図１４】従来技術による映像再生装置の３Ｄ／２Ｄ切換処理のフローチャート
【図１５】従来技術による映像再生装置が送出する３Ｄ映像信号および２Ｄ映像信号の模式図
【発明を実施するための形態】
【００３６】
以下、実施の形態について、詳細に説明する。
【００３７】
実施の形態において、「３Ｄ映像信号」とは、映像表示装置において立体映像表示（３Ｄ映像表示）可能な映像信号を指す。また、「２Ｄ映像信号（非３Ｄ映像信号）」とは、映像表示装置において非立体映像表示（２Ｄ映像表示）可能な映像信号を指す。
【００３８】
実施の形態において、「３Ｄ映像出力モード」とは、映像再生装置から映像表示装置に対して、たとえば、１フレーム分の映像信号として、左目映像（左目用の映像）と右目映像（右目用の映像）とを出力する出力モードである（図１５（ａ）参照。）。また、映像再生装置と映像表示装置とを結ぶ伝送路において当該「３Ｄ映像出力モード」で映像信号を伝送することに適合した映像信号のフォーマットを３Ｄ映像出力モード用のフォーマットと称する。映像表示装置は、３Ｄ映像出力モードのフォーマットで送られてきた映像信号を受信することにより、１フレーム分の映像信号から、１フレームを構成する映像として左目映像および右目映像を表示することができる。一方、「２Ｄ映像出力モード」とは、１フレーム分の映像信号に単一の映像を有する通常の映像信号を出力する出力モードである（図１５（ｂ）参照。）。映像表示装置は、２Ｄ映像出力モードのフォーマットで送られてきた映像信号を受信することにより、１フレーム分の映像信号から、１フレームを構成する映像として単一の映像を再生することができる。
【００３９】
実施の形態においては、映像表示装置は、１フレーム分の映像として複数の映像（左目映像と右目映像）を表示することにより立体映像を表示するように動作する映像表示モード（「３Ｄ表示モード」）と、１フレーム分の映像として単一の映像を表示することにより非立体映像を表示するように動作する映像表示モードを「２Ｄ（非３Ｄ）表示モード」と、を有する。映像表示装置は、３Ｄ表示モードにあっては、たとえば、１フレーム分の映像として左目映像および右目映像を表示するように動作することができ、２Ｄ表示モードにあっては、たとえば、１フレーム分の映像として単一の映像を表示するように動作することができる。
【００４０】
（実施の形態１）
本実施の形態は、放送波、光ディスク、ハードディスク、といった媒体（映像ソース）に含まれる映像データに基づいて映像信号を構成して映像表示装置へ送出する映像再生装置である。本実施の形態にかかる装置は、映像表示装置において立体映像表示可能な映像信号（３Ｄ映像信号）、および、非立体（２Ｄ）映像表示可能な映像信号（２Ｄ映像信号）を該映像表示装置へ送出することができ、かつ、映像表示装置における立体映像表示と非立体映像表示との間の切換えをスムーズに完了させることができる、映像再生装置である。
【００４１】
本実施の形態による映像再生装置は、３Ｄコンテンツを、映像表示装置において３Ｄ表示モードで再生中に、当該映像表示モードを２Ｄ表示モードに切り換える指示を受け取ると、３Ｄ映像を構成する２つの映像（左目映像と、それに対応する右目映像）のいずれか一方の映像のみで３Ｄ映像信号を構成して該３Ｄ映像信号を、３Ｄ映像信号用の出力モードで映像表示装置に対して出力することができる。そして、このようにして構成された３Ｄ映像信号を受けた映像表示装置は、３Ｄ表示モードで継続して動作し、当該３Ｄ映像信号に基づき映像を表示することで、３Ｄコンテンツを２Ｄ表示することが可能となる。このようにすることで、本映像再生装置は、従来必要であった映像再生装置と映像表示装置との間の相互認証をすることなく、映像表示装置における映像表示を３Ｄ映像表示から２Ｄ映像表示に切り換えることができる。このような構成により、本映像再生装置は、映像表示装置における立体映像表示（３Ｄ表示）と非立体映像表示（２Ｄ表示）との間の切り換えをスムーズに行うことが可能になっている。
【００４２】
１．３Ｄ映像再生表示システムの構成
実施の形態１による映像再生装置について、図１〜５を用いて説明する。図１は、実施の形態１による映像再生装置１２を備えた３Ｄ映像再生表示システムの全体構成図である。図１において、映像表示装置１１は、３Ｄ映像を表示するディスプレイなどの表示装置である。映像再生装置１２は、光ディスク等の記憶媒体、インターネット等のネットワ−ク、および、放送波などから映像信号を受け取り、３Ｄ映像信号を構成して出力する装置である。立体メガネ１３は、映像表示装置１１が表示する３Ｄ映像を左目映像と右目映像に分離する液晶シャッターを備えた偏光メガネである。
【００４３】
図２は、実施の形態１における映像表示装置１１の構成図である。映像表示装置１１の第１の入出力部１０１は、図１の映像再生装置１２の出力を受けることができる。第１の入出力部１０１は、ＨＤＭＩ（High Definition Multimedia Interface）  Ｖｅｒ１．４対応の信号入力部などで構成されればよい。第１のＡＶ処理部１０２は、第１の入出力部１０１の出力を受けて映像及び音声信号を処理して表示部１０３を駆動するための駆動信号を生成する。表示部１０３は、第１のＡＶ処理部１０２の出力を受けて３Ｄ映像を表示する。第１のリモコン信号受信部１０４は、ユーザが操作する映像表示装置用リモコンの信号を受け付ける。送信部１０５は、第１のＡＶ処理部１０２の出力に応じて、図１の立体メガネ１３に対して、左目映像（Ｌ）或いは右目映像（Ｒ）のどちらの映像を遮断するかを切り換える同期信号を送信する。この同期信号は、一般的には、赤外線信号などを使って送信される。
【００４４】
図３は、実施の形態１における映像再生装置１２の構成を示す。図３において、ディスク２００は、３Ｄ映像ストリーム信号等を記録する光ディスクやＨＤＤなどの記録媒体であればよい。ディスク２００には、例えば、ビデオ映像、グラフィックス映像、字幕映像などの映像データ及び音声データが、圧縮されたストリーム信号として記録されている。ディスク２００には、３Ｄコンテンツが記録されている場合もありうるし、２Ｄコンテンツが記録されている場合もありうる。ディスクドライブ部２０１は、ディスク２００に記録されたストリーム信号を読み出す。アンテナ２０６は、放送電波を受信するためのアンテナである。チューナ２０７は、アンテナ２０６で受信された放送電波をデジタルの映像ストリーム信号（ビデオ、音声、グラフィックス、字幕など）に変換する復調器であればよい。チューナ２０７で復調されるコンテンツは、３Ｄ映像のストリームであっても良いし、２Ｄ映像のストリームであってもよい。
【００４５】
第２のＡＶ処理部２０２は、ディスクドライブ部２０１やチューナ２０７から得られた映像ストリーム信号を映像データへ変換する。映像ストリームが３Ｄ映像のストリームであれば、第２のＡＶ処理部２０２は、左目映像及び右目映像が多重化された３Ｄ映像信号を出力する。第２の入出力部２０３は、第２のＡＶ処理部２０２から受けた３Ｄ映像信号を図１の映像表示装置１１に出力する。第２の入出力部２０３は、ＨＤＭＩ  Ｖｅｒ１．４対応の信号出力部などで構成されればよい。通常、３Ｄ映像信号を出力する場合には、表示装置１１の第１の入出力部１０１との間の伝送路上のフォーマットは３Ｄ映像信号用の出力モードで出力される。また、２Ｄ映像信号を出力する場合には、映像表示装置１１の第１の入出力部１０１との間の伝送路上のフォーマットは２Ｄ映像信号用の出力モードで出力されてよい。なお、第２の入出力部２０３は、出力部としてのみならず、映像表示装置１１の出力を受信する入力部としても機能することができる。
【００４６】
第２のリモコン信号受信部２０５は、ユーザが操作する映像再生装置用リモコンの信号による映像再生装置１２に対する制御指示を受信する。ＣＰＵ２０４は、第２のリモコン信号受信部２０５から受けたユーザ操作指令を受けて、ディスクドライブ部２０１、第２のＡＶ処理部２０２、第２の入出力部２０３、チューナ２０７等を制御する。
【００４７】
このように構成されたシステムにおいて、映像再生装置１２は、ユーザのリモコン操作に応じて、記録媒体やネットワーク、放送等から３Ｄビデオストリームを読み出して再生し、左目映像の映像信号と右目映像の映像信号を多重化して図１の映像表示装置１１に出力する。映像表示装置１１は、入力した左目映像と右目映像とをディスプレイ上で時分割表示し、この時、時分割の切り換えタイミングを、赤外線による同期信号として図１の立体メガネ１３へ伝える。立体メガネ１３は、映像表示装置１１から受けた同期信号に応じて液晶シャッタの透過率を切換え、メガネの左目側或いは右目側の何れかの視野を交互に遮断することにより、左目映像を左目だけに提示し、また右目映像を右目だけに提示する。このようにして３Ｄ立体視が実現される。
【００４８】
２．３Ｄ−２Ｄ映像表示切り換え動作
次に、図４および図５を参照し、実施の形態１による映像再生装置がする３Ｄ映像再生と２Ｄ映像再生との間の切り換え動作について説明する。
【００４９】
本映像再生装置１２は、コンテンツが３Ｄ映像ストリームからなる３Ｄコンテンツであっても、２Ｄ映像として映像表示装置１１に表示させることが可能である。そして、ユーザは、リモコン等の指示手段を用いて、第２のＡＶ処理部２０２が再生するコンテンツの映像について、３Ｄ映像表示から２Ｄ映像表示に切り換える指示を映像再生装置１２に送ることができる。図４は、映像再生装置１２が映像表示モードを３Ｄ−２Ｄ間で切り換える指示を受け取った場合に、映像再生装置１２がする処理のフローチャートである。
【００５０】
映像再生装置１２は、映像表示モードが３Ｄ表示モードである場合、３Ｄコンテンツの３Ｄ映像ストリーム信号から３Ｄ映像信号を構成し、当該３Ｄ映像信号を３Ｄ映像信号用の出力モードで、つまり３Ｄフォーマットで出力し、映像表示装置１１は、当該３Ｄ映像信号に基づいて３Ｄ映像を表示する（Ｓ２０１）。この時、映像再生装置１２の第２の入出力部２０３と映像表示装置１１の第１の入出力部１０１との間のＨＤＭＩインターフェースのモード（機器間の伝送路上のフォーマット）は３Ｄ映像信号用の出力モードである。
【００５１】
図５（ａ）に、ステップＳ２０１のように、コンテンツの映像表示モードが３Ｄ表示モードである場合にコンテンツの３Ｄ映像信号の送出に使用されるフォーマットを示す。フォーマット＠Ｓ１０１に示すように、３Ｄ映像信号用の出力モードでは、例えば、左目映像（Ｌ  ｏｄｄ、Ｌ  ｅｖｅｎ）と右目映像（Ｒ  ｏｄｄ、Ｒ  ｅｖｅｎ）とが交互に送出される。
【００５２】
その後、映像再生装置１２は、ユーザからリモコン等を通じてコンテンツの映像表示モードを２Ｄ表示モードに切り換える旨の指示を受け取ったか否かを判断する（Ｓ２０２）。より具体的には、第２のリモコン信号受信部２０５が受信した信号の内容がＣＰＵ２０４へ送られ、ＣＰＵ２０４は、当該信号に、コンテンツの映像表示モードを３Ｄ表示モードから２Ｄ表示モードへ切り換える旨の指示が含まれるか否かを判断し、含まれると判断した場合（ステップＳ２０２における「ＹＥＳ」）、処理はステップＳ２０３へ移行する。
【００５３】
なお、ステップＳ２０２で判断される指示は、リモコン等を介して映像再生装置１２へ入力されることとしているが、当該指示はリモコン以外の手段によって映像再生装置１２へ入力されてもよい。例えば、当該指示は、映像表示装置用リモコンから映像表示装置１１を介して映像再生装置１２へ入力されてもよい。
【００５４】
映像再生装置１２がコンテンツの映像表示モードを３Ｄ表示モードから２Ｄ表示モードへ切り換える旨の指示を受信した場合、ＣＰＵ２０４は、第２のＡＶ処理部２０２に対し、３Ｄ映像信号用の出力モードのフォーマットで映像表示装置１１へ出力可能でありかつそのようにして出力された映像信号が映像表示装置１１によって表示された場合に２Ｄ（非立体）映像として表示されるような映像信号を、３Ｄ映像ストリーム信号から構成するよう指示を送る（Ｓ２０３）。そのような映像信号は、例えば、左目映像とそれに対応する右目映像とが多重化されて構成されており、多重化された左目映像とそれに対応する右目映像とに視差が含まれないような映像信号であればよい。例えば、多重化された左目映像とそれに対応する右目映像とが同じであればよい。以下に本ステップにおける映像信号の出力にかかるフォーマットについて詳述する。
【００５５】
再度図５（ｂ）に、映像再生装置１２が、３Ｄ映像信号用の出力モードのフォーマットで非立体（２Ｄ）映像信号を出力する際に用いるフォーマットの例（フォーマット＠Ｓ２０３）を示す。
【００５６】
フォーマット＠Ｓ２０３は、フォーマット＠Ｓ１０１との比較において、時分割的に出力される映像の内容が異なっており、その他の点において同一であってよい。つまり、フォーマット＠Ｓ２０３では、ＨＤＭＩ  Ｖｅｒ１．４に準じた３Ｄ映像信号用の出力モードのフォーマットで、左目映像あるいは右目映像のみが出力される。
【００５７】
すなわち、フォーマット＠Ｓ１０１では、送信される映像信号は「Ｌ  ｏｄｄ」「Ｒ  ｏｄｄ」「Ｌ  ｅｖｅｎ」「Ｒ  ｅｖｅｎ」であったのに対し、フォーマット＠Ｓ２０３では、送信される映像信号は「Ｌ  ｏｄｄ」「Ｌ  ｏｄｄ」「Ｌ  ｅｖｅｎ」「Ｌ  ｅｖｅｎ」のように、左目映像（Ｌ）のみ（あるいは、右目映像（Ｒ）のみ）が送信される。
【００５８】
第２の入出力部２０３は、ステップＳ２０１ではフォーマット＠Ｓ１０１のようなフォーマットで３Ｄ表示モードのための映像信号を出力し、そして、ステップＳ２０３ではフォーマット＠Ｓ２０３のようなフォーマットで２Ｄ表示モードのための非３Ｄ（２Ｄ）映像信号を出力する。このとき、第２のＡＶ処理部２０２は以下のように動作する。
【００５９】
すなわち、ステップＳ２０１では、第２のＡＶ処理部２０２は、３Ｄ映像信号用の出力モードで３Ｄ映像信号を出力するために、第２の入出力部２０３に対し左目映像（Ｌ）と右目映像（Ｒ）を出力する。具体的には、「Ｌ  ｏｄｄ」「Ｒ  ｏｄｄ」「Ｌ  ｅｖｅｎ」「Ｒ  ｅｖｅｎ」を出力する。
【００６０】
一方、ステップＳ２０３では、３Ｄ映像信号用の出力モードのまま映像信号を第２の入出力部２０３から出力可能でありかつ当該映像信号に基づいて映像表示装置１１が映像を表示した場合に非立体（２Ｄ）映像として表示されるように、第２のＡＶ処理部２０２は、左目映像（Ｌ）のみを選択的に第２の入出力部２０３へ出力する。具体的には、「Ｌ  ｏｄｄ」「Ｌ  ｏｄｄ」「Ｌ  ｅｖｅｎ」「Ｌ  ｅｖｅｎ」を出力する。
【００６１】
このように、ステップＳ２０３では、映像再生装置１２は、３Ｄ映像信号用の出力モードのフォーマットにおいて右目映像（Ｒ）が送出されるべきタイミングにも、左目映像（Ｌ）を送出する。そうすることで、ユーザには左右どちらの目にも同一の映像が提示されることとなり、その結果として、視差が無くなり、ユーザは映像表示装置１１に表示される映像を非３Ｄ（２Ｄ）映像として認識する。
【００６２】
そうすることで、映像再生装置１２では、第２のＡＶ処理部２０２は、ＨＤＭＩの映像信号出力モードを変更すること無く、つまり、３Ｄ映像信号用の出力モードのフォーマットで、ユーザが２Ｄ映像として見ることができる映像信号を映像表示装置１１に対して送出する。
【００６３】
なお、本実施の形態では第２のＡＶ処理部２０２は左目映像（Ｌ）のみを選択して出力しているが、右目映像（Ｒ）のみを選択的に出力してもよい。
【００６４】
つまり、実施の形態１の映像再生装置１２は、第２のＡＶ処理部２０２と、第２の入出力部２０３と、リモコン信号受信部２０５と、を有する。ここで、第２のＡＶ処理部２０２は、立体（３Ｄ）コンテンツの映像ストリーム信号を受けて、当該立体（３Ｄ）コンテンツの３Ｄ表示モード用の映像信号および２Ｄ表示モード用の映像信号を構成することができる。第２のＡＶ処理部２０２が構成する３Ｄ表示モード用の映像信号および２Ｄ表示モード用の映像信号はいずれも、３Ｄ映像信号用の出力モード（ＨＤＭＩインターフェースのモード）で認証された伝送路を介して映像表示装置へ出力可能なフォーマットを備えている。つまり、３Ｄコンテンツの３Ｄ映像ストリーム信号に基づき第２のＡＶ処理部２０２が構成する２Ｄ表示モード用の映像信号は、ユーザの左目に提示される映像と、当該映像に対応しユーザの右目に提示される映像とを含み、両映像は視差を含まない。つまり、映像表示装置１１が２Ｄ表示モード用の映像信号を表示した場合、映像は２Ｄ映像として表示される。また、第２の入出力部２０３は、映像表示装置１１と接続され映像表示装置１１に映像信号を伝送可能な伝送路に接続可能であり、当該伝送路は、映像表示装置１１に入力される映像信号のフォーマットが切り換える際に映像表示装置１１との間で相互認証を行うことを要求する伝送路であってよい。また、第２のリモコン信号受信部２０５は、ユーザがリモコンに対して入力した指示内容を受信することができる。第２のＡＶ処理部２０２は、機器間の伝送路上のフォーマットが立体（３Ｄ）映像フォーマットで認証されている際に第２のリモコン信号受信部２０５が映像表示モードを３Ｄ表示モードから２Ｄ表示モードへ切り換える旨の指示を受信した場合、立体（３Ｄ）コンテンツの映像ストリーム信号から、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力する。
【００６５】
言い換えれば、本実施の形態による映像再生装置１２は、映像表示装置１１に対し、映像表示装置１１との間の伝送路のフォーマット（ＨＤＭＩインターフェースのモード）として３Ｄ映像信号用の出力モードに対応したフォーマットを用いて、３Ｄ映像信号、および、非３Ｄ（２Ｄ）映像信号を出力することが可能である。映像再生装置１２においては、３Ｄ映像信号出力および非３Ｄ（２Ｄ）映像信号出力の切り換えは、映像再生装置１２のリモコン等の指示手段からの指示を受信して当該指示に従って行うことができる。また、映像再生装置１２は、上記３Ｄ／非３Ｄ（２Ｄ）映像信号出力の切り換えを、映像再生装置１２のリモコン以外からの指示に従って行うこともできる。例えば、映像再生装置１２は、映像表示装置１１のリモコンからの指示を、映像表示装置１１および伝送路（ＨＤＭＩ  インタフェース）を介して受け取り、当該指示に従って上記３Ｄ／非３Ｄ（２Ｄ）映像信号出力の切り換えを行うことが可能である。
【００６６】
実施の形態１の映像再生装置１２は、立体映像表示を可能とする３Ｄ映像信号または非立体映像表示を可能とする非３Ｄ映像信号（２Ｄ映像信号）を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２の入出力部２０３が３Ｄ映像信号を３Ｄ映像出力フォーマットにしたがい出力している際に、第２のリモコン信号受信部２０５が、コンテンツの映像表示を非３Ｄ表示にする指示を受け付けた場合、第２のＡＶ処理部２０２は、コンテンツのデータから、非３Ｄ映像信号を構成し、第２の入出力部２０３は、非３Ｄ映像信号を映像表示装置へ３Ｄ映像出力モードにしたがい出力する。
【００６７】
以上のように、本実施の形態による映像再生装置１２によれば、ユーザから３Ｄ映像表示を２Ｄ映像表示に切り換える指示を受けた場合であっても、ＨＤＭＩインターフェースのフォーマット変更に起因する再認証を行わないため、該再認証に起因する映像の途切れを防止することができる。従って、ユーザは３Ｄコンテンツの映像表示モードを３Ｄ映像表示モードから２Ｄ映像表示モードに切り換えた場合であっても、ＨＤＭＩインターフェースの再認証に起因する映像の途切れ無しにコンテンツを視聴することができる。
【００６８】
なお、映像再生装置１２によれば、３Ｄ表示から２Ｄ表示に切り換える際に、当該切り換えのための処理を一切必要としない。そうすることで、映像再生装置１２は、当該切り換えのためのあらゆる種類の処理に起因する映像の途切れ無しにコンテンツを再生することができる。
【００６９】
（実施の形態２）
次に、実施の形態２の映像再生装置ついて説明する。実施の形態２の映像再生装置は、実施の形態１の映像再生装置と同等の構成および機能を有し、さらに、映像の早送りや早戻し等の特殊再生に関し、以下の動作を行う。
【００７０】
３Ｄ映像のコンテンツを再生している時に、早送り・早戻しなどの特殊再生を３Ｄ映像のまま行うと、眼精疲労などユーザに疲労感を与える場合がある。
【００７１】
これを防ぐため、実施の形態２による映像再生装置では、３Ｄ映像のコンテンツを、映像表示装置において３Ｄ表示モードで再生している際に上記の特殊再生をする場合には、特殊再生実行中は自動的に映像表示を２Ｄ表示に切り換えて特殊再生を行う。言うまでもなく、当該自動的表示切換においても、立体映像表示（３Ｄ表示）と非立体映像表示（２Ｄ表示）との間の切り換えはスムーズに行われる。
【００７２】
図６は、映像再生装置１２が、３Ｄ映像ストリーム信号を含んだコンテンツを３Ｄ表示モードで通常再生している際に特殊再生を行う場合に、当該コンテンツの映像表示を２Ｄ表示に自動的に切り換えて特殊再生を行うための処理に関するフローチャートである。
【００７３】
映像再生装置１２は、３Ｄコンテンツの３Ｄ映像ストリーム信号から３Ｄ映像信号を構成し、図５（ａ）のフォーマット＠Ｓ１０１のような３Ｄフォーマットで出力し、映像表示装置１１は、当該３Ｄ映像信号に基づいて３Ｄ映像を表示する（Ｓ３０１）。この時、映像再生装置１２の第２の入出力部２０３と映像表示装置１１の第１の入出力部１０１との間のＨＤＭＩインターフェースのモード（機器間の伝送路上のフォーマット）は３Ｄ映像信号用の出力モード（３Ｄフォーマット）である。
【００７４】
映像再生装置１２は、３Ｄ映像再生中にユーザからの特殊再生の指示を受信したか否かを判断する（Ｓ３０２）。具体的には、第２のリモコン信号受信部２０５でリモコンの送出した信号を受信し、受信した信号の内容をＣＰＵ２０４へ伝える。ＣＰＵ２０４は、受信した信号が特殊再生の指示であるか否かを判断する。
【００７５】
特殊再生の指示を受信した場合（ステップＳ３０２における「ＹＥＳ」）、ＣＰＵ２０４は、第２のＡＶ処理部２０２に対し、３Ｄ映像用の出力モードで映像表示装置１１へ出力可能でありかつ当該映像信号が映像表示装置１１において表示された場合に非立体（２Ｄ）映像として表示されるように、３Ｄ映像ストリーム信号から映像信号を構成し、コンテンツを特殊再生するよう指示を送る（Ｓ２０９）。本ステップにおいて映像信号は、例えば、実施の形態１のステップＳ２０３と同様、図５（ｂ）のフォーマット＠Ｓ２０３の形式で構成されればよい。
【００７６】
このように、ステップＳ３０３では、３Ｄ映像信号用の出力モードのフォーマットにおいて右目映像（Ｒ）が送出されるべきタイミングにも、左目映像（Ｌ）を送出することで、ユーザは左右どちらの目にも同一の映像を見ることとなり、その結果として、視差が無くなり、ユーザは映像表示装置１１に特殊再生表示される映像を非３Ｄ（２Ｄ）映像として認識する。このように、映像再生装置１２は、コンテンツを映像表示装置において３Ｄ表示モードで再生中に特殊再生の指示を受信すると、映像表示を３Ｄ表示から２Ｄ表示へと切り換える。そのため、ユーザは、３Ｄ映像の特殊再生に起因する疲労感を覚えにくくなる。
【００７７】
その後、映像再生装置１２は、特殊再生中にユーザからの通常再生の指示を受信したか否かを判断する（Ｓ３０４）。具体的には、第２のリモコン受信部２０５でユーザが操作するリモコン等が送出した信号を受信し、受信した信号の内容をＣＰＵ２０４へ伝える。ＣＰＵ２０４は、受信した信号が通常再生の指示であるか否かを判断する。
【００７８】
通常再生の指示を受信した場合（ステップＳ３０４における「ＹＥＳ」）、ＣＰＵ２０４は、第２のＡＶ処理部２０２に対し、３Ｄ映像用の出力モードで映像表示装置１１へ出力可能でありかつ当該映像信号が映像表示装置１１において表示された場合に立体（３Ｄ）映像として表示されるように、３Ｄ映像ストリーム信号から映像信号を構成し、コンテンツを通常再生するよう指示を送る（Ｓ３０５）。本ステップにおいて映像信号は、例えば、実施の形態１のステップＳ１０１と同様、図５（ａ）のフォーマット＠Ｓ１０１の形式で構成されればよい。つまり、映像再生装置１２は、ステップＳ３０５においては、ステップＳ３０１（Ｓ１０１）と同様にして映像信号を構成して出力する。
【００７９】
このように、実施の形態２の映像再生装置１２は、第２のＡＶ処理部２０２と、第２の入出力部２０３と、第２のリモコン信号受信部２０５と、を有する。ここで、第２のＡＶ処理部２０２、第２の入出力部２０３、および、第２のリモコン信号受信部２０５は、実施の形態１の第２のＡＶ処理部２０２、第２の入出力部２０３、および、第２のリモコン信号受信部２０５と同等の構成および機能を有するように構成されてよい。さらに、実施の形態２の第２のＡＶ処理部２０２は、機器間の伝送路上のフォーマットが立体（３Ｄ）映像フォーマットで認証されている際に第２のリモコン信号受信部２０５が特殊再生の指示を受信した場合、立体（３Ｄ）コンテンツの映像ストリーム信号を、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力することができる。
【００８０】
言い換えれば、実施の形態２による映像再生装置１２は、映像表示装置１１に対し、映像表示装置１１との間の伝送路のフォーマット（ＨＤＭＩインターフェースのモード）として３Ｄ映像信号用の出力モードに対応したフォーマットを用いて、３Ｄ映像信号、および、非３Ｄ（２Ｄ）映像信号を出力することが可能である。３Ｄ映像信号出力および非３Ｄ（２Ｄ）映像信号出力の切り換えは、映像再生装置１２のリモコン等の指示手段からの通常再生／特殊再生の指示に従って自動的に行うことができる。また、映像再生装置１２は、上記３Ｄ／非３Ｄ（２Ｄ）映像信号出力の切り換えを、映像再生装置１２のリモコン以外からの指示に従って行うこともできる。例えば、映像再生装置１２は、映像表示装置１１のリモコンからの指示を、映像表示装置１１および伝送路（ＨＤＭＩ  インタフェース）を介して受け取り、当該指示に従って上記３Ｄ／非３Ｄ（２Ｄ）映像信号出力の切り換えを行うことが可能である。
【００８１】
実施の形態２の映像再生装置１２は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２の入出力部２０３が３Ｄ映像信号を３Ｄ映像信号出力フォーマットにしたがい出力している際に、第２のリモコン信号受信部２０５が、コンテンツを特殊再生する指示を受け付けた場合、第２のＡＶ処理部２０２は、コンテンツのデータから、非３Ｄ映像信号を構成し、第２の入出力部２０３は、非３Ｄ映像信号を映像表示装置１１へ３Ｄ映像出力フォーマットにしたがい出力する。
【００８２】
以上、本実施の形態によれば、３Ｄ映像表示での特殊再生による眼精疲労等を避けるため、特殊再生時には２Ｄ表示に自動的に切り換える映像再生装置において、ユーザが３Ｄ映像の通常再生から特殊再生へ切り換えた場合及び特殊再生から３Ｄ映像の通常再生へ切り換えた場合であっても、ＨＤＭＩインターフェースの再認証に起因する映像の途切れを防止することができる。従って、ユーザは３Ｄ映像の通常再生から特殊再生へ切り換えた場合であっても、ＨＤＭＩインターフェースの再認証に起因する映像の途切れ無しにコンテンツを視聴することができ、かつ、眼に疲労感を覚えにくい。
【００８３】
（実施の形態３）
次に、実施の形態３による映像再生装置について説明する。実施の形態３による映像再生装置は、実施の形態１または２による映像再生装置１２と同等の構成および機能を有し、さらに、再生すべきコンテンツが３Ｄコンテンツと２Ｄコンテンツとの間で切り換わった場合に、以下の動作を行う。
【００８４】
放送波を受信して再生する場合、ユーザがリモコン操作等により再生すべきチャンネルを切り換えることでコンテンツ（この場合は放送されるプログラム（番組））自体が３Ｄコンテンツと２Ｄコンテンツとの間で切り換わることがある。
【００８５】
従来の映像再生装置においては、上述のような場合においても、ＨＤＭＩインターフェースの再認証に起因する映像の途切れが生じる場合があった。本実施の形態による映像再生装置は、この問題を解決し、コンテンツ自体が３Ｄと２Ｄとの間で切り換わった場合であっても、ＨＤＭＩインターフェースの再認証を回避してスムーズな映像再生を実現する。
【００８６】
図７は、映像再生装置１２が、３Ｄ放送のプログラムを受信し３Ｄ映像として再生している際に再生すべきプログラムが２Ｄ放送のプログラムに切り替えられた場合に、当該２Ｄ放送のプログラムの再生動作に関するフローチャートである。この動作は、例えば、ユーザによるリモコン操作によって再生すべきチャンネルを切り換えられたときに実行される。
【００８７】
映像再生装置１２は、３Ｄ放送のプログラム（３Ｄコンテンツ）を受信し、３Ｄ映像信号を構成し、３Ｄ映像信号を映像表示装置１１へ送出し、映像表示装置１１は、当該３Ｄ映像信号に基づいて３Ｄ映像を表示する（Ｓ４０１）。本例では、映像再生装置１２は、放送波からコンテンツ（プログラム）を受信している。従って、映像表示装置１１が表示する映像は、アンテナ２０６及びチューナ２０７を通じて受信したコンテンツ（プログラム（番組））である。この時、映像表示装置１１の第１の入出力部１０１と映像再生装置１２の第２の入出力部２０３との間の伝送路であるＨＤＭＩインターフェースは３Ｄ映像信号用の出力モードで認証が既に完了している。
【００８８】
この時、ＨＤＭＩインターフェースに送出される映像信号の出力フォーマットの一例が図５（ａ）に示すフォーマット＠Ｓ１０１である。フォーマット＠Ｓ１０１は右目映像（Ｒ）と左目映像（Ｌ）を交互に送出する場合のフォーマットである。図５のフォーマット例については、実施の形態１で説明しているので、詳細な説明を省略する。
【００８９】
図７に戻り、３Ｄ放送のプログラム（３Ｄコンテンツ）を再生中、映像再生装置１２は、ユーザからリモコン等を介してコンテンツ（放送プログラム）を３Ｄ放送のプログラム（３Ｄコンテンツ）から、当該プログラムとは別のチャンネルまたは別のプログラムである２Ｄ放送のプログラム（２Ｄコンテンツ）に切り換える旨の指示を受信したか否かを判断する（Ｓ４０２）。
【００９０】
なお、ステップＳ４０２で判断される指示は、リモコン等を介して映像再生装置１２へ入力されることとしているが、当該指示はリモコン以外の手段によって映像再生装置１２へ入力されてもよい。例えば、当該指示は、映像表示装置用リモコンから映像表示装置１１を介して映像再生装置１２へ入力されてもよい。
【００９１】
ＣＰＵ２０４は、チューナ２０７にチャンネルの切換を指示する。このとき、第２のＡＶ処理部２０２は、変更されたチャンネルのプログラムが３Ｄ放送プログラム（３Ｄコンテンツ）であるか、２Ｄ放送プログラム（２Ｄコンテンツ（非３Ｄコンテンツ））であるかを判別する必要がある。判別方法の一例としては以下の手法が考えられる。放送コンテンツは、自コンテンツデータだけではなく、自コンテンツのコンテンツ識別情報と共に放送される。コンテンツ識別情報は自コンテンツが、３Ｄ映像（３Ｄコンテンツ）であるか、２Ｄ映像（２Ｄコンテンツ）であるかに関する情報を含んでいる。第２のＡＶ処理部２０２はそのコンテンツ識別情報に基づき、変更されたチャンネルが３Ｄ放送（３Ｄコンテンツ）であるか、２Ｄ放送（２Ｄコンテンツ）であるかを判別する。そして、変更されたチャンネルが２Ｄ放送である場合には、Ｓ４０３の処理へ移る。
【００９２】
映像再生装置１２は、３Ｄ放送のプログラムを再生中にユーザからリモコン等を介してチャンネルまたはプログラムの切り換え指示を受信し、切り換え後のプログラムが２Ｄ放送のプログラム（２Ｄコンテンツ）であると判断した場合（ステップＳ４０２における「ＹＥＳ」）、ＣＰＵ２０４は、第２のＡＶ処理部２０２へ２Ｄ映像（２Ｄコンテンツ）の再生を指示する（Ｓ４０３）。
【００９３】
第２のＡＶ処理部２０２は、ＨＤＭＩの伝送フォーマットを変更する事無く（３Ｄ映像信号用の出力モードのままで）、２Ｄ放送のプログラム（番組）（２Ｄコンテンツ）の映像を映像表示装置１１に対し図５（ｂ）に示すフォーマット＠Ｓ２０３に変換して映像信号として送出する。
【００９４】
つまり、実施の形態３による映像再生装置１２は、第２のＡＶ処理部２０２と、第２の入出力部２０３とを有する。ここで、第２のＡＶ処理部２０２、および、第２の入出力部２０３は、実施の形態１または２の第２のＡＶ処理部２０２、および、第２の入出力部２０３と同等の構成および機能を有するように構成されてよい。さらに、実施の形態３の第２のＡＶ処理部２０２は、再生すべきコンテンツが立体コンテンツ（３Ｄコンテンツ）であるか、非立体コンテンツ（２Ｄコンテンツ）であるかを判別可能であり、機器間の伝送路上のフォーマットが立体（３Ｄ）映像フォーマットで認証されている際に再生すべきコンテンツが３Ｄコンテンツから２Ｄコンテンツへ切り換わった場合には、当該２Ｄコンテンツの映像ストリーム信号を、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力することができる。
【００９５】
言い換えれば、実施の形態３の映像再生装置１２は、再生すべきコンテンツが３Ｄコンテンツであるか２Ｄコンテンツであるかを判別し、映像表示装置１１に対し、映像表示装置１１との間の伝送路のフォーマット（ＨＤＭＩインターフェースのモード）として３Ｄ映像信号用の出力モードに対応したフォーマットを用いて、３Ｄコンテンツの３Ｄ映像信号、および、２Ｄコンテンツの非３Ｄ（２Ｄ）映像信号を出力することが可能である。映像再生装置１２においては、３Ｄ映像信号出力および非３Ｄ（２Ｄ）映像信号出力の切り換えは、再生するコンテンツが３Ｄコンテンツであるか、２Ｄコンテンツであるかの判定に従って自動的に行われる。
【００９６】
実施の形態３の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２のＡＶ処理部２０２は、コンテンツのデータに含まれるコンテンツ識別情報から、コンテンツが３Ｄコンテンツであるか非３Ｄコンテンツであるかを判別し、第２の入出力部２０３が３Ｄ映像信号を３Ｄ映像出力モードにしたがい出力している際に、第２のリモコン信号受信部２０５が、再生すべきコンテンツをコンテンツから別のコンテンツに切り換える指示を受け付け、かつ、第２のＡＶ処理部２０２が、別のコンテンツは非３Ｄコンテンツであると判別した場合、第２のＡＶ処理部２０２は、別のコンテンツのデータから非３Ｄ映像信号を構成し、第２の入出力部２０３は、非３Ｄ映像信号を映像表示装置１１へ３Ｄ映像出力モードにしたがい出力する。
【００９７】
また、本実施の形態による映像再生装置１２では、第２のＡＶ処理部２０２に入力される映像ストリーム信号は、自装置の外部から受信するコンテンツの映像ストリーム信号でよい。当該コンテンツは、自コンテンツが立体コンテンツ（３Ｄコンテンツ）であるか、非立体コンテンツ（２Ｄコンテンツ）であるかを示すコンテンツ識別情報と共に受信され、第２のＡＶ処理部２０２は、コンテンツの映像ストリーム信号と共にコンテンツ識別情報を受信し、コンテンツ識別情報に応じて、その入力されたコンテンツが立体コンテンツ（３Ｄコンテンツ）であるか、非立体コンテンツ（２Ｄコンテンツ）であるかを判別してもよい。
【００９８】
本実施の形態による映像再生装置１２では、ユーザが３Ｄ放送のプログラム（３Ｄコンテンツ）を３Ｄ立体映像で視聴している時に、リモコン等を用い、３Ｄ放送のチャンネルから２Ｄ放送のプログラムを放送しているチャンネルに切り換える指示をした場合であっても、ＨＤＭＩインターフェースの再認証に起因する映像が途切れを防止することができる。従って、ユーザは３Ｄ放送プログラム（３Ｄコンテンツ）の視聴から２Ｄ放送プログラム（２Ｄコンテンツ）の視聴に切り換えた場合であっても、ＨＤＭＩインターフェースの再認証に起因する映像の途切が無く、視聴することができる。なお、本実施の形態の映像再生装置１２は、同一チャンネルにおいてプログラムの放送形態が３Ｄ放送のプログラムから２Ｄ放送のプログラムに変化した場合にも実行することができる。
【００９９】
なお、実施の形態３においては、放送を受信して再生する場合の例を示した。しかし、記録媒体に記録されたコンテンツを再生する場合であっても、同様の動作をすることができる。即ち、ディスク２００等の記録媒体に記録されているコンテンツがコンテンツ識別情報を持っており、映像再生装置１２が、ディスク２００に記録されているコンテンツ識別情報に基づいて再生するコンテンツが３Ｄコンテンツであるか、２Ｄコンテンツであるかを判別してもよい。つまり、実施の形態３の映像再生装置１２においては、第２のＡＶ処理部２０２に入力されるコンテンツは記憶媒体に記憶されたコンテンツであって、その記憶媒体には当該コンテンツが立体コンテンツ（３Ｄコンテンツ）であるか、非立体コンテンツ（２Ｄコンテンツ）であるかを示すコンテンツ識別情報が記憶されており、第２のＡＶ処理部２０２は入力されるコンテンツと共にコンテンツ識別情報を受信し、コンテンツ識別情報に応じて、その入力されたコンテンツが立体コンテンツ（３Ｄコンテンツ）であるか、非立体コンテンツ（２Ｄコンテンツ）であるかを判別してもよい。
【０１００】
この場合、映像再生装置１２が記憶媒体に記憶されている３Ｄコンテンツを３Ｄ立体映像で再生している時に、再生すべきコンテンツを３Ｄコンテンツから記憶媒体に記憶されている別のコンテンツ（２Ｄコンテンツ）に切り換える指示をリモコン等から受信した場合であっても、映像再生装置１２は、ＨＤＭＩインターフェースの再認証に起因する映像の途切れを防止することができる。従って、ユーザは、３Ｄコンテンツの視聴から２Ｄコンテンツの視聴に切り換えた場合であっても、ＨＤＭＩインターフェースの再認証に起因する映像の途切無しにコンテンツを視聴することができる。
【０１０１】
（実施の形態４）
先の実施の形態においては、コンテンツが３Ｄから２Ｄに切り換わる例として、ユーザによるチャンネルの変更指示を受信した場合を示した。しかし、実施の形態は上記例に限られるものではない。他の例としては、例えば、３Ｄコンテンツの再生時に、ユーザからデータ放送再生の指示を受信した場合が考えられる。
【０１０２】
データ放送は、チューナ２０７において選局された映像ストリーム信号に含まれている。第２のＡＶ処理部２０２は、受信した映像ストリーム信号から、データ放送として表示するための映像信号を生成する。そして、第２の入出力部２０３は、生成された映像信号を出力する。一般に、データ放送は２Ｄコンテンツであることが多い。また、一般に、２Ｄコンテンツであるデータ放送に含ませて再生中の３Ｄコンテンツを表示する場合に第２の入出力部２０３が映像表示装置１１に対して送出すべき映像信号は、２Ｄ映像信号となる。その場合、従来の映像再生装置では、出力部の再認証が必要となる。しかし、本実施の形態による映像再生装置１２では、３Ｄコンテンツを再生中に２Ｄコンテンツであるデータ放送を出力するように切り換える指示を受信した場合であっても、第２の入出力部２０３はＨＤＭＩインターフェースに関する再認証をすることなく、２Ｄコンテンツを３Ｄフォーマット（図５（ｂ）に示すフォーマット＠Ｓ２０３）で出力することが可能である。
【０１０３】
実施の形態４の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２のＡＶ処理部２０２は、コンテンツのデータに含まれるコンテンツ識別情報から、コンテンツが３Ｄコンテンツであるか非３Ｄコンテンツであるかを判別し、第２の入出力部２０３が３Ｄ映像信号を３Ｄ映像出力モードにしたがい出力している際に、第２のリモコン信号受信部２０５が、再生すべきコンテンツをコンテンツから別のコンテンツである非３Ｄコンテンツを含むデータ放送に切り換える指示を受け付け、かつ、第２のＡＶ処理部２０２が、別のコンテンツは非３Ｄコンテンツであると判別した場合、第２のＡＶ処理部２０２は、別のコンテンツのデータから非３Ｄ映像信号を構成し、第２の入出力部２０３は、非３Ｄ映像信号を映像表示装置１１へ３Ｄ映像出力モードにしたがい出力する。
【０１０４】
または、映像再生装置１２は、ＨＤＭＩインターフェースの再認証に起因する映像の途切れを防止する為に、以下のような動作をしてもよい。即ち、第２の入出力部２０３は、再生するコンテンツを出力する場合に、そのコンテンツを２Ｄのフォーマット（２Ｄ映像信号用の出力モードのフォーマット）で出力すると共に、そのコンテンツが２Ｄコンテンツであるか、３Ｄコンテンツであるかを示すフラグ情報を重畳して出力する（もしくは３Ｄを示すフラグ情報を重畳しないで出力する）。つまり、映像再生装置１２は、出力するコンテンツが２Ｄコンテンツである場合は、その映像信号を２Ｄのフォーマットで出力すると共に、出力しているコンテンツが２Ｄコンテンツである旨のフラグ情報を映像信号に重畳して出力する（もしくは３Ｄを示すフラグ情報を重畳しないで出力する）。一方、映像再生装置１２は、出力するコンテンツが３Ｄコンテンツである場合は、その映像信号を２Ｄのフォーマット（２Ｄ映像信号用の出力モードのフォーマット）で出力すると共に、出力しているコンテンツが３Ｄコンテンツである旨のフラグ情報を映像信号に重畳して出力する。
【０１０５】
この場合、映像表示装置１１は、映像信号を２Ｄのフォーマット（２Ｄ映像信号用の出力モードのフォーマット）で受信している場合に、当該映像信号に２Ｄコンテンツである旨のフラグ情報が重畳されているか（または、３Ｄコンテンツである旨のフラグ情報が重畳されていないか）をチェックすればよい。そして、例えば、映像表示装置１１は、２Ｄコンテンツである旨のフラグ情報が重畳されていること（または、３Ｄコンテンツである旨のフラグ情報が重畳されていないこと）を検知した場合には、当該映像信号に基づいて２Ｄ映像を表示する。このようにすることで、映像表示装置１１は、当該コンテンツを２Ｄコンテンツとして表示することができる。一方、映像表示装置１１は、映像信号に３Ｄコンテンツである旨のフラグ情報が重畳されていることを検知した場合には、２Ｄのフォーマット（２Ｄ映像信号用の出力モードのフォーマット）で送られてきた映像信号から左目用、右目用の映像を分離して、両映像を抽出し、それぞれ適切な画角にスケーリングした後、３Ｄ映像表示における通常の表示方法に倣って、左目映像（Ｌ）の映像と右目映像（Ｒ）の映像を交互に表示させればよい。なお、３Ｄコンテンツを２Ｄフォーマット（２Ｄ映像信号用の出力モードのフォーマット）で出力する場合の具体的な方式の例としては、サイドバイサイド方式や、トップアンドボトム方式、ラインバイライン方式などがある。
【０１０６】
実施の形態４の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、立体映像であることを示す情報が重畳された３Ｄ映像信号または立体映像であることを示す情報が重畳されない非３Ｄ映像信号を構成する第２のＡＶ処理部２０２と、第２のＡＶ処理部２０２で構成された３Ｄ映像信号または非３Ｄ映像信号を、非立体映像表示用の映像信号を出力するためのフォーマットである非３Ｄ映像出力フォーマットにしたがい、映像表示装置１１へ出力する第２の入出力部２０３と、ユーザが入力する指示を受け付ける第２のリモコン信号受信部２０５と、を備え、第２のＡＶ処理部２０２は、１）コンテンツのデータに含まれるコンテンツ識別情報から、コンテンツが３Ｄコンテンツであるか非３Ｄコンテンツであるかを判別し、２）コンテンツが３Ｄコンテンツであると判別した場合には、コンテンツのデータから、３Ｄ映像信号を非３Ｄ映像出力フォーマットにしたがい構成し、３）コンテンツが非３Ｄコンテンツであると判別した場合には、コンテンツのデータから、非３Ｄ映像の映像信号を非３Ｄ映像出力フォーマットにしたがい構成する。そして、第２の入出力部２０３が非３Ｄ映像信号を非３Ｄ映像出力モードで出力している際に、第２のリモコン信号受信部２０５が、再生すべきコンテンツをコンテンツから別のコンテンツに切り換える指示を受け付け、かつ、第２のＡＶ処理部２０２が、別のコンテンツは３Ｄコンテンツであると判別した場合、第２のＡＶ処理部２０２は、別のコンテンツのデータから３Ｄ映像信号を構成し、第２の入出力部２０３は、３Ｄ映像信号を映像表示装置１１へ非３Ｄ映像出力フォーマットにしたがい出力する。
【０１０７】
このように、本実施の形態による映像再生装置１２では、第２の入出力部２０３から出力する映像信号の出力フォーマットを２Ｄのフォーマット（２Ｄ映像信号用の出力モードのフォーマット）で維持し、そのコンテンツが２Ｄコンテンツであるか、３Ｄコンテンツであるかを示すフラグ情報を映像信号に重畳して出力することにより、２Ｄコンテンツと３Ｄコンテンツとの切換が起こった場合であっても、再認証をすることなく映像表示装置１１に映像を表示できる。その為、再認証に起因する映像の途切れを防止することができる。このような実施の形態は、３Ｄコンテンツと２Ｄのデータ放送との切換をするときなどに特に有効である。
【０１０８】
（実施の形態１〜４の第２のＡＶ処理部の詳細）
図８は、実施の形態１〜４の映像再生装置１２の第２のＡＶ処理部２０２の構成の詳細を示す図である。第２のＡＶ処理部２０２は、例えば、１つまたは２つ以上の半導体装置として構成されてよい。第２のＡＶ処理部２０２は、ディスク２００やチューナ２０７から入力される３Ｄコンテンツを含んだ映像ストリーム信号から映像信号を構成するデコーダ部２０２ａと、デコーダ部２０２ａから入力される映像信号を第２の入出力部２０３へ出力する信号出力部２０２ｄと、コンテンツの表示を３Ｄおよび２Ｄの間で切り換える指示を受ける３Ｄ／２Ｄ表示切換指示部２０２ｃとを有する。また、デコーダ部２０２ａは、３Ｄ映像信号用の出力モードで２Ｄ映像信号を出力するために、３Ｄ映像信号における左目映像およびそれに対応する右目映像として該左目映像またはそれに対応する右目映像のいずれか一方のみが繰り返し含まれる映像信号を構成する３Ｄフォーマット非２Ｄ映像構成部２０２ｂを備える。なお、信号出力部２０２ｄは、出力端子でよい。
【０１０９】
ＣＰＵ２０４は、第２のリモコン受信部２０５を介して入力される映像再生装置用リモコンからの指示、映像表示装置１１および第２の入出力部２０３を介して入力される映像表示装置用リモコンからの指示、チューナ２０７やディスクドライブ部２０１等から送られるコンテンツ識別情報等に基づき、３Ｄ／２Ｄ表示切換指示部２０２ｃに対し、コンテンツの映像データから３Ｄ表示用の映像信号（例えば、図５のフォーマット＠Ｓ１０１を有する映像信号）を構成するか、非３Ｄ（２Ｄ）表示用の映像信号（例えば、図５のフォーマット＠Ｓ２０３を有する映像信号）を構成するか、の指示を送ることができる。
【０１１０】
ＣＰＵ２０４からの指示を受けた３Ｄ／２Ｄ表示切換指示部２０２ｃは、当該指示に従い、デコーダ部２０２ａおよびその３Ｄフォーマット２Ｄ映像構成部２０２ｂを制御することができる。
【０１１１】
実施の形態１〜４の映像再生装置１２の第２のＡＶ処理部２０２は、コンテンツのデータを入力し、前記コンテンツのデータから、立体映像表示を可能とする３Ｄ映像信号、または、非立体映像表示を可能とする非３Ｄ映像信号を構成するデコーダ部２０２ａと、前記コンテンツの映像表示に関する指示を受け付けて、当該指示にもとづいて、前記デコーダ部２０２ａに対し、前記３Ｄ映像信号を構成するか前記非３Ｄ映像信号を構成するかを指示する３Ｄ／２Ｄ指示部２０２ｃと、前記デコーダ部２０２ａが構成した映像信号を、立体映像表示用の映像信号を出力するためのフォーマットである３Ｄ映像出力フォーマットにしたがい出力する信号出力部２０２ｄと、を有する半導体装置であってよい。
【０１１２】
（実施の形態５）
次に、実施の形態５による映像再生装置について説明する。
【０１１３】
０．本実施の形態の映像再生装置が解決する課題
先ず、３Ｄコンテンツを記録したディスク２００を再生する場合に映像再生装置がする動作について簡単に説明する。ディスク２００上には３Ｄ再生用の映像データとして、左目映像データ（Ｌ）と右目映像データ（Ｒ）がそれぞれ記録されている。映像再生装置１２は、これを各々再生し、映像表示装置１１へ左目映像信号（Ｌ）と右目映像信号（Ｒ）を出力する。映像表示装置１１は、例えば、この左目映像信号（Ｌ）の映像と右目映像信号（Ｒ）の映像とを時間的に交互に出力し、立体メガネ（液晶シャッターメガネ）１３は、このＬとＲに同期してシャッターを左右交互に駆動させることで、ユーザはコンテンツを立体映像として見ることが出来る。
【０１１４】
ここで、コンテンツを３Ｄ映像再生する場合に、メニューグラフィクスや字幕データなどの付加情報を重畳する場合、映像（例えば、コンテンツの本編映像）の飛び出し量（以後デプスと称す）に応じてメニューグラフィクスや字幕データのデプスを調節する必要がある。このことについて図９を用いて説明する。なお、メニューグラフィクスにかかる付加情報は、コンテンツのデータに、グラフィクス・データとして含まれてよく、字幕データにかかる付加情報は、コンテンツのデータに、テキスト・データとして含まれてよい。
【０１１５】
図９は、ユーザが３Ｄ映像を視聴した場合にユーザが認識する立体感を図面における左右方向（以下、「デプス」とも称する。）で表現して３Ｄ映像を真横から描いた図である。本図が例示する３Ｄ映像には、まず背景があり、その手前（ユーザ側）に人が立ち、さらにその手前（ユーザ側）に字幕データが重畳されている。ここで、人と字幕データのデプスの差をｄとする。
【０１１６】
このとき、３Ｄ映像において、例えば人が画面方向に対して前後に（図面上における左右方向、つまり、デプスの値が変化する方向に）移動するならば、仮に字幕データのデプスの値を固定して表示した場合、図９のデプス差ｄは、人が前後することで値が大きく変化する。
【０１１７】
３Ｄコンテンツを３Ｄ映像で視聴する際、このデプス差ｄが大きくなると、ユーザは字幕と人物の両方に焦点を合わせようとするため、焦点を合わすことが困難になり、著しい眼球疲労を起こすことがある。したがって、このデプス差ｄをつねにほぼ一定にするために、メニューグラフィクスや字幕データのオフセット量を調整する必要がある。
【０１１８】
図１０は、メニューグラフィクス３０１や字幕データ３０３などの付加情報のオフセットの概念を示す図である。図中のオフセットとは、例えば、Ｌ側のビデオ映像（Ｌビデオ３０５）にＬ側のメニューグラフィクス３０１・字幕データ３０３を重畳する際に付加するずれ量を示すもので、これはＲ側のビデオ映像（Ｒビデオ３０７）にＲ側のメニューグラフィクス３０１・字幕データ３０３を重畳する際に付加するずれ量と同じ値にする。このようにオフセットを各々Ｌ側とＲ側で与えることで、メニューグラフィクス３０１・字幕データ３０３の３Ｄ映像における奥行き方向、つまりデプスを調節することができる。このように、メニューグラフィクス３０１や字幕データ３０３（第１の映像）は、Ｌ／Ｒ側のビデオ映像（第２の映像）に対し、オフセットだけずれるように位置合わせされて重畳される。
【０１１９】
字幕と人のデプス差を一定に保つためには、３Ｄ映像中を人が前後に（図中のデプス方向に）移動するのにあわせて、オフセット値（オフセット量）を時間的に変化させればよい。すなわち、このオフセット量がビデオの映像に同期して時間的に変化するように予め設定しておくことで、図９のデプス差ｄをつねにほぼ一定に保つことができ、３Ｄ視聴時においてメニューや字幕などが重畳された場合であっても、ユーザは焦点を合わすことが容易になり、眼球疲労を大幅に軽減することが可能になる。
【０１２０】
図１１を参照し、メニューグラフィクス３０１や字幕データ３０３などの付加情報をビデオ映像（３０５、３０７）に重畳する際の映像再生装置１２の出力イメージを説明する。図１１は例えばブルーレイディスクで３Ｄ映像を実現する場合において、メニューグラフィクス３０１や字幕データ３０３の重畳方法を示したものである。図中のＩＧ  Ｓｔｒｅａｍ（ＩＧストリーム）とは、一般に、（例えば本編の）映像３０５、３０７（第２の映像）に重畳するメニューグラフィクス３０１（第１の映像）のストリームデータであり、ＰＧ  Ｓｔｒｅａｍ（ＰＧストリーム）とは、一般に、（例えば本編の）映像３０５、３０７に重畳する字幕（またはグラフィクスアニメーション）３０３のストリームデータである。映像再生装置１２は、これらメニューグラフィクス３０１および／または字幕３０３について、３Ｄのビデオ映像データ（Ｌビデオ３０５およびＲビデオ３０７）に対しオフセット値だけずらして重畳してから、Ｌデータ、Ｒデータとして出力する。なおこのオフセット値は、ビデオ映像の飛び出し量（デプス）に応じて時間軸で変化する適切な値を持ち、これらがストリーム中に埋め込まれているか、またはディスク上の管理情報として記録されているか、いずれかの方法で予めディスク上にオフセット情報として記録されている。
【０１２１】
しかしながら、前述の実施の形態による映像再生装置１２と映像表示装置１１において、例えば、ユーザの切り換え操作によって、映像表示装置１１（３Ｄテレビなど）側で３Ｄ表示から２Ｄ表示に切り換えた場合、映像表示装置１１では、Ｌビデオの映像とＲビデオの映像のうち一方の映像（例えばＬビデオの映像）のみで構成された動画映像が表示される。例えば、図５（ａ）に示すフォーマット＠Ｓ１０１で送られる映像信号の「Ｌ  ｏｄｄ」、「Ｌ  ｅｖｅｎ」のみで構成された動画映像が表示される。または、図５（ｂ）に示すフォーマット＠Ｓ２０３で送られる映像信号の「Ｌ  ｏｄｄ」、「Ｌ  ｅｖｅｎ」のみで構成された動画映像が表示される。その場合であっても、上で説明した図１０のオフセット値は時間的に変化するため、ユーザは、オフセット量に応じて左右に揺れるメニューグラフィクスや字幕データがＬ側の映像（Ｌビデオ）に重畳された映像を視聴することになってしまうという問題が発生する。
【０１２２】
上記問題を解決するため、本実施の形態による映像再生装置１２は、３Ｄ映像信号用の出力モードのフォーマット（図５のフォーマット＠Ｓ１０１またはフォーマット＠Ｓ２０３）で２Ｄ映像表示用の映像信号を出力する場合に、上記メニューグラフィクスや字幕データのオフセット量を一定値に固定する。そうすることで、３Ｄ映像信号用の出力モードのフォーマット（フォーマット＠Ｓ１０１またはフォーマット＠Ｓ２０３）で２Ｄ（非３Ｄ）映像表示用の映像信号を出力する場合に、上記メニューグラフィクスや字幕データの表示の揺らぎを防止する。このような構成を有することにより、本実施の形態による映像再生装置１２は、先述の実施の形態の映像再生装置１２と同様にして３Ｄ映像表示と２Ｄ（非３Ｄ）映像表示との間のスムーズな切り換えを実現するとともに、２Ｄ（非３Ｄ）表示におけるメニューグラフィクスや字幕データの揺れを抑止し、より視聴しやすい映像表示を実現することができる。
【０１２３】
１．３Ｄ映像再生表示システムの構成
以下、本実施の形態について説明する。映像再生装置及び映像表示装置（３Ｄ映像再生表示システム）の構成は、先述の実施の形態の構成とほぼ同等であるため、ここでは構成等にかかる説明は適宜省略する。
【０１２４】
図２に示す映像表示装置１１の第１の入出力部１０１は、本実施の形態においては、例えば、ＨＤＭＩインターフェースであってよい。なお、本実施の形態ではインターフェースとしてＨＤＭＩインターフェースを用いているが、ＨＤＭＩはあくまでインターフェースの一例である。したがって、本実施の形態はＨＤＭＩインターフェースに限定されるものではなく、その他のインターフェースであってもよい。第１の入出力部１０１は映像再生装置１２から入力した映像信号を第１のＡＶ処理部１０２へ出力する。第１のＡＶ処理部１０２は、第１のリモコン受信部１０４において受信したユーザの指定した映像表示モード（２Ｄ（非３Ｄ）表示モードあるいは３Ｄ表示モード）にしたがって、映像信号を出力する。表示部１０３は、第１のＡＶ処理部１０２から出力される映像信号に従って映像を表示する。
【０１２５】
第１のリモコン受信部１０４は、映像表示装置１１の映像表示モードの切り換えなどを含むユーザ操作による映像表示装置１１に対する指示をリモコンの発する信号として受信し、第１のＡＶ処理部１０２に通知する。送信部１０５は、立体メガネ（専用メガネ）１３のシャッターの開閉タイミング信号を送出する。
【０１２６】
第１の入出力部１０１を介し、映像表示装置１１から３Ｄ映像信号が入力されている場合であって、且つ、第１のリモコン受信部１０４が映像表示モードとして３Ｄ表示モードで映像を表示する旨を受信している場合は、第１のＡＶ処理部１０２は３Ｄ表示モードで映像を表示すべく、第１のＡＶ処理部１０２はＬ側とＲ側の映像信号を交互に表示部１０３へ出力する。また第１のＡＶ処理部１０２は送信部１０５へ前記のＬ／Ｒの交互の切り換えタイミング信号を送出する。
【０１２７】
ユーザによる映像表示装置用リモコンの操作により、映像表示装置１１が、その映像表示モードを３Ｄ表示モードから２Ｄ表示モードに切り換える旨の指示を受信した場合、第１のリモコン受信部１０４は、第１のＡＶ処理部１０２へ映像表示モードを２Ｄ表示モードに切り換える旨の指示を出す。第１のＡＶ処理部１０２は２Ｄ表示モードで映像を表示するため、映像再生装置１２から第１の入出力部１０１を介して入力される３Ｄ映像信号のＬとＲの映像データのうちＬ側の映像信号のみを表示部１０３へ出力する。これにより、表示部１０３ではＬ側の映像のみが表示され、見かけ上２Ｄの映像が表示される。
【０１２８】
また、第１のＡＶ処理部１０２は、いま、映像表示モードとして２Ｄ表示モードで映像を表示していることを示すステータスを第１の入出力部１０１を経由して映像再生装置１２に通知することができる。通知する方法としては、例えばＨＤＭＩのＣＥＣ（CONSUMER  ELECTRONICS  CONTROL）などが挙げられる。
【０１２９】
その後、第１のリモコン受信部１０４が映像表示モードを３Ｄ表示モードへ切り換える旨の指示を受信した場合には、第１のＡＶ処理部１０２は、第１の入出力部１０１から入力される３Ｄ映像信号のＬとＲの両方の映像信号を用いて映像信号を表示部１０３へ出力する。そして第１の入出力部１０１を経由して映像再生装置１２へ映像表示モードとして３Ｄ表示モードで映像を表示している旨を再び通知する。
【０１３０】
図３に示す映像再生装置１２のディスクドライブ部（ドライブ装置）２０１は、例えば光学ドライブを有し、ＤＶＤやＢＤなどのディスクからコンテンツに関するデータを読み出すことができるものとする。第２のＡＶ処理部２０２は、ドライブ装置２０１から読み出した映像データから映像信号を構成し先述の出力モードにしたがって出力する。第２の入出力部２０３は、例えばＨＤＭＩで映像表示装置１１と接続されてよい。第２のリモコン受信部２０５は、ユーザからの再生操作の指示を映像再生装置用リモコン経由で受信する。
【０１３１】
２．動作
２．１．認証動作
このように構成された映像再生装置１２の認証動作について説明する。まずディスクドライブ部（ドライブ装置）２０１に３Ｄコンテンツが記録されたディスクが挿入されると、第２のＡＶ処理部２０２はこのディスクに３Ｄコンテンツが含まれることを判定し、左目用（Ｌ）と右目用（Ｒ）の映像データをディスクから読み出し、再生する（映像信号を構成する）。再生した映像データ（映像信号）は第２の入出力部２０３へ送出されるとともに、映像表示装置１１とのＨＤＭＩ接続において３Ｄ接続の相互認証を行う。これにより表示装置１１は映像表示モードとして３Ｄ表示モードで映像を表示する。第２のＡＶ処理部２０２がディスクドライブ部（ドライブ装置）２０１に挿入されたディスクが２Ｄコンテンツであると判定した場合は、映像表示装置１１とのＨＤＭＩ接続において２Ｄ接続の相互認証を行う。これにより映像表示装置１１は、映像表示モードとして２Ｄ表示モードで映像を表示する。
【０１３２】
２．２．映像表示モード変更時の再生動作
以上のように構成されたシステムにおける映像再生装置１２の、コンテンツ再生中に映像表示モード変更動作について、図１２を参照しながら説明する。図１２では、映像再生装置１２のディスクドライブ部２０１にコンテンツが記録されたディスクが挿入され、該コンテンツ（３Ｄコンテンツ）を再生中に映像表示装置１１の映像表示モードが２Ｄ表示モードに変更された場合の映像再生装置１２における処理を示す。
【０１３３】
映像再生装置１２の第２のＡＶ処理部２０２は、ディスクドライブ部２０１に挿入されたディスクに含まれる再生すべきコンテンツが２Ｄコンテンツなのか３Ｄコンテンツなのかを判別する（Ｓ５０１）。ここでの、３Ｄコンテンツとは、映像表示装置１１に３Ｄ映像を表示させる為に必要な情報を含むコンテンツである。一方、２Ｄコンテンツとは、映像表示装置１１に３Ｄ映像を表示させる為に必要な情報を含まないコンテンツである。具体的な判別方法として、ディスク上の管理情報などにそのディスクに記録されているコンテンツが２Ｄコンテンツか３Ｄコンテンツかを示すフラグが記載されていて、映像再生装置１２がそれを読み込んで判断することができる。
【０１３４】
コンテンツが２Ｄコンテンツであると判断された場合（ステップＳ５０１における「ＮＯ」）、映像再生装置１２は、映像表示装置１１との映像信号の伝送路であるＨＤＭＩインターフェースにおいて２Ｄ映像信号用の出力モードでの接続の認証を行い（Ｓ５０９）、２Ｄコンテンツを再生（２Ｄ映像信号を出力）する（Ｓ５１０）。
【０１３５】
一方、コンテンツが３Ｄコンテンツであると判断された場合（ステップＳ５０１における「ＹＥＳ」）、映像再生装置１２は、ＨＤＭＩの３Ｄ映像信号用の出力モードでの接続の認証を行う（Ｓ５０２）。
【０１３６】
続いて、映像再生装置１２は、ディスクドライブ部２０１に挿入されているディスクに記録されている３Ｄコンテンツを読み出し、そのコンテンツの３Ｄ再生（３Ｄ映像信号の出力）を行う（Ｓ５０３）。すなわち、映像再生装置１２は、当該コンテンツを３Ｄ表示で表示するための３Ｄ映像信号を映像表示装置１１に出力する。
【０１３７】
このとき映像表示装置１１は、受信したコンテンツの映像信号を３Ｄ表示モードで表示する。ここで、映像再生装置１２の第２のＡＶ処理部２０２が出力する映像信号には、メニューグラフィクス３０１や字幕データ３０３などの付加情報が、ディスク上から読み出したコンテンツのビデオ映像データに時間的に同期して変化するオフセット値のデータをに基づいてオフセットを加えてビデオ映像に重畳されている。このオフセットの付与により、上述したように、３Ｄのビデオ映像に含まれる客体と重畳された付加情報とのデプス差の変動が少なくなり、ユーザの眼球疲労を軽減することができる。
【０１３８】
その後、映像再生装置１２は、再生中のコンテンツの終了判定を行う（Ｓ５０４）。
【０１３９】
ここで、映像再生装置１２は、ユーザが映像表示装置用リモコンを操作することにより映像表示装置１１に対して映像表示モードを３Ｄ表示モードから２Ｄ表示モードに変更する指示を送ると、当該指示の内容に関する情報を映像表示装置１１からＨＤＭＩインターフェース等を通じて受信することができる。なお、このとき、ＨＤＭＩにおいて、接続形態を変更する旨の再認証処理は行わない。つまり、ＨＤＭＩ上では、映像再生装置１２と映像表示装置１１との接続はあくまで３Ｄ映像信号用の出力モードで接続されたままの状態が維持される。
【０１４０】
再生中のコンテンツが終了していない場合、映像再生装置１２は、映像表示装置１１から映像表示モードが３Ｄ表示モードから２Ｄ表示モードに変更された旨の通知を受けたか否かについて判定する（Ｓ５０５）。
【０１４１】
映像再生装置１２は、映像表示装置１１から上記通知を受けたと判定した場合（ステップＳ５０５における「ＹＥＳ」）、映像再生装置１２の第２のＡＶ処理部２０２は、付加情報へのオフセット量が時間的に変動しないように、ある一定の所定値に固定して出力する（Ｓ５０６）。これにより、映像表示装置１１の２Ｄ表示モードでの映像表示において、メニューグラフィクス５０１や字幕データ３０３などの付加情報は、画面上のある定まった位置に表示されるようになる。
【０１４２】
その後、映像再生装置１２は、再生中のコンテンツの終了判定を行う（Ｓ５０７）。
【０１４３】
ここで、映像再生装置１２は、ユーザが映像表示装置用リモコンを操作することにより映像表示装置１１に対して映像表示モードを２Ｄ表示モードから３Ｄ表示モードに戻す指示があると、映像表示装置１１からＨＤＭＩインターフェース等を通じて、当該指示があったことを受け取ることができる。
【０１４４】
再生中のコンテンツが終了していない場合、映像再生装置１２は、映像表示装置１１から映像表示モードが２Ｄ表示モードから３Ｄ表示モードに戻された旨の通知を受けたかどうかについて判定する（Ｓ５０８）。
【０１４５】
映像再生装置１２は、映像再生装置１２は、映像表示装置１１から上記通知を受けていないと判定した場合（ステップＳ５０８における「ＮＯ」）、ステップＳ５０６の処理を実行する。なお、このときも、ＨＤＭＩにおいて、接続形態を変更する旨の再認証処理は行われない。
【０１４６】
一方、映像再生装置１２は、映像表示装置１１の映像表示モードが３Ｄモードに切り換わった旨の通知を受けたと判定した場合、すなわち、映像表示装置１１の映像表示モードが再び３Ｄ表示モードに切り換わったことを検出すると、処理は再びＳ５０３へ移行する。これにより、メニューグラフィクス３０１や字幕データ３０３などの付加情報をビデオ映像に重畳する際のオフセット値（オフセット量）が、一定の所定値からビデオ映像に同期して時間的に変化する値へ変更される。
【０１４７】
本実施の形態において、映像再生装置１２は、以上のようなステップを繰り返すことにより、映像表示装置１１のリモコンによる映像表示モードの２Ｄ表示モードと３Ｄ表示モードとの間の切り換えに応じて、メニューグラフィクス３０１や字幕データ３０３などの付加情報をビデオ映像に重畳する際のオフセット量を一定の所定値と、ビデオ映像に同期して時間的に変化する値との間で切り換える。そうすることで、本実施の形態では、３Ｄコンテンツにかかる映像表示モードが３Ｄ表示モードと２Ｄ表示モードとの間で切り換えられた場合にＨＤＭＩインターフェースの再認証処理は行われない。そのため、スムーズに映像表示モードの変更がなされるとともに、付加情報のオフセット量も時間的に変換する値と一定の所定値との間で切り換えられることにより、３Ｄコンテンツの付加情報が２Ｄ表示モードにおいて揺らいで表示されることを防止する。
【０１４８】
以上説明したように、本実施の形態においては、映像表示装置１１の映像表示モードが３Ｄ表示モードから２Ｄ表示モードに切り換わった場合でも、映像再生装置１２は、映像表示装置１１の表示モードを検出し、メニューグラフィクス３０１や字幕データ３０３などの付加情報のオフセット量を時間的に変化しない一定の所定値に固定にするので、（例えば本編の）映像に重畳された付加情報が、２Ｄ表示において左右に揺れるといったような現象は発生しなくなる。また、映像表示装置１１の映像表示モードが３Ｄ表示モードから２Ｄ表示モードに切り換わった場合でも、ＨＤＭＩの再認証をする必要は無く、画面の同期乱れやブラックアウトや画面フリーズは起こらず、スムーズかつスピーディに２Ｄ表示と３Ｄ表示を切り換えることができる。
【０１４９】
つまり、本実施の形態による映像再生装置１２は、第２のＡＶ処理部２０２と、第２の入出力部２０３とを有する。ここで、第２のＡＶ処理部２０２、および、第２の入出力部２０３は、実施の形態１〜４の第２のＡＶ処理部２０２、および、第２の入出力部２０３と同等の構成および機能を有するように構成されてよい。さらに、本実施の形態の第２のＡＶ処理部２０２は、再生する３Ｄコンテンツに同期して時間的に変化するオフセット量を示すオフセット情報を受信し、当該オフセット量を加えて付加情報（第１の映像）を３Ｄビデオ映像（第２の映像）に重畳して３Ｄ映像信号として出力可能である。また、本実施の形態の第２の入出力部２０３は、映像表示装置１１の映像表示モードの設定が３Ｄ表示モードに設定されているか、２Ｄ表示モードに設定されているかに関する情報を受信可能であり、第２のＡＶ処理部２０２は、第２の入出力部２０３が受信した映像表示装置１１にかかる上記設定が、２Ｄ表示モードに設定されたことを検知した場合には、上記オフセット情報が３Ｄコンテンツに同期して時間的に変化する場合であっても、３Ｄビデオ映像に重畳される付加情報（第１の映像）に付加されるオフセットの量を一定の所定値に固定して３Ｄビデオ映像（第２の映像）に重畳して３Ｄ映像信号として出力する。
【０１５０】
言い換えれば、本実施の形態による映像再生装置１２は、先の実施の形態による映像再生装置１２と同様、映像表示装置１１との間の伝送路のフォーマット（ＨＤＭＩインターフェースのモード）として３Ｄ映像信号用の出力モードに対応したフォーマットを用いて、映像表示装置１１に対し、３Ｄ表示用の映像信号（例えば、図５のフォーマット＠Ｓ１０１による映像信号）、および、非３Ｄ（２Ｄ）表示用の映像信号（例えば、図５のフォーマット＠Ｓ２０３による映像信号）を出力することが可能である。さらに、本実施の形態による映像再生装置１２は、上記３Ｄ表示用の映像信号においては、付加情報の３Ｄビデオ映像に対するオフセットの量を時間的に可変として付加情報と３Ｄビデオ映像との重畳を行い、上記非３Ｄ（２Ｄ）表示用の映像信号においては、付加情報の上記オフセット量を時間的に変化しない一定の所定値に固定して付加情報とビデオ映像との重畳を行うことができる。
【０１５１】
実施の形態５の映像再生装置１２は、体映像表示を可能とする３Ｄ映像信号または非立体映像表示を可能とする非３Ｄ映像信号を映像表示装置へ出力可能な映像再生装置であって、コンテンツのデータを入力し、前記コンテンツの第１映像を、前記コンテンツに含まれるオフセット情報に応じたオフセット量に基づいて、前記コンテンツの第２映像に対して位置合わせして重畳することにより前記コンテンツの映像信号を構成する第２のＡＶ処理部２０２と、前記第２のＡＶ処理部２０２で構成された映像信号を、立体映像表示用の映像信号を出力するためのフォーマットである３Ｄ映像出力フォーマットにしたがい、前記映像表示装置１１へ出力する第２の入出力部２０３と、前記コンテンツの映像表示を、３Ｄ表示とするか非３Ｄ表示とするかを指示する情報を受け付ける第２の入出力部２０３と、を有し、前記第２の入出力部２０３が、前記第１映像が重畳された前記映像信号を、前記３Ｄ映像出力フォーマットにしたがい出力している際に、前記第２の入出力部２０３が、前記コンテンツの映像表示を非３Ｄ表示にする指示を受け付けた場合、前記第２のＡＶ処理部２０２は、前記オフセット量を時間的に変化しない一定値に固定し、前記一定値のオフセット量に基づいて、前記第１映像を、前記第２映像に対して位置合わせして重畳することにより前記映像信号を構成し、前記第２の入出力部２０３は、前記映像信号を、前記映像表示装置へ前記３Ｄ映像出力モードにしたがい出力する。
【０１５２】
また、本実施の形態の映像再生装置１２においては、第２の入出力部２０３と映像表示装置１１との間で受け渡しする映像信号が３Ｄ映像信号から非３Ｄ（２Ｄ）映像信号へ変化した場合、もしくは、非３Ｄ（２Ｄ）映像信号から３Ｄ映像信号へ変化した場合に相互に認証が必要な場合において、映像再生装置１２が、映像表示装置１１の映像表示モードが２Ｄ映像を表示する状態（２Ｄ表示モード）に設定されたことを検知した場合には、第２の入出力部２０３は、相互に認証を行わずに映像表示装置１１へ立体映像（３Ｄ映像信号）を出力する状態を維持し、第２のＡＶ処理部２０２は、重畳される付加情報のオフセット情報を時間的に変化しない一定の所定値に固定にしてビデオ映像に重畳して構成された映像信号を出力する。
【０１５３】
本実施の形態については、付加情報にかかる映像の重畳にかかるオフセット量の制御について詳述したが、本実施の形態においても、先の実施の形態と同様、映像再生装置１２は、３Ｄコンテンツの３Ｄ表示と非３Ｄ表示との間の切り換え指示に応じて、３Ｄ映像信号の構成を、図５に示したフォーマット＠Ｓ１０１とフォーマット＠Ｓ２０３との間で切り換えてよい。
【０１５４】
なお、本実施の形態においても、先の実施の形態と同様、映像再生装置１２は、自機用のリモコンから直接的に、３Ｄ表示と非３Ｄ表示との切換にかかる指示を受信することも可能である。
【０１５５】
３．第２のＡＶ処理部の詳細
図１３は、実施の形態５の映像再生装置１２の第２のＡＶ処理部２０２の構成の詳細を示す図である。第２のＡＶ処理部２０２は、例えば、１つまたは２つ以上の半導体装置として構成されてよい。第２のＡＶ処理部２０２は、ディスク２００やチューナ２０７から入力される３Ｄコンテンツを含んだ映像ストリーム信号から映像信号を構成するデコーダ部２０２ａと、デコーダ部２０２ａから入力される映像信号を第２の入出力部２０３へ出力する信号出力部２０２ｄと、コンテンツの表示を３Ｄおよび２Ｄの間で切り換える指示を受ける３Ｄ／２Ｄ表示切換指示部２０２ｃとを有する。また、デコーダ部２０２ａは、３Ｄ映像信号用の出力モードで２Ｄ映像信号を出力するために、３Ｄ映像信号における左目映像およびそれに対応する右目映像として該左目映像またはそれに対応する右目映像のいずれか一方のみが繰り返し含まれる映像信号を構成する３Ｄフォーマット２Ｄ映像構成部２０２ｂを備え、さらに、付加情報にかかる時間的に変化するオフセット量を一定の所定値に固定して３Ｄフォーマット２Ｄ映像構成部２０２ｂへ出力するオフセット固定部２０２ｅを備える。なお、信号出力部２０２ｄは、出力端子でよい。
【０１５６】
ＣＰＵ２０４は、第２のリモコン受信部２０５を介して入力される映像再生装置用リモコンからの指示、映像表示装置１１および第２の入出力部２０３を介して入力される映像表示装置用リモコンからの指示等に基づき、３Ｄ／２Ｄ表示切換指示部２０２ｃに対し、コンテンツの映像データから３Ｄ表示モード用の映像信号（例えば、図５のフォーマット＠Ｓ１０１を有する映像信号）を構成するか、非３Ｄ（２Ｄ）表示モード用の映像信号（例えば、図５のフォーマット＠Ｓ２０３を有する映像信号）を構成するか、の指示を送ることができる。
【０１５７】
ＣＰＵ２０４からの指示を受けた３Ｄ／２Ｄ表示切換指示部２０２ｃは、当該指示に従い、デコーダ部２０２ａ、ならびに、その３Ｄフォーマット２Ｄ映像構成部２０２ｂおよびオフセット固定部２０２ｅを制御することができる。
【０１５８】
実施の形態５の映像再生装置１２の第２のＡＶ処理部２０２は、コンテンツのデータを入力し、前記コンテンツの第１映像を、前記コンテンツに含まれるオフセット情報に応じたオフセット量に基づいて、前記コンテンツの第２映像に対して位置合わせして重畳することにより前記コンテンツの映像信号を構成するデコーダ部２０２ａと、前記オフセット量を時間的に変化しない一定値に固定するオフセット固定部２０２ｅと、前記コンテンツの映像表示に関する指示を受け付けて、当該指示にもとづいて、前記デコーダ部２０２ａに対し、前記オフセット情報に応じたオフセット量を用いるか、前記一定値のオフセット量を用いるかを指示する３Ｄ／２Ｄ指示部２０２ｃと、前記デコーダ部２０２ａが構成した映像信号を、立体映像表示用の映像信号を出力するためのフォーマットである３Ｄ映像出力フォーマットにしたがい出力する信号出力部２０２ｄと、を有し、前記信号出力部２０２ｄが前記オフセット情報に応じたオフセット量に基づいて第１映像が重畳された前記映像信号を前記３Ｄ映像出力フォーマットにしたがい出力している際に、前記３Ｄ／２Ｄ指示部２０２ｃが、前記コンテンツの映像表示を非３Ｄ表示にする指示を受け付けた場合、前記デコーダ部２０２ａは、前記一定値のオフセット量に基づいて、前記第１映像を、前記第２映像に対して位置合わせして重畳することにより前記映像信号を構成し、前記信号出力部２０２ｄは、前記映像信号を前記３Ｄ映像出力モードにしたがい出力する、半導体装置であってよい。
【０１５９】
４．変形例
なお、図１１中では、ＩＧストリームやＰＧストリームには、３Ｄ映像表示用にＬ用Ｒ用に分けてＬ用／Ｒ用メニューやＬ用／Ｒ用字幕が格納されていない場合を示している。つまり、出力時には、Ｌビデオ３０５にもＲビデオ３０７にも、これらＩＧ／ＰＧストリームは、オフセット以外は同じ内容のものをビデオ映像のＬビデオ３０５およびＲビデオ３０７に各々重畳される。しかし、これらＩＧ／ＰＧストリームにおいてＬ用とＲ用のおのおの２つのデータを用意し、各々Ｌ用メニュー（Ｌ用字幕）とＲ用メニュー（Ｒ用字幕）として独立してビデオ映像のＬビデオ３０５とＲビデオ３０７に重畳してもよい。その場合も、オフセットは本実施の形態の説明にしたがって、実施すればよい。
【０１６０】
なお、本実施の形態において、上述のように予めメニューグラフィクス３０１や字幕データ３０３などの付加情報が２Ｄ用と３Ｄ用（Ｌ用とＲ用）の２つのデータが用意されている場合には、図１２のステップＳ５０３およびステップＳ５０６の処理の変わりに、重畳すべき付加情報データを２Ｄ用と３Ｄ用とで切り換えて実施してもよい。２Ｄ用の付加情報では、もとよりオフセットは固定されている。よって、ステップＳ５０３において、３Ｄコンテンツを３Ｄ表示モードで映像表示装置１１に表示する場合、オフセットを加味した３Ｄモード用のＬとＲの付加情報を各々ビデオ映像のＬとＲへ重畳して映像信号を構成して映像表示装置１１へ出力し、ステップＳ５０６において映像表示装置１１の映像表示モードが３Ｄ表示モードから２Ｄ表示モードの表示に切り換わったら、もとよりオフセットの値が固定されている（例えば、ゼロに固定されている）２Ｄ用の付加情報をビデオ映像のＬとＲに重畳すればよい。
【０１６１】
このように付加情報が予め２Ｄ用と３Ｄ用が用意されている場合は、映像表示装置１１の映像表示モードが２Ｄ表示モードに切り換わった場合２Ｄ用の付加情報を用いることで、映像表示の不自然さ（揺らぎ）を回避できる。すなわち、２Ｄ表示モードでの表示時においては、映像表示装置１１が３Ｄ映像信号のＬ側のみを表示している場合に、付加情報もＬ側のみを表示すると、一般に３Ｄ用として用意された付加情報のＬ側用データは、２Ｄ用の情報とは異なる場合があるため、多少の不自然さが発生する場合がある。（３Ｄ用として用意された付加情報のＬ側用データには、視差が含まれることがある。）しがたって、このように付加情報を２Ｄ表示モードと３Ｄ表示モードで切り換えることで、上述の不自然さは解消できる。
【０１６２】
つまり、上述の映像再生装置１２の第２のＡＶ処理部２０２は、３Ｄ表示用の付加情報と、２Ｄ表示用の付加情報とをディスク等から受信可能であり、第２の入出力部２０３は、映像表示装置１１から受信した情報に基づき、３Ｄ表示用の付加情報と、２Ｄ体表示用の付加情報とのいずれかを付加情報として立体映像に重畳する。
【０１６３】
なお、上記で説明したＩＧストリームの変わりに、もっともよくブルーレイディスクのグラフィクスメニューで利用されているＢＤ−Ｊａｖａ（登録商標）を用いても同様に実施可能である。また、上記で説明したＰＧストリームの代わりにテキスト（文字コード）情報、つまりＴｅｘｔサブタイトル（Ｔｅｘｔ  Ｓｕｂｔｉｔｌｅ）（図４にてＴｅｘｔＳＴと表記したもの）を用いても同様に実施可能である。
【０１６４】
また、本実施の形態においては、メニューグラフィクス３０１や字幕データ３０３などの付加情報について説明した。しかし、付加情報は再生装置に記憶されているＯＳＤ（On Screen Display）の情報であってもよい。
【０１６５】
また、本実施の形態において、映像表示装置１１から映像再生装置１２へ映像表示装置１１における映像表示モードを通知する方法として、ＨＤＭＩのＣＥＣを例に説明したが、ＬＡＮやネットワーク、シリアル通信、および赤外線通信、無線通信など、その他の方法であってもよい。
【０１６６】
本実施の形態は、映像表示装置の映像表示モードが３Ｄ表示モードと２Ｄ表示モードとの間で切り換わった場合に、スムーズかつスピーディに映像表示モードを切り換えるとともに、２Ｄ表示モードにおいて付加情報等をただしく表示することができる。
【０１６７】
なお、本明細書では、黒画面表示をブラックアウトと称した。しかし、ブラックアウトは、黒画面表示だけではなく、緑画面表示など、他の色の画面表示であっても良い。また、ブラックアウトは、ＨＤＭＩの認証により一部が崩れた画像であっても良い。つまり、ブラックアウトとは、ＨＤＭＩインターフェースの認証が開始されてから完了するまでに表示される画面の事を指す。
【産業上の利用可能性】
【０１６８】
本実施の形態は、映像表示装置と伝送路で接続され、立体映像を表示することができる映像再生装置として有用である。
【符号の説明】
【０１６９】
１１  ・・・  映像表示装置
１２  ・・・  映像再生装置
１３  ・・・  立体メガネ
１０１  ・・・  第１の入出力部
１０２  ・・・  第１のＡＶ処理部
１０３  ・・・  表示部
１０４  ・・・  第１のリモコン信号受信部
１０５  ・・・  送信部
２００  ・・・  ディスク
２０１  ・・・  ディスクドライブ部
２０２  ・・・  第２のＡＶ処理部
２０２ａ・・・  デコーダ部
２０２ｂ・・・  ３Ｄフォーマット非３Ｄ映像構成部
２０２ｃ・・・  ３Ｄ／非３Ｄ切換指示部
２０２ｄ・・・  信号出力部
２０２ｅ・・・  オフセット固定部
２０３  ・・・  第２の入出力部
２０４  ・・・  ＣＰＵ（制御部）
２０５  ・・・  第２のリモコン信号受信部
２０６  ・・・  アンテナ
２０７  ・・・  チューナ
３０１  ・・・  メニューグラフィクス
３０３  ・・・  字幕データ
３０５  ・・・  Ｌビデオ
３０７  ・・・  Ｒビデオ
ｄ  ・・・  デプス差
【図１】
2011007564.tif 000003
【図２】
2011007564.tif 000004
【図３】
2011007564.tif 000005
【図４】
2011007564.tif 000006
【図５】
2011007564.tif 000007
【図６】
2011007564.tif 000008
【図７】
2011007564.tif 000009
【図８】
2011007564.tif 000010
【図９】
2011007564.tif 000011
【図１０】
2011007564.tif 000012
【図１１】
2011007564.tif 000013
【図１２】
2011007564.tif 000014
【図１３】
2011007564.tif 000015
【図１４】
2011007564.tif 000016
【図１５】
2011007564.tif 000017
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像出力フォーマットにしたがい出力している際に、前記受信部が、前記コンテンツの映像表示を非３Ｄ表示にする指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力モードにしたがい出力する、映像再生装置。
【請求項２】
さらに、ユーザが前記映像表示装置に対して入力した指示を前記映像表示装置から受信する入力部を有し、
前記出力部が前記３Ｄ映像信号を前記３Ｄ映像出力モードにしたがい出力している際に、前記入力部が、前記映像表示装置の映像表示を３Ｄ表示から前記非３Ｄ表示へ切り換える指示を入力した場合、前記ＡＶ処理部は、前記コンテンツのデータから非３Ｄ映像の映像信号を構成し、前記出力部は、前記非３Ｄ映像信号を前記映像表示装置へ前記３Ｄ映像出力モードにしたがい出力する、請求項１に記載の映像再生装置。
【請求項３】
前記ＡＶ処理部は、前記コンテンツのデータに含まれるコンテンツ識別情報から、前記コンテンツが３Ｄコンテンツであるか非３Ｄコンテンツであるかを判別し、
前記出力部が前記３Ｄ映像信号を前記３Ｄ映像出力モードにしたがい出力している際に、前記受信部が、再生すべきコンテンツを前記コンテンツから別のコンテンツに切り換える指示を受け付け、かつ、前記ＡＶ処理部が、前記別のコンテンツは非３Ｄコンテンツであると判別した場合、前記ＡＶ処理部は、前記別のコンテンツのデータから非３Ｄ映像信号を構成し、前記出力部は、前記非３Ｄ映像信号を前記映像表示装置へ前記３Ｄ映像出力モードにしたがい出力する、請求項１に記載の映像再生装置。
【請求項４】
前記ＡＶ処理部は、記憶媒体に記憶されているコンテンツのデータおよびコンテンツ識別情報を入力する、請求項３に記載の映像再生装置。
【請求項５】
前記ＡＶ処理部は、前記映像再生装置の外部から受信したコンテンツのデータおよびコンテンツ識別情報を入力する、請求項３に記載の映像再生装置。
【請求項６】
前記別のコンテンツは、非３Ｄコンテンツを含むデータ放送である、請求項３に記載の映像再生装置。
【請求項７】
前記３Ｄ映像信号は、視差を有する左目用の映像である左目映像と右目用の映像である右目映像を含み、
前記出力部が前記３Ｄ映像信号を前記３Ｄ映像出力フォーマットにしたがい出力している間に、前記受信部が、前記コンテンツの映像表示を非３Ｄ表示にする指示を受け付けた場合、前記ＡＶ処理部は、前記非３Ｄ映像の映像信号を、前記左目映像および前記右目映像のいずれか一方のみを含むように構成する、請求項１に記載の映像再生装置。
【請求項８】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像信号出力フォーマットにしたがい出力している際に、前記受信部が、前記コンテンツを特殊再生する指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力フォーマットにしたがい出力する、映像再生装置。
【請求項９】
前記特殊再生は、前記コンテンツの早送りまたは早戻し再生を含む、請求項５に記載の映像再生装置。
【請求項１０】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、立体映像であることを示す情報が重畳された３Ｄ映像信号または前記立体映像であることを示す情報が重畳されない非３Ｄ映像信号を構成するＡＶ処理部と、
前記ＡＶ処理部で構成された３Ｄ映像信号または非３Ｄ映像信号を、非立体映像表示用の映像信号を出力するためのフォーマットである非３Ｄ映像出力フォーマットにしたがい、前記映像表示装置へ出力する出力部と、
ユーザが入力する指示を受け付ける受信部と、を備え、
前記ＡＶ処理部は、
前記コンテンツのデータに含まれるコンテンツ識別情報から、前記コンテンツが３Ｄコンテンツであるか非３Ｄコンテンツであるかを判別し、
前記コンテンツが３Ｄコンテンツであると判別した場合には、前記コンテンツのデータから、３Ｄ映像信号を前記非３Ｄ映像出力フォーマットにしたがい構成し、
前記コンテンツが非３Ｄコンテンツであると判別した場合には、前記コンテンツのデータから、非３Ｄ映像の映像信号を前記非３Ｄ映像出力フォーマットにしたがい構成し、
前記出力部が前記非３Ｄ映像信号を前記非３Ｄ映像出力モードで出力している際に、前記受信部が、再生すべきコンテンツを前記コンテンツから別のコンテンツに切り換える指示を受け付け、かつ、前記ＡＶ処理部が、前記別のコンテンツは３Ｄコンテンツであると判別した場合、前記ＡＶ処理部は、前記別のコンテンツのデータから３Ｄ映像信号を構成し、前記出力部は、前記３Ｄ映像信号を前記映像表示装置へ前記非３Ｄ映像出力フォーマットにしたがい出力する、映像再生装置。
【請求項１１】
前記ＡＶ処理部は、前記コンテンツは非３Ｄコンテンツであると判別した場合には、非立体映像であることを示す情報が重畳された非立体映像表示用の非３Ｄ映像の映像信号を構成する、請求項１０に記載の映像再生装置。
【請求項１２】
コンテンツのデータを入力し、前記コンテンツのデータから、立体映像表示を可能とする３Ｄ映像信号、または、非立体映像表示を可能とする非３Ｄ映像信号を構成するデコーダ部と、
前記コンテンツの映像表示に関する指示を受け付けて、当該指示にもとづいて、前記デコーダ部に対し、前記３Ｄ映像信号を構成するか前記非３Ｄ映像信号を構成するかを指示する３Ｄ／非３Ｄ指示部と、
前記デコーダ部が構成した映像信号を、立体映像表示用の映像信号を出力するためのフォーマットである３Ｄ映像出力フォーマットにしたがい出力する信号出力部と、を有する半導体装置。
【請求項１３】
立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、
ＡＶ処理部が、コンテンツのデータを入力するステップと、
前記ＡＶ処理部が、前記コンテンツのデータから、３Ｄ映像信号を、映像表示装置へ３Ｄ映像の映像信号を出力するための出力モードである３Ｄ映像信号出力モードに適合したフォーマットで構成して、出力部が、前記ＡＶ処理部から前記映像信号を受け、前記映像表示装置に対し、前記３Ｄ映像信号を、前記３Ｄ映像信号出力モードで出力するステップと、
受信部が、ユーザが入力する前記コンテンツの映像表示を３Ｄ表示から非３Ｄ表示へ切り換える指示を受け付けるステップと、
前記受け付けるステップの後に、前記ＡＶ処理部が、当該指示を受けて前記非３Ｄ映像信号を構成して、前記出力部が、前記非３Ｄ映像信号を前記映像表示装置に対して前記３Ｄ映像信号出力モードで出力するステップと、を有する、映像再生装置において映像信号を構成し映像表示装置へ出力する方法。
【手続補正２】
【補正対象書類名】明細書
【補正対象項目名】全文
【補正方法】変更
【補正の内容】
【発明の詳細な説明】
【技術分野】
【０００１】
本願の技術分野は、映像表示装置へ映像信号を出力する映像再生装置に関し、特に、立体映像として再生可能な映像信号を出力可能な映像再生装置に関する。
【背景技術】
【０００２】
左目および右目それぞれに対して視差を含んだ映像を提示することで立体視効果が得られることが古くから知られている（以下、このような手法により立体視効果を得る方式を「二眼式３Ｄ方式」と称する。）。
【０００３】
また近年では、立体視可能な映像を表示できる３Ｄテレビの技術が急速に進んでいる。その背景として、映画館での３Ｄ映画のヒットや、一部の放送局によるＢＳデジタル放送における３Ｄ放送の試験的実施や、一部のＤＶＤ等のディスク媒体での３Ｄ対応コンテンツの出荷開始等が挙げられる。そのような背景のもと、３Ｄテレビ（３Ｄ映像表示装置）については、一部のメーカによりすでに商品化されている。このように、一般家庭における３Ｄ映像視聴環境は急速に整いつつある。
【０００４】
３Ｄテレビの視聴方法としての二眼式３Ｄ方式には、大別して２つの方法があり、裸眼で視聴する方法と、専用のメガネをかけて視聴する方法とがある。裸眼で視聴する方法として、例えば、パララックスバリア方式やレンティキュラ方式がある。裸眼で視聴する方式の問題点として、パララックスバリア方式では視聴するための位置が限定されたりバリアが目障りだったりする。一方、レンティキュラ方式では解像度が著しく低下したり、やはりレンズが目障りだったりする、というようなことが一般に知られている。
【０００５】
上記したような専用のメガネをかけて視聴する方法としては、特許文献１に開示されているように、テレビに特殊なフィルムを貼り付けて偏向メガネをかけて視聴する方法や、特許文献２や特許文献３に開示されているように、液晶シャッターメガネをかけて視聴する方法が知られている。
【０００６】
また、映像再生装置から映像表示装置へ３Ｄ映像表示可能な映像信号を伝送する規格として、ＨＤＭＩ（High Definition Multimedia Interface）  Ｖｅｒ１．４が規定されている。ＨＤＭＩ  Ｖｅｒ１．４では、著作権保護のため、ＨＤＭＩで映像／音声信号を伝送する場合に用いる著作権保護規格であるＨＤＣＰで規定されたアルゴリズムに基づき、映像信号を送出する側の機器（「送出側機器」）と映像を受信する側の機器（「受信側機器」）との間で、相互認証及び暗号鍵の生成を行う。送出側機器は、この時に生成された暗号鍵で映像データを暗号化し、映像信号として伝送路上に送出する。受信側機器は、この時生成された暗号鍵で、受信した映像信号を復号し、映像を表示する。
【０００７】
ＨＤＭＩは、送出側機器が送信する映像信号のフォーマットを、立体視可能な映像の映像信号（３Ｄ映像信号）を送信するためのフォーマットと２Ｄ映像信号を送信するためのフォーマットとの間で切り換える時に、上記相互認証を実行することを義務付けている。よって、映像再生装置が、ＨＤＭＩ  Ｖｅｒ１．４で映像表示装置へ映像信号を伝送する場合、例えば、伝送される映像信号が３Ｄ映像信号から２Ｄ映像信号に切り換えられる時、あるいは、２Ｄ映像信号から３Ｄ映像信号へ切り換えられる時には、伝送される映像信号のフォーマットの変更に伴い相互認証が実行される。
【０００８】
以下、映像再生装置から映像表示装置に対して送出される映像信号が３Ｄ映像信号から２Ｄ映像信号に切り換わる時に従来の映像再生装置がする動作について説明する。図１４は従来の映像再生装置において、３Ｄ映像を再生中に、２Ｄ映像の再生に切り換えたときに映像再生装置がする処理のフローチャートである。
【０００９】
映像再生装置は、３Ｄ映像ストリーム信号からなる３Ｄコンテンツの映像を３Ｄ映像信号として出力し、映像表示装置は、当該３Ｄ映像信号に基づいて３Ｄ映像を表示する（Ｓ１０１）。この時、映像再生装置の映像信号出力部と映像表示装置の入力部との間のＨＤＭＩインターフェースのモード（機器間の伝送路上のフォーマット）は３Ｄ映像信号用のフォーマットである。
【００１０】
図１５（ａ）に、ステップＳ１０１において３Ｄ映像信号が送出される際に使用されるフォーマットを示す。フォーマット＠Ｓ１０１に示すように、３Ｄ映像信号用のフォーマットでは、例えば、左目映像（Ｌ  ｏｄｄ、Ｌ  ｅｖｅｎ）と右目映像（Ｒ  ｏｄｄ、Ｒ  ｅｖｅｎ）とが交互に送出される。
【００１１】
図１４に戻り、ステップＳ１０２において、映像再生装置は、ユーザがリモコン等を用いてコンテンツを２Ｄ映像表示させる旨の指示を行ったかを判断する。より具体的には、リモコン信号受信部が受信した信号の内容が制御部（例えば、ＣＰＵ）へ送られ、制御部は、当該信号に、映像表示装置にコンテンツを２Ｄ映像として表示させる旨の指示が含まれるかどうかを判断し、含まれると判断した場合（ステップＳ１０２における「ＹＥＳ」）、処理はステップＳ１０３へ移行する。
【００１２】
ステップＳ１０３において、制御部は、ＡＶ処理部（デコーダ等）に対し、映像信号の出力の停止を指示し、かつ、出力部についてＨＤＭＩインタフェース（Ｉ／Ｆ）の再認証処理を行う。より具体的には、制御部は、出力部に対しＨＤＭＩインターフェースの映像信号のフォーマットを２Ｄ映像信号用のフォーマットへ切り換えるよう指示を出す。出力部は、該出力部と映像表示装置の入力部との間のＨＤＭＩインターフェースの再認証及びＨＤＭＩインターフェースのフォーマットの切り換え処理を実行する。
【００１３】
この時、ＨＤＭＩインターフェースの再認証の処理には数秒の時間を要する。また、映像表示装置にあっては、映像再生装置からの映像信号の出力が停止されているため、黒画面表示（「ブラックアウト」とも称する。）、もしくは、相互認証が始まる直前に受信した映像の継続表示（「画面フリーズ」とも称する。）が発生する。
【００１４】
制御部が、ＨＤＭＩインターフェースの再認証及びフォーマットの切り換え処理の終了と、２Ｄ映像信号用のフォーマットへの切り換えの完了とを検出した場合（ステップＳ１０４における「ＹＥＳ」）、制御部は、ＡＶ処理部に対し、２Ｄ映像信号の出力を指示し、処理はステップＳ１０５へ遷移する。
【００１５】
２Ｄ映像信号出力指示を受けたＡＶ処理部は、２Ｄ映像信号を出力部へ出力し、出力部は、映像表示装置に対し２Ｄ映像信号用のフォーマットで２Ｄ映像信号を送出し、映像表示装置は２Ｄ映像を表示する（Ｓ１０５）。
【００１６】
図１５（ｂ）に、ステップＳ１０５において２Ｄ映像信号が送出される際に使用されるフォーマットを示す。フォーマット＠Ｓ１０５に示すように、２Ｄ映像信号用のフォーマットでは、例えば、左目映像（Ｌ  ｏｄｄ、Ｌ  ｅｖｅｎ）のみが送出される。
【００１７】
このように、映像再生装置が出力する映像信号が３Ｄ映像信号から２Ｄ映像信号（あるいは２Ｄ映像信号から３Ｄ映像信号）に切り換わる際、映像再生装置と映像表示装置との間の相互認証のために数秒の時間を必要とする。相互認証が完了するまでの数秒間は、映像表示装置は、映像信号を受信できないため、ブラックアウトしたり、画面フリーズが発生したりすることとなり、ユーザは相互認証の開始から完了までの期間の映像を見逃してしまうことになる。
【００１８】
よって、映像再生装置が送出する映像信号に基づいて映像表示装置がＨＤＭＩに準じて映像を表示する場合、立体映像表示（３Ｄ表示）と非立体映像表示（２Ｄ表示）の切り換えには、（認証処理を含んだ）様々な処理が必要であり、結果として、切り換えはスムーズとは言い難い。
【先行技術文献】
【特許文献】
【００１９】
【特許文献１】特許第３７９６４１４号公報
【特許文献２】特開平６−２５４０４６号公報
【特許文献３】特開平７−３３６７２９号公報
【発明の概要】
【発明が解決しようとする課題】
【００２０】
上記従来技術における課題に鑑み、本発明は、立体映像表示（３Ｄ表示）と非立体映像表示（２Ｄ表示）との間の切り換えをスムーズに行うことができる装置を提供することを目的とする。
【課題を解決するための手段】
【００２１】
本発明の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像出力フォーマットにしたがい出力している際に、受信部が、コンテンツの映像表示を非３Ｄ表示にする指示を受け付けた場合、ＡＶ処理部は、コンテンツのデータから、非３Ｄ映像信号を構成し、出力部は、非３Ｄ映像信号を映像表示装置へ３Ｄ映像出力モードにしたがい出力する、映像再生装置である。
【００２２】
本発明の一態様においては、さらに、ユーザが映像表示装置に対して入力した指示を映像表示装置から受信する入力部を有し、出力部が３Ｄ映像信号を３Ｄ映像出力モードにしたがい出力している際に、入力部が、映像表示装置の映像表示を３Ｄ表示から非３Ｄ表示へ切り換える指示を入力した場合、ＡＶ処理部は、コンテンツのデータから非３Ｄ映像の映像信号を構成し、出力部は、非３Ｄ映像信号を映像表示装置へ３Ｄ映像出力モードにしたがい出力することが好ましい。
【００２３】
本発明の一態様においては、ＡＶ処理部は、コンテンツのデータに含まれるコンテンツ識別情報から、コンテンツが３Ｄコンテンツであるか非３Ｄコンテンツであるかを判別し、出力部が３Ｄ映像信号を３Ｄ映像出力モードにしたがい出力している際に、受信部が、再生すべきコンテンツをコンテンツから別のコンテンツに切り換える指示を受け付け、かつ、ＡＶ処理部が、別のコンテンツは非３Ｄコンテンツであると判別した場合、ＡＶ処理部は、別のコンテンツのデータから非３Ｄ映像信号を構成し、出力部は、非３Ｄ映像信号を映像表示装置へ３Ｄ映像出力モードにしたがい出力することが好ましい。
【００２４】
本発明の一態様においては、ＡＶ処理部は、記憶媒体に記憶されているコンテンツのデータおよびコンテンツ識別情報を入力することが好ましい。
【００２５】
本発明の一態様においては、ＡＶ処理部は、映像再生装置の外部から受信したコンテンツのデータおよびコンテンツ識別情報を入力することが好ましい。
【００２６】
本発明の一態様においては、別のコンテンツは、非３Ｄコンテンツを含むデータ放送であることが好ましい。
【００２７】
本発明の一態様においては、３Ｄ映像信号は、視差を有する左目用の映像である左目映像と右目用の映像である右目映像を含み、出力部が３Ｄ映像信号を３Ｄ映像出力フォーマットにしたがい出力している間に、受信部が、コンテンツの映像表示を非３Ｄ表示にする指示を受け付けた場合、ＡＶ処理部は、非３Ｄ映像の映像信号を、左目映像および右目映像のいずれか一方のみを含むように構成することが好ましい。
【００２８】
本発明の別の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像信号出力フォーマットにしたがい出力している際に、受信部が、コンテンツを特殊再生する指示を受け付けた場合、ＡＶ処理部は、コンテンツのデータから、非３Ｄ映像信号を構成し、出力部は、非３Ｄ映像信号を映像表示装置へ３Ｄ映像出力フォーマットにしたがい出力する、映像再生装置である。
【００２９】
本発明の別の一態様においては、特殊再生は、コンテンツの早送りまたは早戻し再生を含むことが好ましい。
【００３０】
本発明のさらに別の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、立体映像であることを示す情報が重畳された３Ｄ映像信号または立体映像であることを示す情報が重畳されない非３Ｄ映像信号を構成するＡＶ処理部と、ＡＶ処理部で構成された３Ｄ映像信号または非３Ｄ映像信号を、非立体映像表示用の映像信号を出力するためのフォーマットである非３Ｄ映像出力フォーマットにしたがい、映像表示装置へ出力する出力部と、ユーザが入力する指示を受け付ける受信部と、を備え、
ＡＶ処理部は、１）コンテンツのデータに含まれるコンテンツ識別情報から、コンテンツが３Ｄコンテンツであるか非３Ｄコンテンツであるかを判別し、２）コンテンツが３Ｄコンテンツであると判別した場合には、コンテンツのデータから、３Ｄ映像信号を非３Ｄ映像出力フォーマットにしたがい構成し、３）コンテンツが非３Ｄコンテンツであると判別した場合には、コンテンツのデータから、非３Ｄ映像の映像信号を非３Ｄ映像出力フォーマットにしたがい構成し、
出力部が非３Ｄ映像信号を非３Ｄ映像出力モードで出力している際に、受信部が、再生すべきコンテンツをコンテンツから別のコンテンツに切り換える指示を受け付け、かつ、ＡＶ処理部が、別のコンテンツは３Ｄコンテンツであると判別した場合、ＡＶ処理部は、別のコンテンツのデータから３Ｄ映像信号を構成し、出力部は、３Ｄ映像信号を映像表示装置へ非３Ｄ映像出力フォーマットにしたがい出力する、映像再生装置である。
【００３１】
本発明のさらに別の一態様においては、ＡＶ処理部は、コンテンツは非３Ｄコンテンツであると判別した場合には、非立体映像であることを示す情報が重畳された非立体映像表示用の非３Ｄ映像の映像信号を構成することが好ましい。
【００３２】
本発明のさらに別の一態様は、コンテンツのデータを入力し、コンテンツのデータから、立体映像表示を可能とする３Ｄ映像信号、または、非立体映像表示を可能とする非３Ｄ映像信号を構成するデコーダ部と、コンテンツの映像表示に関する指示を受け付けて、当該指示にもとづいて、デコーダ部に対し、３Ｄ映像信号を構成するか非３Ｄ映像信号を構成するかを指示する３Ｄ／非３Ｄ指示部と、デコーダ部が構成した映像信号を、立体映像表示用の映像信号を出力するためのフォーマットである３Ｄ映像出力フォーマットにしたがい出力する信号出力部と、を有する半導体装置である。
【００３３】
本発明のさらに別の一態様は、立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、ＡＶ処理部が、コンテンツのデータを入力するステップと、ＡＶ処理部が、コンテンツのデータから、３Ｄ映像信号を、映像表示装置へ３Ｄ映像の映像信号を出力するための出力モードである３Ｄ映像信号出力モードに適合したフォーマットで構成して、出力部が、ＡＶ処理部から映像信号を受け、映像表示装置に対し、３Ｄ映像信号を、３Ｄ映像信号出力モードで出力するステップと、受信部が、ユーザが入力するコンテンツの映像表示を３Ｄ表示から非３Ｄ表示へ切り換える指示を受け付けるステップと、受け付けるステップの後に、ＡＶ処理部が、当該指示を受けて非３Ｄ映像信号を構成して、出力部が、非３Ｄ映像信号を映像表示装置に対して３Ｄ映像信号出力モードで出力するステップと、を有する、映像再生装置において映像信号を構成し映像表示装置へ出力する方法である。
【発明の効果】
【００３４】
本発明の一態様による映像再生装置によれば、立体映像表示（３Ｄ表示）と非立体映像表示（２Ｄ表示）との間の切り換えをスムーズに行うことができる。
【図面の簡単な説明】
【００３５】
【図１】実施の形態による映像再生装置を備えた３Ｄ映像再生表示システムの構成図
【図２】実施の形態による映像表示装置の構成図
【図３】実施の形態による映像再生装置の構成図
【図４】実施の形態による映像再生装置における立体映像表示と非立体映像表示との切換処理のフローチャート
【図５】実施の形態による映像再生装置がＨＤＭＩ  Ｖｅｒ１．４に準じたフォーマットで送出する立体映像表示用映像信号および非立体映像表示用映像信号の模式図
【図６】実施の形態２による映像再生装置における特別再生用立体／非立体映像表示切換処理のフローチャート
【図７】実施の形態３による映像再生装置におけるコンテンツ変更時立体／非立体映像表示切換処理のフローチャート
【図８】実施の形態１〜４による映像再生装置の第２のＡＶ処理部の詳細ブロック図
【図９】立体映像におけるデプスを説明する概念図
【図１０】映像に重畳される付加情報のオフセット量を説明する図
【図１１】プレーン合成モデルを説明する図
【図１２】実施の形態５による映像再生装置におけるオフセット量調整処理のフローチャート
【図１３】実施の形態５による映像再生装置の第２のＡＶ処理部の詳細ブロック図
【図１４】従来技術による映像再生装置の３Ｄ／２Ｄ切換処理のフローチャート
【図１５】従来技術による映像再生装置が送出する３Ｄ映像信号および２Ｄ映像信号の模式図
【発明を実施するための形態】
【００３６】
以下、実施の形態について、詳細に説明する。
【００３７】
実施の形態において、「３Ｄ映像信号」とは、映像表示装置において立体映像表示（３Ｄ映像表示）可能な映像信号を指す。また、「２Ｄ映像信号（非３Ｄ映像信号）」とは、映像表示装置において非立体映像表示（２Ｄ映像表示）可能な映像信号を指す。
【００３８】
実施の形態において、「３Ｄ映像出力モード」とは、映像再生装置から映像表示装置に対して、たとえば、１フレーム分の映像信号として、左目映像（左目用の映像）と右目映像（右目用の映像）とを出力する出力モードである（図１５（ａ）参照。）。また、映像再生装置と映像表示装置とを結ぶ伝送路において当該「３Ｄ映像出力モード」で映像信号を伝送することに適合した映像信号のフォーマットを３Ｄ映像出力モード用のフォーマットと称する。映像表示装置は、３Ｄ映像出力モードのフォーマットで送られてきた映像信号を受信することにより、１フレーム分の映像信号から、１フレームを構成する映像として左目映像および右目映像を表示することができる。一方、「２Ｄ映像出力モード」とは、１フレーム分の映像信号に単一の映像を有する通常の映像信号を出力する出力モードである（図１５（ｂ）参照。）。映像表示装置は、２Ｄ映像出力モードのフォーマットで送られてきた映像信号を受信することにより、１フレーム分の映像信号から、１フレームを構成する映像として単一の映像を再生することができる。
【００３９】
実施の形態においては、映像表示装置は、１フレーム分の映像として複数の映像（左目映像と右目映像）を表示することにより立体映像を表示するように動作する映像表示モード（「３Ｄ表示モード」）と、１フレーム分の映像として単一の映像を表示することにより非立体映像を表示するように動作する映像表示モードを「２Ｄ（非３Ｄ）表示モード」と、を有する。映像表示装置は、３Ｄ表示モードにあっては、たとえば、１フレーム分の映像として左目映像および右目映像を表示するように動作することができ、２Ｄ表示モードにあっては、たとえば、１フレーム分の映像として単一の映像を表示するように動作することができる。
【００４０】
（実施の形態１）
本実施の形態は、放送波、光ディスク、ハードディスク、といった媒体（映像ソース）に含まれる映像データに基づいて映像信号を構成して映像表示装置へ送出する映像再生装置である。本実施の形態にかかる装置は、映像表示装置において立体映像表示可能な映像信号（３Ｄ映像信号）、および、非立体（２Ｄ）映像表示可能な映像信号（２Ｄ映像信号）を該映像表示装置へ送出することができ、かつ、映像表示装置における立体映像表示と非立体映像表示との間の切換えをスムーズに完了させることができる、映像再生装置である。
【００４１】
本実施の形態による映像再生装置は、３Ｄコンテンツを、映像表示装置において３Ｄ表示モードで再生中に、当該映像表示モードを２Ｄ表示モードに切り換える指示を受け取ると、３Ｄ映像を構成する２つの映像（左目映像と、それに対応する右目映像）のいずれか一方の映像のみで３Ｄ映像信号を構成して該３Ｄ映像信号を、３Ｄ映像信号用の出力モードで映像表示装置に対して出力することができる。そして、このようにして構成された３Ｄ映像信号を受けた映像表示装置は、３Ｄ表示モードで継続して動作し、当該３Ｄ映像信号に基づき映像を表示することで、３Ｄコンテンツを２Ｄ表示することが可能となる。このようにすることで、本映像再生装置は、従来必要であった映像再生装置と映像表示装置との間の相互認証をすることなく、映像表示装置における映像表示を３Ｄ映像表示から２Ｄ映像表示に切り換えることができる。このような構成により、本映像再生装置は、映像表示装置における立体映像表示（３Ｄ表示）と非立体映像表示（２Ｄ表示）との間の切り換えをスムーズに行うことが可能になっている。
【００４２】
１．３Ｄ映像再生表示システムの構成
実施の形態１による映像再生装置について、図１〜５を用いて説明する。図１は、実施の形態１による映像再生装置１２を備えた３Ｄ映像再生表示システムの全体構成図である。図１において、映像表示装置１１は、３Ｄ映像を表示するディスプレイなどの表示装置である。映像再生装置１２は、光ディスク等の記憶媒体、インターネット等のネットワ−ク、および、放送波などから映像信号を受け取り、３Ｄ映像信号を構成して出力する装置である。立体メガネ１３は、映像表示装置１１が表示する３Ｄ映像を左目映像と右目映像に分離する液晶シャッターを備えた偏光メガネである。
【００４３】
図２は、実施の形態１における映像表示装置１１の構成図である。映像表示装置１１の第１の入出力部１０１は、図１の映像再生装置１２の出力を受けることができる。第１の入出力部１０１は、ＨＤＭＩ（High Definition Multimedia Interface）  Ｖｅｒ１．４対応の信号入力部などで構成されればよい。第１のＡＶ処理部１０２は、第１の入出力部１０１の出力を受けて映像及び音声信号を処理して表示部１０３を駆動するための駆動信号を生成する。表示部１０３は、第１のＡＶ処理部１０２の出力を受けて３Ｄ映像を表示する。第１のリモコン信号受信部１０４は、ユーザが操作する映像表示装置用リモコンの信号を受け付ける。送信部１０５は、第１のＡＶ処理部１０２の出力に応じて、図１の立体メガネ１３に対して、左目映像（Ｌ）或いは右目映像（Ｒ）のどちらの映像を遮断するかを切り換える同期信号を送信する。この同期信号は、一般的には、赤外線信号などを使って送信される。
【００４４】
図３は、実施の形態１における映像再生装置１２の構成を示す。図３において、ディスク２００は、３Ｄ映像ストリーム信号等を記録する光ディスクやＨＤＤなどの記録媒体であればよい。ディスク２００には、例えば、ビデオ映像、グラフィックス映像、字幕映像などの映像データ及び音声データが、圧縮されたストリーム信号として記録されている。ディスク２００には、３Ｄコンテンツが記録されている場合もありうるし、２Ｄコンテンツが記録されている場合もありうる。ディスクドライブ部２０１は、ディスク２００に記録されたストリーム信号を読み出す。アンテナ２０６は、放送電波を受信するためのアンテナである。チューナ２０７は、アンテナ２０６で受信された放送電波をデジタルの映像ストリーム信号（ビデオ、音声、グラフィックス、字幕など）に変換する復調器であればよい。チューナ２０７で復調されるコンテンツは、３Ｄ映像のストリームであっても良いし、２Ｄ映像のストリームであってもよい。
【００４５】
第２のＡＶ処理部２０２は、ディスクドライブ部２０１やチューナ２０７から得られた映像ストリーム信号を映像データへ変換する。映像ストリームが３Ｄ映像のストリームであれば、第２のＡＶ処理部２０２は、左目映像及び右目映像が多重化された３Ｄ映像信号を出力する。第２の入出力部２０３は、第２のＡＶ処理部２０２から受けた３Ｄ映像信号を図１の映像表示装置１１に出力する。第２の入出力部２０３は、ＨＤＭＩ  Ｖｅｒ１．４対応の信号出力部などで構成されればよい。通常、３Ｄ映像信号を出力する場合には、表示装置１１の第１の入出力部１０１との間の伝送路上のフォーマットは３Ｄ映像信号用の出力モードで出力される。また、２Ｄ映像信号を出力する場合には、映像表示装置１１の第１の入出力部１０１との間の伝送路上のフォーマットは２Ｄ映像信号用の出力モードで出力されてよい。なお、第２の入出力部２０３は、出力部としてのみならず、映像表示装置１１の出力を受信する入力部としても機能することができる。
【００４６】
第２のリモコン信号受信部２０５は、ユーザが操作する映像再生装置用リモコンの信号による映像再生装置１２に対する制御指示を受信する。ＣＰＵ２０４は、第２のリモコン信号受信部２０５から受けたユーザ操作指令を受けて、ディスクドライブ部２０１、第２のＡＶ処理部２０２、第２の入出力部２０３、チューナ２０７等を制御する。
【００４７】
このように構成されたシステムにおいて、映像再生装置１２は、ユーザのリモコン操作に応じて、記録媒体やネットワーク、放送等から３Ｄビデオストリームを読み出して再生し、左目映像の映像信号と右目映像の映像信号を多重化して図１の映像表示装置１１に出力する。映像表示装置１１は、入力した左目映像と右目映像とをディスプレイ上で時分割表示し、この時、時分割の切り換えタイミングを、赤外線による同期信号として図１の立体メガネ１３へ伝える。立体メガネ１３は、映像表示装置１１から受けた同期信号に応じて液晶シャッタの透過率を切換え、メガネの左目側或いは右目側の何れかの視野を交互に遮断することにより、左目映像を左目だけに提示し、また右目映像を右目だけに提示する。このようにして３Ｄ立体視が実現される。
【００４８】
２．３Ｄ−２Ｄ映像表示切り換え動作
次に、図４および図５を参照し、実施の形態１による映像再生装置がする３Ｄ映像再生と２Ｄ映像再生との間の切り換え動作について説明する。
【００４９】
本映像再生装置１２は、コンテンツが３Ｄ映像ストリームからなる３Ｄコンテンツであっても、２Ｄ映像として映像表示装置１１に表示させることが可能である。そして、ユーザは、リモコン等の指示手段を用いて、第２のＡＶ処理部２０２が再生するコンテンツの映像について、３Ｄ映像表示から２Ｄ映像表示に切り換える指示を映像再生装置１２に送ることができる。図４は、映像再生装置１２が映像表示モードを３Ｄ−２Ｄ間で切り換える指示を受け取った場合に、映像再生装置１２がする処理のフローチャートである。
【００５０】
映像再生装置１２は、映像表示モードが３Ｄ表示モードである場合、３Ｄコンテンツの３Ｄ映像ストリーム信号から３Ｄ映像信号を構成し、当該３Ｄ映像信号を３Ｄ映像信号用の出力モードで、つまり３Ｄフォーマットで出力し、映像表示装置１１は、当該３Ｄ映像信号に基づいて３Ｄ映像を表示する（Ｓ２０１）。この時、映像再生装置１２の第２の入出力部２０３と映像表示装置１１の第１の入出力部１０１との間のＨＤＭＩインターフェースのモード（機器間の伝送路上のフォーマット）は３Ｄ映像信号用の出力モードである。
【００５１】
図５（ａ）に、ステップＳ２０１のように、コンテンツの映像表示モードが３Ｄ表示モードである場合にコンテンツの３Ｄ映像信号の送出に使用されるフォーマットを示す。フォーマット＠Ｓ１０１に示すように、３Ｄ映像信号用の出力モードでは、例えば、左目映像（Ｌ  ｏｄｄ、Ｌ  ｅｖｅｎ）と右目映像（Ｒ  ｏｄｄ、Ｒ  ｅｖｅｎ）とが交互に送出される。
【００５２】
その後、映像再生装置１２は、ユーザからリモコン等を通じてコンテンツの映像表示モードを２Ｄ表示モードに切り換える旨の指示を受け取ったか否かを判断する（Ｓ２０２）。より具体的には、第２のリモコン信号受信部２０５が受信した信号の内容がＣＰＵ２０４へ送られ、ＣＰＵ２０４は、当該信号に、コンテンツの映像表示モードを３Ｄ表示モードから２Ｄ表示モードへ切り換える旨の指示が含まれるか否かを判断し、含まれると判断した場合（ステップＳ２０２における「ＹＥＳ」）、処理はステップＳ２０３へ移行する。
【００５３】
なお、ステップＳ２０２で判断される指示は、リモコン等を介して映像再生装置１２へ入力されることとしているが、当該指示はリモコン以外の手段によって映像再生装置１２へ入力されてもよい。例えば、当該指示は、映像表示装置用リモコンから映像表示装置１１を介して映像再生装置１２へ入力されてもよい。
【００５４】
映像再生装置１２がコンテンツの映像表示モードを３Ｄ表示モードから２Ｄ表示モードへ切り換える旨の指示を受信した場合、ＣＰＵ２０４は、第２のＡＶ処理部２０２に対し、３Ｄ映像信号用の出力モードのフォーマットで映像表示装置１１へ出力可能でありかつそのようにして出力された映像信号が映像表示装置１１によって表示された場合に２Ｄ（非立体）映像として表示されるような映像信号を、３Ｄ映像ストリーム信号から構成するよう指示を送る（Ｓ２０３）。そのような映像信号は、例えば、左目映像とそれに対応する右目映像とが多重化されて構成されており、多重化された左目映像とそれに対応する右目映像とに視差が含まれないような映像信号であればよい。例えば、多重化された左目映像とそれに対応する右目映像とが同じであればよい。以下に本ステップにおける映像信号の出力にかかるフォーマットについて詳述する。
【００５５】
再度図５（ｂ）に、映像再生装置１２が、３Ｄ映像信号用の出力モードのフォーマットで非立体（２Ｄ）映像信号を出力する際に用いるフォーマットの例（フォーマット＠Ｓ２０３）を示す。
【００５６】
フォーマット＠Ｓ２０３は、フォーマット＠Ｓ１０１との比較において、時分割的に出力される映像の内容が異なっており、その他の点において同一であってよい。つまり、フォーマット＠Ｓ２０３では、ＨＤＭＩ  Ｖｅｒ１．４に準じた３Ｄ映像信号用の出力モードのフォーマットで、左目映像あるいは右目映像のみが出力される。
【００５７】
すなわち、フォーマット＠Ｓ１０１では、送信される映像信号は「Ｌ  ｏｄｄ」「Ｒ  ｏｄｄ」「Ｌ  ｅｖｅｎ」「Ｒ  ｅｖｅｎ」であったのに対し、フォーマット＠Ｓ２０３では、送信される映像信号は「Ｌ  ｏｄｄ」「Ｌ  ｏｄｄ」「Ｌ  ｅｖｅｎ」「Ｌ  ｅｖｅｎ」のように、左目映像（Ｌ）のみ（あるいは、右目映像（Ｒ）のみ）が送信される。
【００５８】
第２の入出力部２０３は、ステップＳ２０１ではフォーマット＠Ｓ１０１のようなフォーマットで３Ｄ表示モードのための映像信号を出力し、そして、ステップＳ２０３ではフォーマット＠Ｓ２０３のようなフォーマットで２Ｄ表示モードのための非３Ｄ（２Ｄ）映像信号を出力する。このとき、第２のＡＶ処理部２０２は以下のように動作する。
【００５９】
すなわち、ステップＳ２０１では、第２のＡＶ処理部２０２は、３Ｄ映像信号用の出力モードで３Ｄ映像信号を出力するために、第２の入出力部２０３に対し左目映像（Ｌ）と右目映像（Ｒ）を出力する。具体的には、「Ｌ  ｏｄｄ」「Ｒ  ｏｄｄ」「Ｌ  ｅｖｅｎ」「Ｒ  ｅｖｅｎ」を出力する。
【００６０】
一方、ステップＳ２０３では、３Ｄ映像信号用の出力モードのまま映像信号を第２の入出力部２０３から出力可能でありかつ当該映像信号に基づいて映像表示装置１１が映像を表示した場合に非立体（２Ｄ）映像として表示されるように、第２のＡＶ処理部２０２は、左目映像（Ｌ）のみを選択的に第２の入出力部２０３へ出力する。具体的には、「Ｌ  ｏｄｄ」「Ｌ  ｏｄｄ」「Ｌ  ｅｖｅｎ」「Ｌ  ｅｖｅｎ」を出力する。
【００６１】
このように、ステップＳ２０３では、映像再生装置１２は、３Ｄ映像信号用の出力モードのフォーマットにおいて右目映像（Ｒ）が送出されるべきタイミングにも、左目映像（Ｌ）を送出する。そうすることで、ユーザには左右どちらの目にも同一の映像が提示されることとなり、その結果として、視差が無くなり、ユーザは映像表示装置１１に表示される映像を非３Ｄ（２Ｄ）映像として認識する。
【００６２】
そうすることで、映像再生装置１２では、第２のＡＶ処理部２０２は、ＨＤＭＩの映像信号出力モードを変更すること無く、つまり、３Ｄ映像信号用の出力モードのフォーマットで、ユーザが２Ｄ映像として見ることができる映像信号を映像表示装置１１に対して送出する。
【００６３】
なお、本実施の形態では第２のＡＶ処理部２０２は左目映像（Ｌ）のみを選択して出力しているが、右目映像（Ｒ）のみを選択的に出力してもよい。
【００６４】
つまり、実施の形態１の映像再生装置１２は、第２のＡＶ処理部２０２と、第２の入出力部２０３と、リモコン信号受信部２０５と、を有する。ここで、第２のＡＶ処理部２０２は、立体（３Ｄ）コンテンツの映像ストリーム信号を受けて、当該立体（３Ｄ）コンテンツの３Ｄ表示モード用の映像信号および２Ｄ表示モード用の映像信号を構成することができる。第２のＡＶ処理部２０２が構成する３Ｄ表示モード用の映像信号および２Ｄ表示モード用の映像信号はいずれも、３Ｄ映像信号用の出力モード（ＨＤＭＩインターフェースのモード）で認証された伝送路を介して映像表示装置へ出力可能なフォーマットを備えている。つまり、３Ｄコンテンツの３Ｄ映像ストリーム信号に基づき第２のＡＶ処理部２０２が構成する２Ｄ表示モード用の映像信号は、ユーザの左目に提示される映像と、当該映像に対応しユーザの右目に提示される映像とを含み、両映像は視差を含まない。つまり、映像表示装置１１が２Ｄ表示モード用の映像信号を表示した場合、映像は２Ｄ映像として表示される。また、第２の入出力部２０３は、映像表示装置１１と接続され映像表示装置１１に映像信号を伝送可能な伝送路に接続可能であり、当該伝送路は、映像表示装置１１に入力される映像信号のフォーマットが切り換える際に映像表示装置１１との間で相互認証を行うことを要求する伝送路であってよい。また、第２のリモコン信号受信部２０５は、ユーザがリモコンに対して入力した指示内容を受信することができる。第２のＡＶ処理部２０２は、機器間の伝送路上のフォーマットが立体（３Ｄ）映像フォーマットで認証されている際に第２のリモコン信号受信部２０５が映像表示モードを３Ｄ表示モードから２Ｄ表示モードへ切り換える旨の指示を受信した場合、立体（３Ｄ）コンテンツの映像ストリーム信号から、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力する。
【００６５】
言い換えれば、本実施の形態による映像再生装置１２は、映像表示装置１１に対し、映像表示装置１１との間の伝送路のフォーマット（ＨＤＭＩインターフェースのモード）として３Ｄ映像信号用の出力モードに対応したフォーマットを用いて、３Ｄ映像信号、および、非３Ｄ（２Ｄ）映像信号を出力することが可能である。映像再生装置１２においては、３Ｄ映像信号出力および非３Ｄ（２Ｄ）映像信号出力の切り換えは、映像再生装置１２のリモコン等の指示手段からの指示を受信して当該指示に従って行うことができる。また、映像再生装置１２は、上記３Ｄ／非３Ｄ（２Ｄ）映像信号出力の切り換えを、映像再生装置１２のリモコン以外からの指示に従って行うこともできる。例えば、映像再生装置１２は、映像表示装置１１のリモコンからの指示を、映像表示装置１１および伝送路（ＨＤＭＩ  インタフェース）を介して受け取り、当該指示に従って上記３Ｄ／非３Ｄ（２Ｄ）映像信号出力の切り換えを行うことが可能である。
【００６６】
実施の形態１の映像再生装置１２は、立体映像表示を可能とする３Ｄ映像信号または非立体映像表示を可能とする非３Ｄ映像信号（２Ｄ映像信号）を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２の入出力部２０３が３Ｄ映像信号を３Ｄ映像出力フォーマットにしたがい出力している際に、第２のリモコン信号受信部２０５が、コンテンツの映像表示を非３Ｄ表示にする指示を受け付けた場合、第２のＡＶ処理部２０２は、コンテンツのデータから、非３Ｄ映像信号を構成し、第２の入出力部２０３は、非３Ｄ映像信号を映像表示装置へ３Ｄ映像出力モードにしたがい出力する。
【００６７】
以上のように、本実施の形態による映像再生装置１２によれば、ユーザから３Ｄ映像表示を２Ｄ映像表示に切り換える指示を受けた場合であっても、ＨＤＭＩインターフェースのフォーマット変更に起因する再認証を行わないため、該再認証に起因する映像の途切れを防止することができる。従って、ユーザは３Ｄコンテンツの映像表示モードを３Ｄ映像表示モードから２Ｄ映像表示モードに切り換えた場合であっても、ＨＤＭＩインターフェースの再認証に起因する映像の途切れ無しにコンテンツを視聴することができる。
【００６８】
なお、映像再生装置１２によれば、３Ｄ表示から２Ｄ表示に切り換える際に、当該切り換えのための処理を一切必要としない。そうすることで、映像再生装置１２は、当該切り換えのためのあらゆる種類の処理に起因する映像の途切れ無しにコンテンツを再生することができる。
【００６９】
（実施の形態２）
次に、実施の形態２の映像再生装置ついて説明する。実施の形態２の映像再生装置は、実施の形態１の映像再生装置と同等の構成および機能を有し、さらに、映像の早送りや早戻し等の特殊再生に関し、以下の動作を行う。
【００７０】
３Ｄ映像のコンテンツを再生している時に、早送り・早戻しなどの特殊再生を３Ｄ映像のまま行うと、眼精疲労などユーザに疲労感を与える場合がある。
【００７１】
これを防ぐため、実施の形態２による映像再生装置では、３Ｄ映像のコンテンツを、映像表示装置において３Ｄ表示モードで再生している際に上記の特殊再生をする場合には、特殊再生実行中は自動的に映像表示を２Ｄ表示に切り換えて特殊再生を行う。言うまでもなく、当該自動的表示切換においても、立体映像表示（３Ｄ表示）と非立体映像表示（２Ｄ表示）との間の切り換えはスムーズに行われる。
【００７２】
図６は、映像再生装置１２が、３Ｄ映像ストリーム信号を含んだコンテンツを３Ｄ表示モードで通常再生している際に特殊再生を行う場合に、当該コンテンツの映像表示を２Ｄ表示に自動的に切り換えて特殊再生を行うための処理に関するフローチャートである。
【００７３】
映像再生装置１２は、３Ｄコンテンツの３Ｄ映像ストリーム信号から３Ｄ映像信号を構成し、図５（ａ）のフォーマット＠Ｓ１０１のような３Ｄフォーマットで出力し、映像表示装置１１は、当該３Ｄ映像信号に基づいて３Ｄ映像を表示する（Ｓ３０１）。この時、映像再生装置１２の第２の入出力部２０３と映像表示装置１１の第１の入出力部１０１との間のＨＤＭＩインターフェースのモード（機器間の伝送路上のフォーマット）は３Ｄ映像信号用の出力モード（３Ｄフォーマット）である。
【００７４】
映像再生装置１２は、３Ｄ映像再生中にユーザからの特殊再生の指示を受信したか否かを判断する（Ｓ３０２）。具体的には、第２のリモコン信号受信部２０５でリモコンの送出した信号を受信し、受信した信号の内容をＣＰＵ２０４へ伝える。ＣＰＵ２０４は、受信した信号が特殊再生の指示であるか否かを判断する。
【００７５】
特殊再生の指示を受信した場合（ステップＳ３０２における「ＹＥＳ」）、ＣＰＵ２０４は、第２のＡＶ処理部２０２に対し、３Ｄ映像用の出力モードで映像表示装置１１へ出力可能でありかつ当該映像信号が映像表示装置１１において表示された場合に非立体（２Ｄ）映像として表示されるように、３Ｄ映像ストリーム信号から映像信号を構成し、コンテンツを特殊再生するよう指示を送る（Ｓ２０９）。本ステップにおいて映像信号は、例えば、実施の形態１のステップＳ２０３と同様、図５（ｂ）のフォーマット＠Ｓ２０３の形式で構成されればよい。
【００７６】
このように、ステップＳ３０３では、３Ｄ映像信号用の出力モードのフォーマットにおいて右目映像（Ｒ）が送出されるべきタイミングにも、左目映像（Ｌ）を送出することで、ユーザは左右どちらの目にも同一の映像を見ることとなり、その結果として、視差が無くなり、ユーザは映像表示装置１１に特殊再生表示される映像を非３Ｄ（２Ｄ）映像として認識する。このように、映像再生装置１２は、コンテンツを映像表示装置において３Ｄ表示モードで再生中に特殊再生の指示を受信すると、映像表示を３Ｄ表示から２Ｄ表示へと切り換える。そのため、ユーザは、３Ｄ映像の特殊再生に起因する疲労感を覚えにくくなる。
【００７７】
その後、映像再生装置１２は、特殊再生中にユーザからの通常再生の指示を受信したか否かを判断する（Ｓ３０４）。具体的には、第２のリモコン受信部２０５でユーザが操作するリモコン等が送出した信号を受信し、受信した信号の内容をＣＰＵ２０４へ伝える。ＣＰＵ２０４は、受信した信号が通常再生の指示であるか否かを判断する。
【００７８】
通常再生の指示を受信した場合（ステップＳ３０４における「ＹＥＳ」）、ＣＰＵ２０４は、第２のＡＶ処理部２０２に対し、３Ｄ映像用の出力モードで映像表示装置１１へ出力可能でありかつ当該映像信号が映像表示装置１１において表示された場合に立体（３Ｄ）映像として表示されるように、３Ｄ映像ストリーム信号から映像信号を構成し、コンテンツを通常再生するよう指示を送る（Ｓ３０５）。本ステップにおいて映像信号は、例えば、実施の形態１のステップＳ１０１と同様、図５（ａ）のフォーマット＠Ｓ１０１の形式で構成されればよい。つまり、映像再生装置１２は、ステップＳ３０５においては、ステップＳ３０１（Ｓ１０１）と同様にして映像信号を構成して出力する。
【００７９】
このように、実施の形態２の映像再生装置１２は、第２のＡＶ処理部２０２と、第２の入出力部２０３と、第２のリモコン信号受信部２０５と、を有する。ここで、第２のＡＶ処理部２０２、第２の入出力部２０３、および、第２のリモコン信号受信部２０５は、実施の形態１の第２のＡＶ処理部２０２、第２の入出力部２０３、および、第２のリモコン信号受信部２０５と同等の構成および機能を有するように構成されてよい。さらに、実施の形態２の第２のＡＶ処理部２０２は、機器間の伝送路上のフォーマットが立体（３Ｄ）映像フォーマットで認証されている際に第２のリモコン信号受信部２０５が特殊再生の指示を受信した場合、立体（３Ｄ）コンテンツの映像ストリーム信号を、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力することができる。
【００８０】
言い換えれば、実施の形態２による映像再生装置１２は、映像表示装置１１に対し、映像表示装置１１との間の伝送路のフォーマット（ＨＤＭＩインターフェースのモード）として３Ｄ映像信号用の出力モードに対応したフォーマットを用いて、３Ｄ映像信号、および、非３Ｄ（２Ｄ）映像信号を出力することが可能である。３Ｄ映像信号出力および非３Ｄ（２Ｄ）映像信号出力の切り換えは、映像再生装置１２のリモコン等の指示手段からの通常再生／特殊再生の指示に従って自動的に行うことができる。また、映像再生装置１２は、上記３Ｄ／非３Ｄ（２Ｄ）映像信号出力の切り換えを、映像再生装置１２のリモコン以外からの指示に従って行うこともできる。例えば、映像再生装置１２は、映像表示装置１１のリモコンからの指示を、映像表示装置１１および伝送路（ＨＤＭＩ  インタフェース）を介して受け取り、当該指示に従って上記３Ｄ／非３Ｄ（２Ｄ）映像信号出力の切り換えを行うことが可能である。
【００８１】
実施の形態２の映像再生装置１２は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２の入出力部２０３が３Ｄ映像信号を３Ｄ映像信号出力フォーマットにしたがい出力している際に、第２のリモコン信号受信部２０５が、コンテンツを特殊再生する指示を受け付けた場合、第２のＡＶ処理部２０２は、コンテンツのデータから、非３Ｄ映像信号を構成し、第２の入出力部２０３は、非３Ｄ映像信号を映像表示装置１１へ３Ｄ映像出力フォーマットにしたがい出力する。
【００８２】
以上、本実施の形態によれば、３Ｄ映像表示での特殊再生による眼精疲労等を避けるため、特殊再生時には２Ｄ表示に自動的に切り換える映像再生装置において、ユーザが３Ｄ映像の通常再生から特殊再生へ切り換えた場合及び特殊再生から３Ｄ映像の通常再生へ切り換えた場合であっても、ＨＤＭＩインターフェースの再認証に起因する映像の途切れを防止することができる。従って、ユーザは３Ｄ映像の通常再生から特殊再生へ切り換えた場合であっても、ＨＤＭＩインターフェースの再認証に起因する映像の途切れ無しにコンテンツを視聴することができ、かつ、眼に疲労感を覚えにくい。
【００８３】
（実施の形態３）
次に、実施の形態３による映像再生装置について説明する。実施の形態３による映像再生装置は、実施の形態１または２による映像再生装置１２と同等の構成および機能を有し、さらに、再生すべきコンテンツが３Ｄコンテンツと２Ｄコンテンツとの間で切り換わった場合に、以下の動作を行う。
【００８４】
放送波を受信して再生する場合、ユーザがリモコン操作等により再生すべきチャンネルを切り換えることでコンテンツ（この場合は放送されるプログラム（番組））自体が３Ｄコンテンツと２Ｄコンテンツとの間で切り換わることがある。
【００８５】
従来の映像再生装置においては、上述のような場合においても、ＨＤＭＩインターフェースの再認証に起因する映像の途切れが生じる場合があった。本実施の形態による映像再生装置は、この問題を解決し、コンテンツ自体が３Ｄと２Ｄとの間で切り換わった場合であっても、ＨＤＭＩインターフェースの再認証を回避してスムーズな映像再生を実現する。
【００８６】
図７は、映像再生装置１２が、３Ｄ放送のプログラムを受信し３Ｄ映像として再生している際に再生すべきプログラムが２Ｄ放送のプログラムに切り替えられた場合に、当該２Ｄ放送のプログラムの再生動作に関するフローチャートである。この動作は、例えば、ユーザによるリモコン操作によって再生すべきチャンネルを切り換えられたときに実行される。
【００８７】
映像再生装置１２は、３Ｄ放送のプログラム（３Ｄコンテンツ）を受信し、３Ｄ映像信号を構成し、３Ｄ映像信号を映像表示装置１１へ送出し、映像表示装置１１は、当該３Ｄ映像信号に基づいて３Ｄ映像を表示する（Ｓ４０１）。本例では、映像再生装置１２は、放送波からコンテンツ（プログラム）を受信している。従って、映像表示装置１１が表示する映像は、アンテナ２０６及びチューナ２０７を通じて受信したコンテンツ（プログラム（番組））である。この時、映像表示装置１１の第１の入出力部１０１と映像再生装置１２の第２の入出力部２０３との間の伝送路であるＨＤＭＩインターフェースは３Ｄ映像信号用の出力モードで認証が既に完了している。
【００８８】
この時、ＨＤＭＩインターフェースに送出される映像信号の出力フォーマットの一例が図５（ａ）に示すフォーマット＠Ｓ１０１である。フォーマット＠Ｓ１０１は右目映像（Ｒ）と左目映像（Ｌ）を交互に送出する場合のフォーマットである。図５のフォーマット例については、実施の形態１で説明しているので、詳細な説明を省略する。
【００８９】
図７に戻り、３Ｄ放送のプログラム（３Ｄコンテンツ）を再生中、映像再生装置１２は、ユーザからリモコン等を介してコンテンツ（放送プログラム）を３Ｄ放送のプログラム（３Ｄコンテンツ）から、当該プログラムとは別のチャンネルまたは別のプログラムである２Ｄ放送のプログラム（２Ｄコンテンツ）に切り換える旨の指示を受信したか否かを判断する（Ｓ４０２）。
【００９０】
なお、ステップＳ４０２で判断される指示は、リモコン等を介して映像再生装置１２へ入力されることとしているが、当該指示はリモコン以外の手段によって映像再生装置１２へ入力されてもよい。例えば、当該指示は、映像表示装置用リモコンから映像表示装置１１を介して映像再生装置１２へ入力されてもよい。
【００９１】
ＣＰＵ２０４は、チューナ２０７にチャンネルの切換を指示する。このとき、第２のＡＶ処理部２０２は、変更されたチャンネルのプログラムが３Ｄ放送プログラム（３Ｄコンテンツ）であるか、２Ｄ放送プログラム（２Ｄコンテンツ（非３Ｄコンテンツ））であるかを判別する必要がある。判別方法の一例としては以下の手法が考えられる。放送コンテンツは、自コンテンツデータだけではなく、自コンテンツのコンテンツ識別情報と共に放送される。コンテンツ識別情報は自コンテンツが、３Ｄ映像（３Ｄコンテンツ）であるか、２Ｄ映像（２Ｄコンテンツ）であるかに関する情報を含んでいる。第２のＡＶ処理部２０２はそのコンテンツ識別情報に基づき、変更されたチャンネルが３Ｄ放送（３Ｄコンテンツ）であるか、２Ｄ放送（２Ｄコンテンツ）であるかを判別する。そして、変更されたチャンネルが２Ｄ放送である場合には、Ｓ４０３の処理へ移る。
【００９２】
映像再生装置１２は、３Ｄ放送のプログラムを再生中にユーザからリモコン等を介してチャンネルまたはプログラムの切り換え指示を受信し、切り換え後のプログラムが２Ｄ放送のプログラム（２Ｄコンテンツ）であると判断した場合（ステップＳ４０２における「ＹＥＳ」）、ＣＰＵ２０４は、第２のＡＶ処理部２０２へ２Ｄ映像（２Ｄコンテンツ）の再生を指示する（Ｓ４０３）。
【００９３】
第２のＡＶ処理部２０２は、ＨＤＭＩの伝送フォーマットを変更する事無く（３Ｄ映像信号用の出力モードのままで）、２Ｄ放送のプログラム（番組）（２Ｄコンテンツ）の映像を映像表示装置１１に対し図５（ｂ）に示すフォーマット＠Ｓ２０３に変換して映像信号として送出する。
【００９４】
つまり、実施の形態３による映像再生装置１２は、第２のＡＶ処理部２０２と、第２の入出力部２０３とを有する。ここで、第２のＡＶ処理部２０２、および、第２の入出力部２０３は、実施の形態１または２の第２のＡＶ処理部２０２、および、第２の入出力部２０３と同等の構成および機能を有するように構成されてよい。さらに、実施の形態３の第２のＡＶ処理部２０２は、再生すべきコンテンツが立体コンテンツ（３Ｄコンテンツ）であるか、非立体コンテンツ（２Ｄコンテンツ）であるかを判別可能であり、機器間の伝送路上のフォーマットが立体（３Ｄ）映像フォーマットで認証されている際に再生すべきコンテンツが３Ｄコンテンツから２Ｄコンテンツへ切り換わった場合には、当該２Ｄコンテンツの映像ストリーム信号を、機器間の伝送路上のフォーマットとして立体（３Ｄ）映像フォーマットで送出可能でありかつ映像表示装置１１に表示させた場合には非立体（２Ｄ）映像として表示される（ユーザに認識される）非立体（２Ｄ）映像信号にデコードして出力することができる。
【００９５】
言い換えれば、実施の形態３の映像再生装置１２は、再生すべきコンテンツが３Ｄコンテンツであるか２Ｄコンテンツであるかを判別し、映像表示装置１１に対し、映像表示装置１１との間の伝送路のフォーマット（ＨＤＭＩインターフェースのモード）として３Ｄ映像信号用の出力モードに対応したフォーマットを用いて、３Ｄコンテンツの３Ｄ映像信号、および、２Ｄコンテンツの非３Ｄ（２Ｄ）映像信号を出力することが可能である。映像再生装置１２においては、３Ｄ映像信号出力および非３Ｄ（２Ｄ）映像信号出力の切り換えは、再生するコンテンツが３Ｄコンテンツであるか、２Ｄコンテンツであるかの判定に従って自動的に行われる。
【００９６】
実施の形態３の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２のＡＶ処理部２０２は、コンテンツのデータに含まれるコンテンツ識別情報から、コンテンツが３Ｄコンテンツであるか非３Ｄコンテンツであるかを判別し、第２の入出力部２０３が３Ｄ映像信号を３Ｄ映像出力モードにしたがい出力している際に、第２のリモコン信号受信部２０５が、再生すべきコンテンツをコンテンツから別のコンテンツに切り換える指示を受け付け、かつ、第２のＡＶ処理部２０２が、別のコンテンツは非３Ｄコンテンツであると判別した場合、第２のＡＶ処理部２０２は、別のコンテンツのデータから非３Ｄ映像信号を構成し、第２の入出力部２０３は、非３Ｄ映像信号を映像表示装置１１へ３Ｄ映像出力モードにしたがい出力する。
【００９７】
また、本実施の形態による映像再生装置１２では、第２のＡＶ処理部２０２に入力される映像ストリーム信号は、自装置の外部から受信するコンテンツの映像ストリーム信号でよい。当該コンテンツは、自コンテンツが立体コンテンツ（３Ｄコンテンツ）であるか、非立体コンテンツ（２Ｄコンテンツ）であるかを示すコンテンツ識別情報と共に受信され、第２のＡＶ処理部２０２は、コンテンツの映像ストリーム信号と共にコンテンツ識別情報を受信し、コンテンツ識別情報に応じて、その入力されたコンテンツが立体コンテンツ（３Ｄコンテンツ）であるか、非立体コンテンツ（２Ｄコンテンツ）であるかを判別してもよい。
【００９８】
本実施の形態による映像再生装置１２では、ユーザが３Ｄ放送のプログラム（３Ｄコンテンツ）を３Ｄ立体映像で視聴している時に、リモコン等を用い、３Ｄ放送のチャンネルから２Ｄ放送のプログラムを放送しているチャンネルに切り換える指示をした場合であっても、ＨＤＭＩインターフェースの再認証に起因する映像が途切れを防止することができる。従って、ユーザは３Ｄ放送プログラム（３Ｄコンテンツ）の視聴から２Ｄ放送プログラム（２Ｄコンテンツ）の視聴に切り換えた場合であっても、ＨＤＭＩインターフェースの再認証に起因する映像の途切が無く、視聴することができる。なお、本実施の形態の映像再生装置１２は、同一チャンネルにおいてプログラムの放送形態が３Ｄ放送のプログラムから２Ｄ放送のプログラムに変化した場合にも実行することができる。
【００９９】
なお、実施の形態３においては、放送を受信して再生する場合の例を示した。しかし、記録媒体に記録されたコンテンツを再生する場合であっても、同様の動作をすることができる。即ち、ディスク２００等の記録媒体に記録されているコンテンツがコンテンツ識別情報を持っており、映像再生装置１２が、ディスク２００に記録されているコンテンツ識別情報に基づいて再生するコンテンツが３Ｄコンテンツであるか、２Ｄコンテンツであるかを判別してもよい。つまり、実施の形態３の映像再生装置１２においては、第２のＡＶ処理部２０２に入力されるコンテンツは記憶媒体に記憶されたコンテンツであって、その記憶媒体には当該コンテンツが立体コンテンツ（３Ｄコンテンツ）であるか、非立体コンテンツ（２Ｄコンテンツ）であるかを示すコンテンツ識別情報が記憶されており、第２のＡＶ処理部２０２は入力されるコンテンツと共にコンテンツ識別情報を受信し、コンテンツ識別情報に応じて、その入力されたコンテンツが立体コンテンツ（３Ｄコンテンツ）であるか、非立体コンテンツ（２Ｄコンテンツ）であるかを判別してもよい。
【０１００】
この場合、映像再生装置１２が記憶媒体に記憶されている３Ｄコンテンツを３Ｄ立体映像で再生している時に、再生すべきコンテンツを３Ｄコンテンツから記憶媒体に記憶されている別のコンテンツ（２Ｄコンテンツ）に切り換える指示をリモコン等から受信した場合であっても、映像再生装置１２は、ＨＤＭＩインターフェースの再認証に起因する映像の途切れを防止することができる。従って、ユーザは、３Ｄコンテンツの視聴から２Ｄコンテンツの視聴に切り換えた場合であっても、ＨＤＭＩインターフェースの再認証に起因する映像の途切無しにコンテンツを視聴することができる。
【０１０１】
（実施の形態４）
先の実施の形態においては、コンテンツが３Ｄから２Ｄに切り換わる例として、ユーザによるチャンネルの変更指示を受信した場合を示した。しかし、実施の形態は上記例に限られるものではない。他の例としては、例えば、３Ｄコンテンツの再生時に、ユーザからデータ放送再生の指示を受信した場合が考えられる。
【０１０２】
データ放送は、チューナ２０７において選局された映像ストリーム信号に含まれている。第２のＡＶ処理部２０２は、受信した映像ストリーム信号から、データ放送として表示するための映像信号を生成する。そして、第２の入出力部２０３は、生成された映像信号を出力する。一般に、データ放送は２Ｄコンテンツであることが多い。また、一般に、２Ｄコンテンツであるデータ放送に含ませて再生中の３Ｄコンテンツを表示する場合に第２の入出力部２０３が映像表示装置１１に対して送出すべき映像信号は、２Ｄ映像信号となる。その場合、従来の映像再生装置では、出力部の再認証が必要となる。しかし、本実施の形態による映像再生装置１２では、３Ｄコンテンツを再生中に２Ｄコンテンツであるデータ放送を出力するように切り換える指示を受信した場合であっても、第２の入出力部２０３はＨＤＭＩインターフェースに関する再認証をすることなく、２Ｄコンテンツを３Ｄフォーマット（図５（ｂ）に示すフォーマット＠Ｓ２０３）で出力することが可能である。
【０１０３】
実施の形態４の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、３Ｄ映像信号または非３Ｄ映像信号を構成する第２のＡＶ処理部２０２と、第２のＡＶ処理部２０２で構成された３Ｄ映像信号または非３Ｄ映像信号を、立体映像表示用の映像信号を出力するためのフォーマットである３Ｄ映像出力フォーマットにしたがい、映像表示装置１１へ出力する第２の入出力部２０３と、ユーザが入力する指示を受け付ける第２のリモコン信号受信部２０５と、を有し、第２のＡＶ処理部２０２は、コンテンツのデータに含まれるコンテンツ識別情報から、コンテンツが３Ｄコンテンツであるか非３Ｄコンテンツであるかを判別し、第２の入出力部２０３が３Ｄ映像信号を３Ｄ映像出力モードにしたがい出力している際に、第２のリモコン信号受信部２０５が、再生すべきコンテンツをコンテンツから別のコンテンツである非３Ｄコンテンツを含むデータ放送に切り換える指示を受け付け、かつ、第２のＡＶ処理部２０２が、別のコンテンツは非３Ｄコンテンツであると判別した場合、第２のＡＶ処理部２０２は、別のコンテンツのデータから非３Ｄ映像信号を構成し、第２の入出力部２０３は、非３Ｄ映像信号を映像表示装置１１へ３Ｄ映像出力モードにしたがい出力する。
【０１０４】
または、映像再生装置１２は、ＨＤＭＩインターフェースの再認証に起因する映像の途切れを防止する為に、以下のような動作をしてもよい。即ち、第２の入出力部２０３は、再生するコンテンツを出力する場合に、そのコンテンツを２Ｄのフォーマット（２Ｄ映像信号用の出力モードのフォーマット）で出力すると共に、そのコンテンツが２Ｄコンテンツであるか、３Ｄコンテンツであるかを示すフラグ情報を重畳して出力する（もしくは３Ｄを示すフラグ情報を重畳しないで出力する）。つまり、映像再生装置１２は、出力するコンテンツが２Ｄコンテンツである場合は、その映像信号を２Ｄのフォーマットで出力すると共に、出力しているコンテンツが２Ｄコンテンツである旨のフラグ情報を映像信号に重畳して出力する（もしくは３Ｄを示すフラグ情報を重畳しないで出力する）。一方、映像再生装置１２は、出力するコンテンツが３Ｄコンテンツである場合は、その映像信号を２Ｄのフォーマット（２Ｄ映像信号用の出力モードのフォーマット）で出力すると共に、出力しているコンテンツが３Ｄコンテンツである旨のフラグ情報を映像信号に重畳して出力する。
【０１０５】
この場合、映像表示装置１１は、映像信号を２Ｄのフォーマット（２Ｄ映像信号用の出力モードのフォーマット）で受信している場合に、当該映像信号に２Ｄコンテンツである旨のフラグ情報が重畳されているか（または、３Ｄコンテンツである旨のフラグ情報が重畳されていないか）をチェックすればよい。そして、例えば、映像表示装置１１は、２Ｄコンテンツである旨のフラグ情報が重畳されていること（または、３Ｄコンテンツである旨のフラグ情報が重畳されていないこと）を検知した場合には、当該映像信号に基づいて２Ｄ映像を表示する。このようにすることで、映像表示装置１１は、当該コンテンツを２Ｄコンテンツとして表示することができる。一方、映像表示装置１１は、映像信号に３Ｄコンテンツである旨のフラグ情報が重畳されていることを検知した場合には、２Ｄのフォーマット（２Ｄ映像信号用の出力モードのフォーマット）で送られてきた映像信号から左目用、右目用の映像を分離して、両映像を抽出し、それぞれ適切な画角にスケーリングした後、３Ｄ映像表示における通常の表示方法に倣って、左目映像（Ｌ）の映像と右目映像（Ｒ）の映像を交互に表示させればよい。なお、３Ｄコンテンツを２Ｄフォーマット（２Ｄ映像信号用の出力モードのフォーマット）で出力する場合の具体的な方式の例としては、サイドバイサイド方式や、トップアンドボトム方式、ラインバイライン方式などがある。
【０１０６】
実施の形態４の映像再生装置１２は、立体映像表示を可能とする３Ｄ映像信号または非立体映像表示を可能とする非３Ｄ映像信号を映像表示装置１１へ出力可能な映像再生装置であって、コンテンツのデータを入力し、コンテンツのデータから、立体映像であることを示す情報が重畳された３Ｄ映像信号または立体映像であることを示す情報が重畳されない非３Ｄ映像信号を構成する第２のＡＶ処理部２０２と、第２のＡＶ処理部２０２で構成された３Ｄ映像信号または非３Ｄ映像信号を、非立体映像表示用の映像信号を出力するためのフォーマットである非３Ｄ映像出力フォーマットにしたがい、映像表示装置１１へ出力する第２の入出力部２０３と、ユーザが入力する指示を受け付ける第２のリモコン信号受信部２０５と、を備え、第２のＡＶ処理部２０２は、１）コンテンツのデータに含まれるコンテンツ識別情報から、コンテンツが３Ｄコンテンツであるか非３Ｄコンテンツであるかを判別し、２）コンテンツが３Ｄコンテンツであると判別した場合には、コンテンツのデータから、３Ｄ映像信号を非３Ｄ映像出力フォーマットにしたがい構成し、３）コンテンツが非３Ｄコンテンツであると判別した場合には、コンテンツのデータから、非３Ｄ映像の映像信号を非３Ｄ映像出力フォーマットにしたがい構成する。そして、第２の入出力部２０３が非３Ｄ映像信号を非３Ｄ映像出力モードで出力している際に、第２のリモコン信号受信部２０５が、再生すべきコンテンツをコンテンツから別のコンテンツに切り換える指示を受け付け、かつ、第２のＡＶ処理部２０２が、別のコンテンツは３Ｄコンテンツであると判別した場合、第２のＡＶ処理部２０２は、別のコンテンツのデータから３Ｄ映像信号を構成し、第２の入出力部２０３は、３Ｄ映像信号を映像表示装置１１へ非３Ｄ映像出力フォーマットにしたがい出力する。
【０１０７】
このように、本実施の形態による映像再生装置１２では、第２の入出力部２０３から出力する映像信号の出力フォーマットを２Ｄのフォーマット（２Ｄ映像信号用の出力モードのフォーマット）で維持し、そのコンテンツが２Ｄコンテンツであるか、３Ｄコンテンツであるかを示すフラグ情報を映像信号に重畳して出力することにより、２Ｄコンテンツと３Ｄコンテンツとの切換が起こった場合であっても、再認証をすることなく映像表示装置１１に映像を表示できる。その為、再認証に起因する映像の途切れを防止することができる。このような実施の形態は、３Ｄコンテンツと２Ｄのデータ放送との切換をするときなどに特に有効である。
【０１０８】
（実施の形態１〜４の第２のＡＶ処理部の詳細）
図８は、実施の形態１〜４の映像再生装置１２の第２のＡＶ処理部２０２の構成の詳細を示す図である。第２のＡＶ処理部２０２は、例えば、１つまたは２つ以上の半導体装置として構成されてよい。第２のＡＶ処理部２０２は、ディスク２００やチューナ２０７から入力される３Ｄコンテンツを含んだ映像ストリーム信号から映像信号を構成するデコーダ部２０２ａと、デコーダ部２０２ａから入力される映像信号を第２の入出力部２０３へ出力する信号出力部２０２ｄと、コンテンツの表示を３Ｄおよび２Ｄの間で切り換える指示を受ける３Ｄ／２Ｄ表示切換指示部２０２ｃとを有する。また、デコーダ部２０２ａは、３Ｄ映像信号用の出力モードで２Ｄ映像信号を出力するために、３Ｄ映像信号における左目映像およびそれに対応する右目映像として該左目映像またはそれに対応する右目映像のいずれか一方のみが繰り返し含まれる映像信号を構成する３Ｄフォーマット非２Ｄ映像構成部２０２ｂを備える。なお、信号出力部２０２ｄは、出力端子でよい。
【０１０９】
ＣＰＵ２０４は、第２のリモコン受信部２０５を介して入力される映像再生装置用リモコンからの指示、映像表示装置１１および第２の入出力部２０３を介して入力される映像表示装置用リモコンからの指示、チューナ２０７やディスクドライブ部２０１等から送られるコンテンツ識別情報等に基づき、３Ｄ／２Ｄ表示切換指示部２０２ｃに対し、コンテンツの映像データから３Ｄ表示用の映像信号（例えば、図５のフォーマット＠Ｓ１０１を有する映像信号）を構成するか、非３Ｄ（２Ｄ）表示用の映像信号（例えば、図５のフォーマット＠Ｓ２０３を有する映像信号）を構成するか、の指示を送ることができる。
【０１１０】
ＣＰＵ２０４からの指示を受けた３Ｄ／２Ｄ表示切換指示部２０２ｃは、当該指示に従い、デコーダ部２０２ａおよびその３Ｄフォーマット２Ｄ映像構成部２０２ｂを制御することができる。
【０１１１】
実施の形態１〜４の映像再生装置１２の第２のＡＶ処理部２０２は、コンテンツのデータを入力し、前記コンテンツのデータから、立体映像表示を可能とする３Ｄ映像信号、または、非立体映像表示を可能とする非３Ｄ映像信号を構成するデコーダ部２０２ａと、前記コンテンツの映像表示に関する指示を受け付けて、当該指示にもとづいて、前記デコーダ部２０２ａに対し、前記３Ｄ映像信号を構成するか前記非３Ｄ映像信号を構成するかを指示する３Ｄ／２Ｄ指示部２０２ｃと、前記デコーダ部２０２ａが構成した映像信号を、立体映像表示用の映像信号を出力するためのフォーマットである３Ｄ映像出力フォーマットにしたがい出力する信号出力部２０２ｄと、を有する半導体装置であってよい。
【０１１２】
（実施の形態５）
次に、実施の形態５による映像再生装置について説明する。
【０１１３】
０．本実施の形態の映像再生装置が解決する課題
先ず、３Ｄコンテンツを記録したディスク２００を再生する場合に映像再生装置がする動作について簡単に説明する。ディスク２００上には３Ｄ再生用の映像データとして、左目映像データ（Ｌ）と右目映像データ（Ｒ）がそれぞれ記録されている。映像再生装置１２は、これを各々再生し、映像表示装置１１へ左目映像信号（Ｌ）と右目映像信号（Ｒ）を出力する。映像表示装置１１は、例えば、この左目映像信号（Ｌ）の映像と右目映像信号（Ｒ）の映像とを時間的に交互に出力し、立体メガネ（液晶シャッターメガネ）１３は、このＬとＲに同期してシャッターを左右交互に駆動させることで、ユーザはコンテンツを立体映像として見ることが出来る。
【０１１４】
ここで、コンテンツを３Ｄ映像再生する場合に、メニューグラフィクスや字幕データなどの付加情報を重畳する場合、映像（例えば、コンテンツの本編映像）の飛び出し量（以後デプスと称す）に応じてメニューグラフィクスや字幕データのデプスを調節する必要がある。このことについて図９を用いて説明する。なお、メニューグラフィクスにかかる付加情報は、コンテンツのデータに、グラフィクス・データとして含まれてよく、字幕データにかかる付加情報は、コンテンツのデータに、テキスト・データとして含まれてよい。
【０１１５】
図９は、ユーザが３Ｄ映像を視聴した場合にユーザが認識する立体感を図面における左右方向（以下、「デプス」とも称する。）で表現して３Ｄ映像を真横から描いた図である。本図が例示する３Ｄ映像には、まず背景があり、その手前（ユーザ側）に人が立ち、さらにその手前（ユーザ側）に字幕データが重畳されている。ここで、人と字幕データのデプスの差をｄとする。
【０１１６】
このとき、３Ｄ映像において、例えば人が画面方向に対して前後に（図面上における左右方向、つまり、デプスの値が変化する方向に）移動するならば、仮に字幕データのデプスの値を固定して表示した場合、図９のデプス差ｄは、人が前後することで値が大きく変化する。
【０１１７】
３Ｄコンテンツを３Ｄ映像で視聴する際、このデプス差ｄが大きくなると、ユーザは字幕と人物の両方に焦点を合わせようとするため、焦点を合わすことが困難になり、著しい眼球疲労を起こすことがある。したがって、このデプス差ｄをつねにほぼ一定にするために、メニューグラフィクスや字幕データのオフセット量を調整する必要がある。
【０１１８】
図１０は、メニューグラフィクス３０１や字幕データ３０３などの付加情報のオフセットの概念を示す図である。図中のオフセットとは、例えば、Ｌ側のビデオ映像（Ｌビデオ３０５）にＬ側のメニューグラフィクス３０１・字幕データ３０３を重畳する際に付加するずれ量を示すもので、これはＲ側のビデオ映像（Ｒビデオ３０７）にＲ側のメニューグラフィクス３０１・字幕データ３０３を重畳する際に付加するずれ量と同じ値にする。このようにオフセットを各々Ｌ側とＲ側で与えることで、メニューグラフィクス３０１・字幕データ３０３の３Ｄ映像における奥行き方向、つまりデプスを調節することができる。このように、メニューグラフィクス３０１や字幕データ３０３（第１の映像）は、Ｌ／Ｒ側のビデオ映像（第２の映像）に対し、オフセットだけずれるように位置合わせされて重畳される。
【０１１９】
字幕と人のデプス差を一定に保つためには、３Ｄ映像中を人が前後に（図中のデプス方向に）移動するのにあわせて、オフセット値（オフセット量）を時間的に変化させればよい。すなわち、このオフセット量がビデオの映像に同期して時間的に変化するように予め設定しておくことで、図９のデプス差ｄをつねにほぼ一定に保つことができ、３Ｄ視聴時においてメニューや字幕などが重畳された場合であっても、ユーザは焦点を合わすことが容易になり、眼球疲労を大幅に軽減することが可能になる。
【０１２０】
図１１を参照し、メニューグラフィクス３０１や字幕データ３０３などの付加情報をビデオ映像（３０５、３０７）に重畳する際の映像再生装置１２の出力イメージを説明する。図１１は例えばブルーレイディスクで３Ｄ映像を実現する場合において、メニューグラフィクス３０１や字幕データ３０３の重畳方法を示したものである。図中のＩＧ  Ｓｔｒｅａｍ（ＩＧストリーム）とは、一般に、（例えば本編の）映像３０５、３０７（第２の映像）に重畳するメニューグラフィクス３０１（第１の映像）のストリームデータであり、ＰＧ  Ｓｔｒｅａｍ（ＰＧストリーム）とは、一般に、（例えば本編の）映像３０５、３０７に重畳する字幕（またはグラフィクスアニメーション）３０３のストリームデータである。映像再生装置１２は、これらメニューグラフィクス３０１および／または字幕３０３について、３Ｄのビデオ映像データ（Ｌビデオ３０５およびＲビデオ３０７）に対しオフセット値だけずらして重畳してから、Ｌデータ、Ｒデータとして出力する。なおこのオフセット値は、ビデオ映像の飛び出し量（デプス）に応じて時間軸で変化する適切な値を持ち、これらがストリーム中に埋め込まれているか、またはディスク上の管理情報として記録されているか、いずれかの方法で予めディスク上にオフセット情報として記録されている。
【０１２１】
しかしながら、前述の実施の形態による映像再生装置１２と映像表示装置１１において、例えば、ユーザの切り換え操作によって、映像表示装置１１（３Ｄテレビなど）側で３Ｄ表示から２Ｄ表示に切り換えた場合、映像表示装置１１では、Ｌビデオの映像とＲビデオの映像のうち一方の映像（例えばＬビデオの映像）のみで構成された動画映像が表示される。例えば、図５（ａ）に示すフォーマット＠Ｓ１０１で送られる映像信号の「Ｌ  ｏｄｄ」、「Ｌ  ｅｖｅｎ」のみで構成された動画映像が表示される。または、図５（ｂ）に示すフォーマット＠Ｓ２０３で送られる映像信号の「Ｌ  ｏｄｄ」、「Ｌ  ｅｖｅｎ」のみで構成された動画映像が表示される。その場合であっても、上で説明した図１０のオフセット値は時間的に変化するため、ユーザは、オフセット量に応じて左右に揺れるメニューグラフィクスや字幕データがＬ側の映像（Ｌビデオ）に重畳された映像を視聴することになってしまうという問題が発生する。
【０１２２】
上記問題を解決するため、本実施の形態による映像再生装置１２は、３Ｄ映像信号用の出力モードのフォーマット（図５のフォーマット＠Ｓ１０１またはフォーマット＠Ｓ２０３）で２Ｄ映像表示用の映像信号を出力する場合に、上記メニューグラフィクスや字幕データのオフセット量を一定値に固定する。そうすることで、３Ｄ映像信号用の出力モードのフォーマット（フォーマット＠Ｓ１０１またはフォーマット＠Ｓ２０３）で２Ｄ（非３Ｄ）映像表示用の映像信号を出力する場合に、上記メニューグラフィクスや字幕データの表示の揺らぎを防止する。このような構成を有することにより、本実施の形態による映像再生装置１２は、先述の実施の形態の映像再生装置１２と同様にして３Ｄ映像表示と２Ｄ（非３Ｄ）映像表示との間のスムーズな切り換えを実現するとともに、２Ｄ（非３Ｄ）表示におけるメニューグラフィクスや字幕データの揺れを抑止し、より視聴しやすい映像表示を実現することができる。
【０１２３】
１．３Ｄ映像再生表示システムの構成
以下、本実施の形態について説明する。映像再生装置及び映像表示装置（３Ｄ映像再生表示システム）の構成は、先述の実施の形態の構成とほぼ同等であるため、ここでは構成等にかかる説明は適宜省略する。
【０１２４】
図２に示す映像表示装置１１の第１の入出力部１０１は、本実施の形態においては、例えば、ＨＤＭＩインターフェースであってよい。なお、本実施の形態ではインターフェースとしてＨＤＭＩインターフェースを用いているが、ＨＤＭＩはあくまでインターフェースの一例である。したがって、本実施の形態はＨＤＭＩインターフェースに限定されるものではなく、その他のインターフェースであってもよい。第１の入出力部１０１は映像再生装置１２から入力した映像信号を第１のＡＶ処理部１０２へ出力する。第１のＡＶ処理部１０２は、第１のリモコン受信部１０４において受信したユーザの指定した映像表示モード（２Ｄ（非３Ｄ）表示モードあるいは３Ｄ表示モード）にしたがって、映像信号を出力する。表示部１０３は、第１のＡＶ処理部１０２から出力される映像信号に従って映像を表示する。
【０１２５】
第１のリモコン受信部１０４は、映像表示装置１１の映像表示モードの切り換えなどを含むユーザ操作による映像表示装置１１に対する指示をリモコンの発する信号として受信し、第１のＡＶ処理部１０２に通知する。送信部１０５は、立体メガネ（専用メガネ）１３のシャッターの開閉タイミング信号を送出する。
【０１２６】
第１の入出力部１０１を介し、映像表示装置１１から３Ｄ映像信号が入力されている場合であって、且つ、第１のリモコン受信部１０４が映像表示モードとして３Ｄ表示モードで映像を表示する旨を受信している場合は、第１のＡＶ処理部１０２は３Ｄ表示モードで映像を表示すべく、第１のＡＶ処理部１０２はＬ側とＲ側の映像信号を交互に表示部１０３へ出力する。また第１のＡＶ処理部１０２は送信部１０５へ前記のＬ／Ｒの交互の切り換えタイミング信号を送出する。
【０１２７】
ユーザによる映像表示装置用リモコンの操作により、映像表示装置１１が、その映像表示モードを３Ｄ表示モードから２Ｄ表示モードに切り換える旨の指示を受信した場合、第１のリモコン受信部１０４は、第１のＡＶ処理部１０２へ映像表示モードを２Ｄ表示モードに切り換える旨の指示を出す。第１のＡＶ処理部１０２は２Ｄ表示モードで映像を表示するため、映像再生装置１２から第１の入出力部１０１を介して入力される３Ｄ映像信号のＬとＲの映像データのうちＬ側の映像信号のみを表示部１０３へ出力する。これにより、表示部１０３ではＬ側の映像のみが表示され、見かけ上２Ｄの映像が表示される。
【０１２８】
また、第１のＡＶ処理部１０２は、いま、映像表示モードとして２Ｄ表示モードで映像を表示していることを示すステータスを第１の入出力部１０１を経由して映像再生装置１２に通知することができる。通知する方法としては、例えばＨＤＭＩのＣＥＣ（CONSUMER  ELECTRONICS  CONTROL）などが挙げられる。
【０１２９】
その後、第１のリモコン受信部１０４が映像表示モードを３Ｄ表示モードへ切り換える旨の指示を受信した場合には、第１のＡＶ処理部１０２は、第１の入出力部１０１から入力される３Ｄ映像信号のＬとＲの両方の映像信号を用いて映像信号を表示部１０３へ出力する。そして第１の入出力部１０１を経由して映像再生装置１２へ映像表示モードとして３Ｄ表示モードで映像を表示している旨を再び通知する。
【０１３０】
図３に示す映像再生装置１２のディスクドライブ部（ドライブ装置）２０１は、例えば光学ドライブを有し、ＤＶＤやＢＤなどのディスクからコンテンツに関するデータを読み出すことができるものとする。第２のＡＶ処理部２０２は、ドライブ装置２０１から読み出した映像データから映像信号を構成し先述の出力モードにしたがって出力する。第２の入出力部２０３は、例えばＨＤＭＩで映像表示装置１１と接続されてよい。第２のリモコン受信部２０５は、ユーザからの再生操作の指示を映像再生装置用リモコン経由で受信する。
【０１３１】
２．動作
２．１．認証動作
このように構成された映像再生装置１２の認証動作について説明する。まずディスクドライブ部（ドライブ装置）２０１に３Ｄコンテンツが記録されたディスクが挿入されると、第２のＡＶ処理部２０２はこのディスクに３Ｄコンテンツが含まれることを判定し、左目用（Ｌ）と右目用（Ｒ）の映像データをディスクから読み出し、再生する（映像信号を構成する）。再生した映像データ（映像信号）は第２の入出力部２０３へ送出されるとともに、映像表示装置１１とのＨＤＭＩ接続において３Ｄ接続の相互認証を行う。これにより表示装置１１は映像表示モードとして３Ｄ表示モードで映像を表示する。第２のＡＶ処理部２０２がディスクドライブ部（ドライブ装置）２０１に挿入されたディスクが２Ｄコンテンツであると判定した場合は、映像表示装置１１とのＨＤＭＩ接続において２Ｄ接続の相互認証を行う。これにより映像表示装置１１は、映像表示モードとして２Ｄ表示モードで映像を表示する。
【０１３２】
２．２．映像表示モード変更時の再生動作
以上のように構成されたシステムにおける映像再生装置１２の、コンテンツ再生中に映像表示モード変更動作について、図１２を参照しながら説明する。図１２では、映像再生装置１２のディスクドライブ部２０１にコンテンツが記録されたディスクが挿入され、該コンテンツ（３Ｄコンテンツ）を再生中に映像表示装置１１の映像表示モードが２Ｄ表示モードに変更された場合の映像再生装置１２における処理を示す。
【０１３３】
映像再生装置１２の第２のＡＶ処理部２０２は、ディスクドライブ部２０１に挿入されたディスクに含まれる再生すべきコンテンツが２Ｄコンテンツなのか３Ｄコンテンツなのかを判別する（Ｓ５０１）。ここでの、３Ｄコンテンツとは、映像表示装置１１に３Ｄ映像を表示させる為に必要な情報を含むコンテンツである。一方、２Ｄコンテンツとは、映像表示装置１１に３Ｄ映像を表示させる為に必要な情報を含まないコンテンツである。具体的な判別方法として、ディスク上の管理情報などにそのディスクに記録されているコンテンツが２Ｄコンテンツか３Ｄコンテンツかを示すフラグが記載されていて、映像再生装置１２がそれを読み込んで判断することができる。
【０１３４】
コンテンツが２Ｄコンテンツであると判断された場合（ステップＳ５０１における「ＮＯ」）、映像再生装置１２は、映像表示装置１１との映像信号の伝送路であるＨＤＭＩインターフェースにおいて２Ｄ映像信号用の出力モードでの接続の認証を行い（Ｓ５０９）、２Ｄコンテンツを再生（２Ｄ映像信号を出力）する（Ｓ５１０）。
【０１３５】
一方、コンテンツが３Ｄコンテンツであると判断された場合（ステップＳ５０１における「ＹＥＳ」）、映像再生装置１２は、ＨＤＭＩの３Ｄ映像信号用の出力モードでの接続の認証を行う（Ｓ５０２）。
【０１３６】
続いて、映像再生装置１２は、ディスクドライブ部２０１に挿入されているディスクに記録されている３Ｄコンテンツを読み出し、そのコンテンツの３Ｄ再生（３Ｄ映像信号の出力）を行う（Ｓ５０３）。すなわち、映像再生装置１２は、当該コンテンツを３Ｄ表示で表示するための３Ｄ映像信号を映像表示装置１１に出力する。
【０１３７】
このとき映像表示装置１１は、受信したコンテンツの映像信号を３Ｄ表示モードで表示する。ここで、映像再生装置１２の第２のＡＶ処理部２０２が出力する映像信号には、メニューグラフィクス３０１や字幕データ３０３などの付加情報が、ディスク上から読み出したコンテンツのビデオ映像データに時間的に同期して変化するオフセット値のデータをに基づいてオフセットを加えてビデオ映像に重畳されている。このオフセットの付与により、上述したように、３Ｄのビデオ映像に含まれる客体と重畳された付加情報とのデプス差の変動が少なくなり、ユーザの眼球疲労を軽減することができる。
【０１３８】
その後、映像再生装置１２は、再生中のコンテンツの終了判定を行う（Ｓ５０４）。
【０１３９】
ここで、映像再生装置１２は、ユーザが映像表示装置用リモコンを操作することにより映像表示装置１１に対して映像表示モードを３Ｄ表示モードから２Ｄ表示モードに変更する指示を送ると、当該指示の内容に関する情報を映像表示装置１１からＨＤＭＩインターフェース等を通じて受信することができる。なお、このとき、ＨＤＭＩにおいて、接続形態を変更する旨の再認証処理は行わない。つまり、ＨＤＭＩ上では、映像再生装置１２と映像表示装置１１との接続はあくまで３Ｄ映像信号用の出力モードで接続されたままの状態が維持される。
【０１４０】
再生中のコンテンツが終了していない場合、映像再生装置１２は、映像表示装置１１から映像表示モードが３Ｄ表示モードから２Ｄ表示モードに変更された旨の通知を受けたか否かについて判定する（Ｓ５０５）。
【０１４１】
映像再生装置１２は、映像表示装置１１から上記通知を受けたと判定した場合（ステップＳ５０５における「ＹＥＳ」）、映像再生装置１２の第２のＡＶ処理部２０２は、付加情報へのオフセット量が時間的に変動しないように、ある一定の所定値に固定して出力する（Ｓ５０６）。これにより、映像表示装置１１の２Ｄ表示モードでの映像表示において、メニューグラフィクス５０１や字幕データ３０３などの付加情報は、画面上のある定まった位置に表示されるようになる。
【０１４２】
その後、映像再生装置１２は、再生中のコンテンツの終了判定を行う（Ｓ５０７）。
【０１４３】
ここで、映像再生装置１２は、ユーザが映像表示装置用リモコンを操作することにより映像表示装置１１に対して映像表示モードを２Ｄ表示モードから３Ｄ表示モードに戻す指示があると、映像表示装置１１からＨＤＭＩインターフェース等を通じて、当該指示があったことを受け取ることができる。
【０１４４】
再生中のコンテンツが終了していない場合、映像再生装置１２は、映像表示装置１１から映像表示モードが２Ｄ表示モードから３Ｄ表示モードに戻された旨の通知を受けたかどうかについて判定する（Ｓ５０８）。
【０１４５】
映像再生装置１２は、映像再生装置１２は、映像表示装置１１から上記通知を受けていないと判定した場合（ステップＳ５０８における「ＮＯ」）、ステップＳ５０６の処理を実行する。なお、このときも、ＨＤＭＩにおいて、接続形態を変更する旨の再認証処理は行われない。
【０１４６】
一方、映像再生装置１２は、映像表示装置１１の映像表示モードが３Ｄモードに切り換わった旨の通知を受けたと判定した場合、すなわち、映像表示装置１１の映像表示モードが再び３Ｄ表示モードに切り換わったことを検出すると、処理は再びＳ５０３へ移行する。これにより、メニューグラフィクス３０１や字幕データ３０３などの付加情報をビデオ映像に重畳する際のオフセット値（オフセット量）が、一定の所定値からビデオ映像に同期して時間的に変化する値へ変更される。
【０１４７】
本実施の形態において、映像再生装置１２は、以上のようなステップを繰り返すことにより、映像表示装置１１のリモコンによる映像表示モードの２Ｄ表示モードと３Ｄ表示モードとの間の切り換えに応じて、メニューグラフィクス３０１や字幕データ３０３などの付加情報をビデオ映像に重畳する際のオフセット量を一定の所定値と、ビデオ映像に同期して時間的に変化する値との間で切り換える。そうすることで、本実施の形態では、３Ｄコンテンツにかかる映像表示モードが３Ｄ表示モードと２Ｄ表示モードとの間で切り換えられた場合にＨＤＭＩインターフェースの再認証処理は行われない。そのため、スムーズに映像表示モードの変更がなされるとともに、付加情報のオフセット量も時間的に変換する値と一定の所定値との間で切り換えられることにより、３Ｄコンテンツの付加情報が２Ｄ表示モードにおいて揺らいで表示されることを防止する。
【０１４８】
以上説明したように、本実施の形態においては、映像表示装置１１の映像表示モードが３Ｄ表示モードから２Ｄ表示モードに切り換わった場合でも、映像再生装置１２は、映像表示装置１１の表示モードを検出し、メニューグラフィクス３０１や字幕データ３０３などの付加情報のオフセット量を時間的に変化しない一定の所定値に固定にするので、（例えば本編の）映像に重畳された付加情報が、２Ｄ表示において左右に揺れるといったような現象は発生しなくなる。また、映像表示装置１１の映像表示モードが３Ｄ表示モードから２Ｄ表示モードに切り換わった場合でも、ＨＤＭＩの再認証をする必要は無く、画面の同期乱れやブラックアウトや画面フリーズは起こらず、スムーズかつスピーディに２Ｄ表示と３Ｄ表示を切り換えることができる。
【０１４９】
つまり、本実施の形態による映像再生装置１２は、第２のＡＶ処理部２０２と、第２の入出力部２０３とを有する。ここで、第２のＡＶ処理部２０２、および、第２の入出力部２０３は、実施の形態１〜４の第２のＡＶ処理部２０２、および、第２の入出力部２０３と同等の構成および機能を有するように構成されてよい。さらに、本実施の形態の第２のＡＶ処理部２０２は、再生する３Ｄコンテンツに同期して時間的に変化するオフセット量を示すオフセット情報を受信し、当該オフセット量を加えて付加情報（第１の映像）を３Ｄビデオ映像（第２の映像）に重畳して３Ｄ映像信号として出力可能である。また、本実施の形態の第２の入出力部２０３は、映像表示装置１１の映像表示モードの設定が３Ｄ表示モードに設定されているか、２Ｄ表示モードに設定されているかに関する情報を受信可能であり、第２のＡＶ処理部２０２は、第２の入出力部２０３が受信した映像表示装置１１にかかる上記設定が、２Ｄ表示モードに設定されたことを検知した場合には、上記オフセット情報が３Ｄコンテンツに同期して時間的に変化する場合であっても、３Ｄビデオ映像に重畳される付加情報（第１の映像）に付加されるオフセットの量を一定の所定値に固定して３Ｄビデオ映像（第２の映像）に重畳して３Ｄ映像信号として出力する。
【０１５０】
言い換えれば、本実施の形態による映像再生装置１２は、先の実施の形態による映像再生装置１２と同様、映像表示装置１１との間の伝送路のフォーマット（ＨＤＭＩインターフェースのモード）として３Ｄ映像信号用の出力モードに対応したフォーマットを用いて、映像表示装置１１に対し、３Ｄ表示用の映像信号（例えば、図５のフォーマット＠Ｓ１０１による映像信号）、および、非３Ｄ（２Ｄ）表示用の映像信号（例えば、図５のフォーマット＠Ｓ２０３による映像信号）を出力することが可能である。さらに、本実施の形態による映像再生装置１２は、上記３Ｄ表示用の映像信号においては、付加情報の３Ｄビデオ映像に対するオフセットの量を時間的に可変として付加情報と３Ｄビデオ映像との重畳を行い、上記非３Ｄ（２Ｄ）表示用の映像信号においては、付加情報の上記オフセット量を時間的に変化しない一定の所定値に固定して付加情報とビデオ映像との重畳を行うことができる。
【０１５１】
実施の形態５の映像再生装置１２は、体映像表示を可能とする３Ｄ映像信号または非立体映像表示を可能とする非３Ｄ映像信号を映像表示装置へ出力可能な映像再生装置であって、コンテンツのデータを入力し、前記コンテンツの第１映像を、前記コンテンツに含まれるオフセット情報に応じたオフセット量に基づいて、前記コンテンツの第２映像に対して位置合わせして重畳することにより前記コンテンツの映像信号を構成する第２のＡＶ処理部２０２と、前記第２のＡＶ処理部２０２で構成された映像信号を、立体映像表示用の映像信号を出力するためのフォーマットである３Ｄ映像出力フォーマットにしたがい、前記映像表示装置１１へ出力する第２の入出力部２０３と、前記コンテンツの映像表示を、３Ｄ表示とするか非３Ｄ表示とするかを指示する情報を受け付ける第２の入出力部２０３と、を有し、前記第２の入出力部２０３が、前記第１映像が重畳された前記映像信号を、前記３Ｄ映像出力フォーマットにしたがい出力している際に、前記第２の入出力部２０３が、前記コンテンツの映像表示を非３Ｄ表示にする指示を受け付けた場合、前記第２のＡＶ処理部２０２は、前記オフセット量を時間的に変化しない一定値に固定し、前記一定値のオフセット量に基づいて、前記第１映像を、前記第２映像に対して位置合わせして重畳することにより前記映像信号を構成し、前記第２の入出力部２０３は、前記映像信号を、前記映像表示装置へ前記３Ｄ映像出力モードにしたがい出力する。
【０１５２】
また、本実施の形態の映像再生装置１２においては、第２の入出力部２０３と映像表示装置１１との間で受け渡しする映像信号が３Ｄ映像信号から非３Ｄ（２Ｄ）映像信号へ変化した場合、もしくは、非３Ｄ（２Ｄ）映像信号から３Ｄ映像信号へ変化した場合に相互に認証が必要な場合において、映像再生装置１２が、映像表示装置１１の映像表示モードが２Ｄ映像を表示する状態（２Ｄ表示モード）に設定されたことを検知した場合には、第２の入出力部２０３は、相互に認証を行わずに映像表示装置１１へ立体映像（３Ｄ映像信号）を出力する状態を維持し、第２のＡＶ処理部２０２は、重畳される付加情報のオフセット情報を時間的に変化しない一定の所定値に固定にしてビデオ映像に重畳して構成された映像信号を出力する。
【０１５３】
本実施の形態については、付加情報にかかる映像の重畳にかかるオフセット量の制御について詳述したが、本実施の形態においても、先の実施の形態と同様、映像再生装置１２は、３Ｄコンテンツの３Ｄ表示と非３Ｄ表示との間の切り換え指示に応じて、３Ｄ映像信号の構成を、図５に示したフォーマット＠Ｓ１０１とフォーマット＠Ｓ２０３との間で切り換えてよい。
【０１５４】
なお、本実施の形態においても、先の実施の形態と同様、映像再生装置１２は、自機用のリモコンから直接的に、３Ｄ表示と非３Ｄ表示との切換にかかる指示を受信することも可能である。
【０１５５】
３．第２のＡＶ処理部の詳細
図１３は、実施の形態５の映像再生装置１２の第２のＡＶ処理部２０２の構成の詳細を示す図である。第２のＡＶ処理部２０２は、例えば、１つまたは２つ以上の半導体装置として構成されてよい。第２のＡＶ処理部２０２は、ディスク２００やチューナ２０７から入力される３Ｄコンテンツを含んだ映像ストリーム信号から映像信号を構成するデコーダ部２０２ａと、デコーダ部２０２ａから入力される映像信号を第２の入出力部２０３へ出力する信号出力部２０２ｄと、コンテンツの表示を３Ｄおよび２Ｄの間で切り換える指示を受ける３Ｄ／２Ｄ表示切換指示部２０２ｃとを有する。また、デコーダ部２０２ａは、３Ｄ映像信号用の出力モードで２Ｄ映像信号を出力するために、３Ｄ映像信号における左目映像およびそれに対応する右目映像として該左目映像またはそれに対応する右目映像のいずれか一方のみが繰り返し含まれる映像信号を構成する３Ｄフォーマット２Ｄ映像構成部２０２ｂを備え、さらに、付加情報にかかる時間的に変化するオフセット量を一定の所定値に固定して３Ｄフォーマット２Ｄ映像構成部２０２ｂへ出力するオフセット固定部２０２ｅを備える。なお、信号出力部２０２ｄは、出力端子でよい。
【０１５６】
ＣＰＵ２０４は、第２のリモコン受信部２０５を介して入力される映像再生装置用リモコンからの指示、映像表示装置１１および第２の入出力部２０３を介して入力される映像表示装置用リモコンからの指示等に基づき、３Ｄ／２Ｄ表示切換指示部２０２ｃに対し、コンテンツの映像データから３Ｄ表示モード用の映像信号（例えば、図５のフォーマット＠Ｓ１０１を有する映像信号）を構成するか、非３Ｄ（２Ｄ）表示モード用の映像信号（例えば、図５のフォーマット＠Ｓ２０３を有する映像信号）を構成するか、の指示を送ることができる。
【０１５７】
ＣＰＵ２０４からの指示を受けた３Ｄ／２Ｄ表示切換指示部２０２ｃは、当該指示に従い、デコーダ部２０２ａ、ならびに、その３Ｄフォーマット２Ｄ映像構成部２０２ｂおよびオフセット固定部２０２ｅを制御することができる。
【０１５８】
実施の形態５の映像再生装置１２の第２のＡＶ処理部２０２は、コンテンツのデータを入力し、前記コンテンツの第１映像を、前記コンテンツに含まれるオフセット情報に応じたオフセット量に基づいて、前記コンテンツの第２映像に対して位置合わせして重畳することにより前記コンテンツの映像信号を構成するデコーダ部２０２ａと、前記オフセット量を時間的に変化しない一定値に固定するオフセット固定部２０２ｅと、前記コンテンツの映像表示に関する指示を受け付けて、当該指示にもとづいて、前記デコーダ部２０２ａに対し、前記オフセット情報に応じたオフセット量を用いるか、前記一定値のオフセット量を用いるかを指示する３Ｄ／２Ｄ指示部２０２ｃと、前記デコーダ部２０２ａが構成した映像信号を、立体映像表示用の映像信号を出力するためのフォーマットである３Ｄ映像出力フォーマットにしたがい出力する信号出力部２０２ｄと、を有し、前記信号出力部２０２ｄが前記オフセット情報に応じたオフセット量に基づいて第１映像が重畳された前記映像信号を前記３Ｄ映像出力フォーマットにしたがい出力している際に、前記３Ｄ／２Ｄ指示部２０２ｃが、前記コンテンツの映像表示を非３Ｄ表示にする指示を受け付けた場合、前記デコーダ部２０２ａは、前記一定値のオフセット量に基づいて、前記第１映像を、前記第２映像に対して位置合わせして重畳することにより前記映像信号を構成し、前記信号出力部２０２ｄは、前記映像信号を前記３Ｄ映像出力モードにしたがい出力する、半導体装置であってよい。
【０１５９】
４．変形例
なお、図１１中では、ＩＧストリームやＰＧストリームには、３Ｄ映像表示用にＬ用Ｒ用に分けてＬ用／Ｒ用メニューやＬ用／Ｒ用字幕が格納されていない場合を示している。つまり、出力時には、Ｌビデオ３０５にもＲビデオ３０７にも、これらＩＧ／ＰＧストリームは、オフセット以外は同じ内容のものをビデオ映像のＬビデオ３０５およびＲビデオ３０７に各々重畳される。しかし、これらＩＧ／ＰＧストリームにおいてＬ用とＲ用のおのおの２つのデータを用意し、各々Ｌ用メニュー（Ｌ用字幕）とＲ用メニュー（Ｒ用字幕）として独立してビデオ映像のＬビデオ３０５とＲビデオ３０７に重畳してもよい。その場合も、オフセットは本実施の形態の説明にしたがって、実施すればよい。
【０１６０】
なお、本実施の形態において、上述のように予めメニューグラフィクス３０１や字幕データ３０３などの付加情報が２Ｄ用と３Ｄ用（Ｌ用とＲ用）の２つのデータが用意されている場合には、図１２のステップＳ５０３およびステップＳ５０６の処理の変わりに、重畳すべき付加情報データを２Ｄ用と３Ｄ用とで切り換えて実施してもよい。２Ｄ用の付加情報では、もとよりオフセットは固定されている。よって、ステップＳ５０３において、３Ｄコンテンツを３Ｄ表示モードで映像表示装置１１に表示する場合、オフセットを加味した３Ｄモード用のＬとＲの付加情報を各々ビデオ映像のＬとＲへ重畳して映像信号を構成して映像表示装置１１へ出力し、ステップＳ５０６において映像表示装置１１の映像表示モードが３Ｄ表示モードから２Ｄ表示モードの表示に切り換わったら、もとよりオフセットの値が固定されている（例えば、ゼロに固定されている）２Ｄ用の付加情報をビデオ映像のＬとＲに重畳すればよい。
【０１６１】
このように付加情報が予め２Ｄ用と３Ｄ用が用意されている場合は、映像表示装置１１の映像表示モードが２Ｄ表示モードに切り換わった場合２Ｄ用の付加情報を用いることで、映像表示の不自然さ（揺らぎ）を回避できる。すなわち、２Ｄ表示モードでの表示時においては、映像表示装置１１が３Ｄ映像信号のＬ側のみを表示している場合に、付加情報もＬ側のみを表示すると、一般に３Ｄ用として用意された付加情報のＬ側用データは、２Ｄ用の情報とは異なる場合があるため、多少の不自然さが発生する場合がある。（３Ｄ用として用意された付加情報のＬ側用データには、視差が含まれることがある。）しがたって、このように付加情報を２Ｄ表示モードと３Ｄ表示モードで切り換えることで、上述の不自然さは解消できる。
【０１６２】
つまり、上述の映像再生装置１２の第２のＡＶ処理部２０２は、３Ｄ表示用の付加情報と、２Ｄ表示用の付加情報とをディスク等から受信可能であり、第２の入出力部２０３は、映像表示装置１１から受信した情報に基づき、３Ｄ表示用の付加情報と、２Ｄ体表示用の付加情報とのいずれかを付加情報として立体映像に重畳する。
【０１６３】
なお、上記で説明したＩＧストリームの変わりに、もっともよくブルーレイディスクのグラフィクスメニューで利用されているＢＤ−Ｊａｖａ（登録商標）を用いても同様に実施可能である。また、上記で説明したＰＧストリームの代わりにテキスト（文字コード）情報、つまりＴｅｘｔサブタイトル（Ｔｅｘｔ  Ｓｕｂｔｉｔｌｅ）（図４にてＴｅｘｔＳＴと表記したもの）を用いても同様に実施可能である。
【０１６４】
また、本実施の形態においては、メニューグラフィクス３０１や字幕データ３０３などの付加情報について説明した。しかし、付加情報は再生装置に記憶されているＯＳＤ（On Screen Display）の情報であってもよい。
【０１６５】
また、本実施の形態において、映像表示装置１１から映像再生装置１２へ映像表示装置１１における映像表示モードを通知する方法として、ＨＤＭＩのＣＥＣを例に説明したが、ＬＡＮやネットワーク、シリアル通信、および赤外線通信、無線通信など、その他の方法であってもよい。
【０１６６】
本実施の形態は、映像表示装置の映像表示モードが３Ｄ表示モードと２Ｄ表示モードとの間で切り換わった場合に、スムーズかつスピーディに映像表示モードを切り換えるとともに、２Ｄ表示モードにおいて付加情報等をただしく表示することができる。
【０１６７】
なお、本明細書では、黒画面表示をブラックアウトと称した。しかし、ブラックアウトは、黒画面表示だけではなく、緑画面表示など、他の色の画面表示であっても良い。また、ブラックアウトは、ＨＤＭＩの認証により一部が崩れた画像であっても良い。つまり、ブラックアウトとは、ＨＤＭＩインターフェースの認証が開始されてから完了するまでに表示される画面の事を指す。
【産業上の利用可能性】
【０１６８】
本実施の形態は、映像表示装置と伝送路で接続され、立体映像を表示することができる映像再生装置として有用である。
【符号の説明】
【０１６９】
１１  ・・・  映像表示装置
１２  ・・・  映像再生装置
１３  ・・・  立体メガネ
１０１  ・・・  第１の入出力部
１０２  ・・・  第１のＡＶ処理部
１０３  ・・・  表示部
１０４  ・・・  第１のリモコン信号受信部
１０５  ・・・  送信部
２００  ・・・  ディスク
２０１  ・・・  ディスクドライブ部
２０２  ・・・  第２のＡＶ処理部
２０２ａ・・・  デコーダ部
２０２ｂ・・・  ３Ｄフォーマット非３Ｄ映像構成部
２０２ｃ・・・  ３Ｄ／非３Ｄ切換指示部
２０２ｄ・・・  信号出力部
２０２ｅ・・・  オフセット固定部
２０３  ・・・  第２の入出力部
２０４  ・・・  ＣＰＵ（制御部）
２０５  ・・・  第２のリモコン信号受信部
２０６  ・・・  アンテナ
２０７  ・・・  チューナ
３０１  ・・・  メニューグラフィクス
３０３  ・・・  字幕データ
３０５  ・・・  Ｌビデオ
３０７  ・・・  Ｒビデオ
ｄ  ・・・  デプス差
【手続補正３】
【補正対象書類名】図面
【補正対象項目名】全図
【補正方法】変更
【補正の内容】
【図１】
2011007564.tif 000018
【図２】
2011007564.tif 000019
【図３】
2011007564.tif 000020
【図４】
2011007564.tif 000021
【図５】
2011007564.tif 000022
【図６】
2011007564.tif 000023
【図７】
2011007564.tif 000024
【図８】
2011007564.tif 000025
【図９】
2011007564.tif 000026
【図１０】
2011007564.tif 000027
【図１１】
2011007564.tif 000028
【図１２】
2011007564.tif 000029
【図１３】
2011007564.tif 000030
【図１４】
2011007564.tif 000031
【図１５】
2011007564.tif 000032
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像出力フォーマットにしたがい出力している際に、前記受信部が、前記コンテンツの映像表示を非３Ｄ表示にする指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力フォーマットにしたがい出力する、映像再生装置。
【請求項２】
さらに、ユーザが前記映像表示装置に対して入力した指示を前記映像表示装置から受信する入力部を有し、
前記出力部が前記３Ｄ映像信号を前記３Ｄ映像出力フォーマットにしたがい出力している際に、前記入力部が、前記映像表示装置の映像表示を３Ｄ表示から前記非３Ｄ表示へ切り換える指示を入力した場合、前記ＡＶ処理部は、前記コンテンツのデータから非３Ｄ映像の映像信号を構成し、前記出力部は、前記非３Ｄ映像信号を前記映像表示装置へ前記３Ｄ映像出力フォーマットにしたがい出力する、請求項１に記載の映像再生装置。
【請求項３】
前記ＡＶ処理部は、前記コンテンツのデータに含まれるコンテンツ識別情報から、前記コンテンツが３Ｄコンテンツであるか非３Ｄコンテンツであるかを判別し、
前記出力部が前記３Ｄ映像信号を前記３Ｄ映像出力フォーマットにしたがい出力している際に、前記受信部が、再生すべきコンテンツを前記コンテンツから別のコンテンツに切り換える指示を受け付け、かつ、前記ＡＶ処理部が、前記別のコンテンツは非３Ｄコンテンツであると判別した場合、前記ＡＶ処理部は、前記別のコンテンツのデータから非３Ｄ映像信号を構成し、前記出力部は、前記非３Ｄ映像信号を前記映像表示装置へ前記３Ｄ映像出力フォーマットにしたがい出力する、請求項１に記載の映像再生装置。
【請求項４】
前記ＡＶ処理部は、記憶媒体に記憶されているコンテンツのデータおよびコンテンツ識別情報を入力する、請求項３に記載の映像再生装置。
【請求項５】
前記ＡＶ処理部は、前記映像再生装置の外部から受信したコンテンツのデータおよびコンテンツ識別情報を入力する、請求項３に記載の映像再生装置。
【請求項６】
前記別のコンテンツは、非３Ｄコンテンツを含むデータ放送である、請求項３に記載の映像再生装置。
【請求項７】
前記３Ｄ映像信号は、視差を有する左目用の映像である左目映像と右目用の映像である右目映像を含み、
前記出力部が前記３Ｄ映像信号を前記３Ｄ映像出力フォーマットにしたがい出力している間に、前記受信部が、前記コンテンツの映像表示を非３Ｄ表示にする指示を受け付けた場合、前記ＡＶ処理部は、前記非３Ｄ映像の映像信号を、前記左目映像および前記右目映像のいずれか一方のみを含むように構成する、請求項１に記載の映像再生装置。
【請求項８】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、３Ｄ映像信号または非３Ｄ映像信号を構成するＡＶ処理部と、
前記ＡＶ処理部で構成された３Ｄ映像信号または非３Ｄ映像信号を、立体映像表示用の映像信号を出力するためのフォーマットである３Ｄ映像出力フォーマットにしたがい、前記映像表示装置へ出力する出力部と、
ユーザが入力する指示を受け付ける受信部と、を有し、
前記出力部が前記３Ｄ映像信号を前記３Ｄ映像信号出力フォーマットにしたがい出力している際に、前記受信部が、前記コンテンツを特殊再生する指示を受け付けた場合、前記ＡＶ処理部は、前記コンテンツのデータから、非３Ｄ映像信号を構成し、前記出力部は、前記非３Ｄ映像信号を前記映像表示装置へ前記３Ｄ映像出力フォーマットにしたがい出力する、映像再生装置。
【請求項９】
立体映像表示を可能とする３Ｄ映像信号または非立体映像表示を可能とする非３Ｄ映像信号を映像表示装置へ出力可能な映像再生装置であって、
コンテンツのデータを入力し、前記コンテンツのデータから、立体映像であることを示す情報が重畳された３Ｄ映像信号または前記立体映像であることを示す情報が重畳されない非３Ｄ映像信号を構成するＡＶ処理部と、
前記ＡＶ処理部で構成された３Ｄ映像信号または非３Ｄ映像信号を、非立体映像表示用の映像信号を出力するためのフォーマットである非３Ｄ映像出力フォーマットにしたがい、前記映像表示装置へ出力する出力部と、
ユーザが入力する指示を受け付ける受信部と、を備え、
前記ＡＶ処理部は、
前記コンテンツのデータに含まれるコンテンツ識別情報から、前記コンテンツが３Ｄコンテンツであるか非３Ｄコンテンツであるかを判別し、
前記コンテンツが３Ｄコンテンツであると判別した場合には、前記コンテンツのデータから、３Ｄ映像信号を前記非３Ｄ映像出力フォーマットにしたがい構成し、
前記コンテンツが非３Ｄコンテンツであると判別した場合には、前記コンテンツのデータから、非３Ｄ映像の映像信号を前記非３Ｄ映像出力フォーマットにしたがい構成し、
前記出力部が前記非３Ｄ映像信号を前記非３Ｄ映像出力フォーマットで出力している際に、前記受信部が、再生すべきコンテンツを前記コンテンツから別のコンテンツに切り換える指示を受け付け、かつ、前記ＡＶ処理部が、前記別のコンテンツは３Ｄコンテンツであると判別した場合、前記ＡＶ処理部は、前記別のコンテンツのデータから３Ｄ映像信号を構成し、前記出力部は、前記３Ｄ映像信号を前記映像表示装置へ前記非３Ｄ映像出力フォーマットにしたがい出力する、映像再生装置。
【請求項１０】
前記ＡＶ処理部は、前記コンテンツは非３Ｄコンテンツであると判別した場合には、非立体映像であることを示す情報が重畳された非立体映像表示用の非３Ｄ映像の映像信号を構成する、請求項９に記載の映像再生装置。
【請求項１１】
立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、
ＡＶ処理部が、コンテンツのデータを入力するステップと、
前記ＡＶ処理部が、前記コンテンツのデータから、３Ｄ映像信号を、映像表示装置へ３Ｄ映像の映像信号を出力するための出力フォーマットである３Ｄ映像信号出力フォーマットに適合したフォーマットで構成して、出力部が、前記ＡＶ処理部から前記映像信号を受け、前記映像表示装置に対し、前記３Ｄ映像信号を、前記３Ｄ映像信号出力フォーマットで出力するステップと、
受信部が、ユーザが入力する前記コンテンツの映像表示を３Ｄ表示から非３Ｄ表示へ切り換える指示を受け付けるステップと、
前記受け付けるステップの後に、前記ＡＶ処理部が、当該指示を受けて前記非３Ｄ映像信号を構成して、前記出力部が、前記非３Ｄ映像信号を前記映像表示装置に対して前記３Ｄ映像信号出力フォーマットで出力するステップと、を有する、映像再生装置において映像信号を構成し映像表示装置へ出力する方法。
【手続補正２】
【補正対象書類名】明細書
【補正対象項目名】００２１
【補正方法】変更
【補正の内容】
【００２１】
本発明の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、３Ｄ映像信号または非３Ｄ映像信号を構成するＡＶ処理部と、ＡＶ処理部で構成された３Ｄ映像信号または非３Ｄ映像信号を、立体映像表示用の映像信号を出力するためのフォーマットである３Ｄ映像出力フォーマットにしたがい、映像表示装置へ出力する出力部と、ユーザが入力する指示を受け付ける受信部と、を有し、出力部が３Ｄ映像信号を３Ｄ映像出力フォーマットにしたがい出力している際に、受信部が、コンテンツの映像表示を非３Ｄ表示にする指示を受け付けた場合、ＡＶ処理部は、コンテンツのデータから、非３Ｄ映像信号を構成し、出力部は、非３Ｄ映像信号を映像表示装置へ３Ｄ映像出力フォーマットにしたがい出力する、映像再生装置である。
【手続補正３】
【補正対象書類名】明細書
【補正対象項目名】００２２
【補正方法】変更
【補正の内容】
【００２２】
本発明の一態様においては、さらに、ユーザが映像表示装置に対して入力した指示を映像表示装置から受信する入力部を有し、出力部が３Ｄ映像信号を３Ｄ映像出力フォーマットにしたがい出力している際に、入力部が、映像表示装置の映像表示を３Ｄ表示から非３Ｄ表示へ切り換える指示を入力した場合、ＡＶ処理部は、コンテンツのデータから非３Ｄ映像の映像信号を構成し、出力部は、非３Ｄ映像信号を映像表示装置へ３Ｄ映像出力フォーマットにしたがい出力することが好ましい。
【手続補正４】
【補正対象書類名】明細書
【補正対象項目名】００２３
【補正方法】変更
【補正の内容】
【００２３】
本発明の一態様においては、ＡＶ処理部は、コンテンツのデータに含まれるコンテンツ識別情報から、コンテンツが３Ｄコンテンツであるか非３Ｄコンテンツであるかを判別し、出力部が３Ｄ映像信号を３Ｄ映像出力フォーマットにしたがい出力している際に、受信部が、再生すべきコンテンツをコンテンツから別のコンテンツに切り換える指示を受け付け、かつ、ＡＶ処理部が、別のコンテンツは非３Ｄコンテンツであると判別した場合、ＡＶ処理部は、別のコンテンツのデータから非３Ｄ映像信号を構成し、出力部は、非３Ｄ映像信号を映像表示装置へ３Ｄ映像出力フォーマットにしたがい出力することが好ましい。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】変更
【補正の内容】
【００３０】
本発明のさらに別の一態様は、立体映像表示を可能とする３Ｄ映像信号または非立体映像表示を可能とする非３Ｄ映像信号を映像表示装置へ出力可能な映像再生装置であって、コンテンツのデータを入力し、コンテンツのデータから、立体映像であることを示す情報が重畳された３Ｄ映像信号または立体映像であることを示す情報が重畳されない非３Ｄ映像信号を構成するＡＶ処理部と、ＡＶ処理部で構成された３Ｄ映像信号または非３Ｄ映像信号を、非立体映像表示用の映像信号を出力するためのフォーマットである非３Ｄ映像出力フォーマットにしたがい、映像表示装置へ出力する出力部と、ユーザが入力する指示を受け付ける受信部と、を備え、
ＡＶ処理部は、１）コンテンツのデータに含まれるコンテンツ識別情報から、コンテンツが３Ｄコンテンツであるか非３Ｄコンテンツであるかを判別し、２）コンテンツが３Ｄコンテンツであると判別した場合には、コンテンツのデータから、３Ｄ映像信号を非３Ｄ映像出力フォーマットにしたがい構成し、３）コンテンツが非３Ｄコンテンツであると判別した場合には、コンテンツのデータから、非３Ｄ映像の映像信号を非３Ｄ映像出力フォーマットにしたがい構成し、
出力部が非３Ｄ映像信号を非３Ｄ映像出力フォーマットで出力している際に、受信部が、再生すべきコンテンツをコンテンツから別のコンテンツに切り換える指示を受け付け、かつ、ＡＶ処理部が、別のコンテンツは３Ｄコンテンツであると判別した場合、ＡＶ処理部は、別のコンテンツのデータから３Ｄ映像信号を構成し、出力部は、３Ｄ映像信号を映像表示装置へ非３Ｄ映像出力フォーマットにしたがい出力する、映像再生装置である。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
本発明のさらに別の一態様は、立体映像表示を可能とする３Ｄ映像信号または非立体映像表示を可能とする非３Ｄ映像信号を映像表示装置へ出力可能な映像再生装置において映像信号を構成し映像表示装置へ出力する方法であって、ＡＶ処理部が、コンテンツのデータを入力するステップと、ＡＶ処理部が、コンテンツのデータから、３Ｄ映像信号を、映像表示装置へ３Ｄ映像の映像信号を出力するための出力フォーマットである３Ｄ映像信号出力フォーマットに適合したフォーマットで構成して、出力部が、ＡＶ処理部から映像信号を受け、映像表示装置に対し、３Ｄ映像信号を、３Ｄ映像信号出力フォーマットで出力するステップと、受信部が、ユーザが入力するコンテンツの映像表示を３Ｄ表示から非３Ｄ表示へ切り換える指示を受け付けるステップと、受け付けるステップの後に、ＡＶ処理部が、当該指示を受けて非３Ｄ映像信号を構成して、出力部が、非３Ｄ映像信号を映像表示装置に対して３Ｄ映像信号出力フォーマットで出力するステップと、を有する、映像再生装置において映像信号を構成し映像表示装置へ出力する方法である。
【国際調査報告】
2011007564.tif 000033
2011007564.tif 000034
2011007564.tif 000035
2011007564.tif 000036